(57)【要約】【課題】遊技の興趣が向上した遊技機を提供する。【解決手段】保留されている第２変動表示のうち、１つ目及び２つ目が小当り保留で、３つ目及び４つ目がはずれの変動である場合には、１つ目及び２つ目の小当り保留を報知する小当り保留報知Ｂを実行設定する。１つ目及び３つ目が小当り保留で、２つ目及び４つ目がはずれの変動である場合には、１つ目及び３つ目の小当り保留を報知する小当り保留報知Ｂを実行設定する。１つ目及び４つ目が小当り保留で、２つ目及び３つ目がはずれの変動である場合には、小当り保留報知Ｂではなく、小当り保留報知Ａが実行設定される。このように、２つの小当り保留の間に２つのはずれの第２変動表示が挟まれるときに、小当り保留報知Ｂの実行（２つ目の小当り保留の報知）を制限する。【選択図】図２１−９
2020141902.tif 000002
【特許請求の範囲】
【請求項１】
可変表示を実行し、遊技者にとって有利な有利状態に制御可能な遊技機であって、
可変表示に関する情報を保留記憶情報として記憶可能な保留記憶手段と、
前記保留記憶手段に記憶されている保留記憶情報に関する特定報知を実行可能な特定報知実行手段と、を備え、
前記特定報知実行手段は、
第１の有利状態に制御されているときに前記保留記憶手段に、当該第１の有利状態のあとに第２の有利状態に制御される可変表示に関する保留記憶情報が記憶されている場合に、その旨を報知する第１の特定報知と、
第１の有利状態に制御されているときに前記保留記憶手段に、当該第１の有利状態のあとに第２の有利状態に制御される可変表示に関する保留記憶情報と、当該第２の有利状態のあとに第３の有利状態に制御される可変表示に関する保留記憶情報と、が記憶されている場合に、その旨を報知する第２の特定報知と、を実行可能であり、
前記第２の特定報知は、第１の有利状態の終了後、第３の有利状態に制御される可変表示が実行されるまでの期間が所定期間以内であるときに実行可能である、
遊技機。
【発明の詳細な説明】
【技術分野】
【０００１】
本発明は、遊技機に関する。
【背景技術】
【０００２】
特許文献１には、可変表示に関する情報を保留記憶情報（特許文献１の遊技情報など）として記憶可能な保留記憶手段と、前記保留記憶手段に記憶されている保留記憶情報に関する特定報知（特許文献１の保留大当たり示唆など）を実行可能な特定報知実行手段と、を備える遊技機が開示されている。
【先行技術文献】
【特許文献】
【０００３】
【特許文献１】特開２０１６−２２２４６号公報
【発明の概要】
【発明が解決しようとする課題】
【０００４】
特許文献１に記載の遊技機では、保留記憶手段の記憶内容（保留記憶情報）によらず同じ特定報知が実行されるので遊技の興趣が向上していない。
【０００５】
この発明は、遊技の興趣が向上した遊技機を提供することを目的とする。
【課題を解決するための手段】
【０００６】
（１）本発明に係る遊技機は、
可変表示（例えば、第２変動表示、演出図柄の可変表示）を実行し、遊技者にとって有利な有利状態（例えば、Ｖ入賞後の大当り遊技状態）に制御可能な遊技機（例えば、特徴部１０９ＡＫを有するパチンコ遊技機１）であって、
可変表示に関する情報を保留記憶情報（例えば、第２保留記憶データ、保留情報など）として記憶可能な保留記憶手段（例えば、第２保留記憶バッファ、保留情報バッファ）と、
前記保留記憶手段に記憶されている保留記憶情報に関する特定報知（例えば、小当り保留報知）を実行可能な特定報知実行手段（例えば、演出制御基板８０）と、を備え、
前記特定報知実行手段は、
第１の有利状態に制御されているときに前記保留記憶手段に、当該第１の有利状態のあとに第２の有利状態に制御される可変表示に関する保留記憶情報が記憶されている場合に、その旨を報知する第１の特定報知（例えば、小当り保留報知Ａ）と、
第１の有利状態に制御されているときに前記保留記憶手段に、当該第１の有利状態のあとに第２の有利状態に制御される可変表示に関する保留記憶情報と、当該第２の有利状態のあとに第３の有利状態に制御される可変表示に関する保留記憶情報と、が記憶されている場合に、その旨を報知する第２の特定報知（例えば、小当り保留報知Ｂ）と、を実行可能であり、
前記第２の特定報知は、第１の有利状態の終了後、第３の有利状態に制御される可変表示が実行されるまでの期間が所定期間以内（例えば、小当り保留の間にはずれの第２保留記憶が１以下の場合）であるときに実行可能である（例えば、ステップ１０９ＡＫＳ００６〜００８、図２１−９参照）。
【０００７】
上記構成によれば、遊技の興趣を向上させることができる。
【０００８】
（２）上記（１）の遊技機において、
前記特定報知実行手段は、第１の有利状態の終了後、第３の有利状態に制御される可変表示が実行されるまでの期間が前記所定期間よりも長いときに、前記第２の特定報知の実行を制限し、前記第１の特定報知を実行可能である（例えば、ステップ１０９ＡＫＳ００６〜００８、図２１−９参照）、
ようにしてもよい。
【０００９】
上記構成によれば、遊技の興趣を向上させることができる。
【００１０】
（３）上記（１）又は（２）の遊技機において、
前記第１の特定報知又は前記第２の特定報知の対象となった保留記憶情報に対応する可変表示が実行されるときに、前記第１の特定報知又は前記第２の特定報知と関連した関連演出（例えば、小当り保留開始演出）を実行可能な関連演出実行手段（例えば、演出制御基板８０）をさらに備える、
ようにしてもよい。
【００１１】
上記構成によれば、遊技の興趣を向上させることができる。
【００１２】
（４）上記（１）〜（３）のいずれかの遊技機において、
前記所定期間は、保留記憶情報の記憶数（例えば、第２保留記憶の数）により特定される期間である、
ようにしてもよい。
【００１３】
上記構成によれば、演出制御が容易となる。
【００１４】
（５）上記（１）〜（４）のいずれかの遊技機において、
前記特定報知実行手段は、
第１の有利状態の終了後、第３の有利状態に制御される可変表示が実行されるまでの期間が前記所定期間よりも長いときに、前記第２の特定報知を実行せずに前記第１の特定報知を実行可能であり、
前記第２の特定報知を実行せずに前記第１の特定報知を実行した後に、前記保留記憶手段に、第３の有利状態に制御される可変表示に関する保留記憶情報が記憶されている旨を報知する第３の特定報知を実行可能である（例えば、図２１−１３）、
ようにしてもよい。
【００１５】
上記構成によれば、遊技の興趣を向上させることができる。
【００１６】
（６）上記（１）〜（５）のいずれかの遊技機において、
可変表示にて所定表示結果（例えば、小当り図柄）が導出されたことに基づいて、遊技媒体が進入可能な状態に変化する可変進入手段（例えば、Ｖ判定入賞装置８７）と、
前記可変進入手段内に設けられ、前記可変進入手段内に進入した遊技媒体が進入可能な特定領域（例えば、Ｖ入賞領域８７０）と、
前記特定領域に遊技媒体が進入したことに基づいて、前記有利状態のうちの特定有利状態（例えば、小当り経由の大当りに基づく大当り遊技状態）に制御する特定有利状態制御手段（例えば、主基板３１）と、をさらに備える、
ようにしてもよい。
【００１７】
上記構成によれば、遊技の興趣を向上させることができる。
【００１８】
（７）上記（１）〜（６）のいずれかの遊技機において、
前記特定報知実行手段は、有利状態に制御されているときに前記保留記憶手段に記憶されている保留記憶情報の全てが有利状態に制御される可変表示に関する保留記憶情報である場合に、その旨を報知する第４の特定報知（例えば、小当り保留報知Ｄ）を実行可能である、
ようにしてもよい。
【００１９】
上記構成によれば、遊技の興趣を向上させることができる。
【図面の簡単な説明】
【００２０】
【図１】パチンコ遊技機を正面からみた正面図である。
【図２】当り種別表を示す図である。
【図３】主基板（遊技制御基板）における回路構成の一例を示すブロック図である。
【図４】各乱数を示す説明図である。
【図５】当り判定テーブルおよび大当り種別判定テーブルを示す説明図である。
【図６】第１時短状態における第１，第２特別図柄の変動例を示す説明図である。
【図７】演出制御コマンドの内容の一例を示す説明図である。
【図８】演出制御コマンドの内容の一例を示す説明図である。
【図９】タイマ割込処理を示すフローチャートである。
【図１０】特別図柄プロセス処理を示すフローチャートである。
【図１１】始動口スイッチ通過処理を示すフローチャートである。
【図１２】特別図柄通常処理を示すフローチャートである。
【図１３】特別図柄停止処理を示すフローチャートである。
【図１４】大当り終了処理を示すフローチャートである。
【図１５】小当り開放前処理を示すフローチャートである。
【図１６】小当り開放中処理を示すフローチャートである。
【図１７】小当り終了処理を示すフローチャートである。
【図１８】演出制御メイン処理を示すフローチャートである。
【図１９】演出制御プロセス処理を示すフローチャートである。
【図２０−１】特徴部９０ＡＫの演出動作例を示す図である。
【図２０−２】時短状態開始後の変動や演出のタイミングチャートである。
【図２０−３】特徴部９０ＡＫの時短初回特図２変動中処理の一例を示すフローチャート等である。
【図２０−４】時短初回特図２変動中処理における決定割合を示す図である。
【図２１−１】小当り保留報知を実行するときの演出画像例を示す図である。
【図２１−２】小当り保留開始演出を実行するときの演出画像例を示す図である。
【図２１−３】小当り保留追加演出を実行するときの演出画像例を示す図である。
【図２１−４】小当り保留追加演出を実行するときの演出画像例を示す図である。
【図２１−５】小当り保留報知の種類を説明するための図である。
【図２１−６】保留情報バッファの構成例を示す図である。
【図２１−７】大当り表示処理で実行される処理のフローチャートである。
【図２１−８】小当り保留報知の実行の決定例である。
【図２１−９】保留された第２変動表示（はずれ２つ、小当り２つ）と小当り保留報知の種類との関係を示す図である。
【図２１−１０】演出図柄変動開始処理で実行される処理のフローチャートである。
【図２１−１１】小当り保留２つの場合の各演出の実行タイミング等を示す図である。
【図２１−１２】小当り保留４つの場合の各演出の実行タイミング等を示す図である。
【図２１−１３】変形例を説明するための図である。
【図２１−１４】変形例の演出画像例を示す図である。
【発明を実施するための形態】
【００２１】
以下、本発明の実施の形態を、図面を参照して説明する。なお、遊技機の一例としてパチンコ遊技機を示すが、本発明はパチンコ遊技機に限られず、コイン遊技機等のその他の遊技機であってもよい。
【００２２】
図１はパチンコ遊技機１を正面からみた正面図である。パチンコ遊技機１は、縦長の方形状に形成された外枠（図示せず）と、外枠の内側に開閉可能に取付けられた遊技枠（図示せず）と、遊技枠に開閉可能に設けられている額縁状に形成されたガラス扉枠２とを有する。
【００２３】
ガラス扉枠の下部表面には打球供給皿（上皿）３がある。打球供給皿３の下部には、打球供給皿３に収容しきれない遊技媒体としての遊技球を貯留する余剰球受皿４、および遊技媒体としての遊技球を打球として打球発射装置から発射するときに操作する打球操作ハンドル（操作ノブ）５が設けられている。ガラス扉枠２の奥手には、打込まれた遊技球が流下可能な遊技領域７が形成された遊技盤６が着脱可能に取付けられている。遊技領域７には、多数の遊技釘が植設されている。遊技領域７には、遊技釘のうち一部の遊技釘が示されている。打球発射装置は、発射モータにより駆動されるものであり、打球操作ハンドル５の回動操作位置に応じて、遊技球を打出す力（発射強度）が調整される。これにより、遊技者は、遊技領域７において希望する場所を狙って遊技球を発射することが可能である。
【００２４】
遊技領域７の中央付近には、各々を識別可能な複数種類の識別情報としての演出図柄を変動表示（可変表示ともいう）可能な演出表示装置９が設けられている。遊技領域７においては、遊技球が流下する流下経路のうちの第１経路が、正面から見て演出表示装置９よりも左側の領域に主に設けられ、遊技球が流下する流下経路のうち第１経路とは異なる第２経路が、正面から見て演出表示装置９よりも右側の領域に主に設けられている。
【００２５】
第１経路に遊技球を流下させるために演出表示装置９の左側領域（左側遊技領域）に遊技球を打込むことが左打ちと呼ばれる。第２経路に遊技球を流下させるために演出表示装置９の右側領域（右側遊技領域）に遊技球を打込むことが右打ちと呼ばれる。第１経路は、遊技領域７の左側に遊技球を打ち込むことにより遊技球が流下可能となる経路であるので、左打ち経路と呼ばれてもよい。また、第２経路は、遊技領域７の右側に遊技球を打ち込むことにより遊技球が流下可能となる経路であるので、右打ち経路と呼ばれてもよい。
【００２６】
なお、第１経路と第２経路とは、別の経路により構成されてもよく、一部が共有化された経路であってもよい。左遊技領域と右遊技領域とは、たとえば、遊技領域７内における演出表示装置９の端面や遊技釘の配列等により区分けされていればよい。
【００２７】
打球操作ハンドル５の操作に応じて打球発射装置から発射されて遊技領域７に打込まれた遊技球は、左遊技領域へと誘導された場合に、たとえば遊技釘の配列に沿って誘導されることにより、右遊技領域へは誘導不可能または誘導困難となる。また、遊技球は、右遊技領域へと誘導された場合に、たとえば遊技釘の配列に沿って誘導されることにより、左遊技領域へは誘導不可能または誘導困難となる。
【００２８】
遊技領域７のうちの左遊技領域に打分けられた遊技球が進入可能な構造物として、第１始動入賞口１３が設けられている。第１始動入賞口１３は、演出表示装置９の下方に配置されている。第１始動入賞口１３には、進入した遊技球を検出するためのスイッチとして、内部に第１始動入賞口スイッチ１３ａが設けられている。
【００２９】
遊技領域７のうちの右遊技領域に打分けられた遊技球が進入可能な構造物として、ゲート３２、可変入賞球装置１５、および、Ｖ判定入賞装置８７が設けられている。可変入賞球装置１５は、遊技球が入賞可能な第２始動入賞口１４を有する。また、それぞれに進入した遊技球を検出するためのスイッチとして、ゲート３２の内部にはゲートスイッチ３２ａが、第２始動入賞口１４の内部には第２始動入賞口スイッチ１４ａが、Ｖ判定入賞装置８７の内部にはＶ入賞スイッチ８７ａ、Ｖ判定入賞スイッチ１５ａおよびＶ判定排出スイッチ１５ｂが、それぞれ設けられている。以下では、第１始動入賞口１３に遊技球が入賞（進入）することを第１始動入賞、第２始動入賞口１４に遊技球が入賞（進入）することを第２始動入賞とも称する。
【００３０】
第１始動入賞口１３は、変動表示手段（可変表示手段）としての第１特別図柄の変動表示（可変表示）を開始するための始動入賞装置として、遊技球（始動入賞球）が進入（入賞）可能な入賞口構造物である。第２始動入賞口１４は、変動表示手段（可変表示手段）としての第２特別図柄の変動表示（可変表示）を開始するための始動入賞装置として、遊技球（始動入賞球）が進入（入賞）可能な入賞口構造物である。
【００３１】
ゲート３２は、遊技球が進入（通過）可能なゲート構造物である。遊技球がゲート３２を通過すると、普通図柄が変動表示する。普通図柄については後述する。左遊技領域では、入賞口構造物のうち第１始動入賞口１３に遊技球が誘導されてくるように遊技釘が植設されている。このため、第１始動入賞口１３に遊技球を進入させることを狙うときに、遊技者は、遊技球を左打ちすればよい。また、右遊技領域では、入賞口構造物のうち第２始動入賞口１４、およびゲート３２に遊技球が誘導されてくるように遊技釘が植設されている。このため、第２始動入賞口１４、およびゲート３２に遊技球を進入させることを狙うときに、遊技者は、遊技球を右打ちすればよい。
【００３２】
なお、右遊技領域に打分けられた遊技球が第１始動入賞口１３に進入する可能性があるようにしてもよいが、遊技性の観点から、その可能性は左遊技領域に打分けられた遊技球がそれらに進入する可能性に比べて極端に低くすることが望ましい。逆に、左遊技領域に打分けられた遊技球がゲート３２、および、第２始動入賞口１４に進入する可能性があるようにしてもよいが、遊技性の観点から、その可能性は右遊技領域に打分けられた遊技球がそれらに進入する可能性に比べて極端に低くすることが望ましい。
【００３３】
Ｖ判定入賞装置８７は、小当りが発生したときに大当りを発生させるための条件となる遊技球のＶ入賞を判定するための装置である。
【００３４】
Ｖ判定入賞装置８７は、透明の部材で形成され、内部を遊技球が通過する様子が視認可能である。Ｖ判定入賞装置８７は、上部に、前後方向に遊技球が通過可能な幅が設けられ、右から左に向かって傾斜し左右方向に延在した通路の両側（手前側と奥側）に壁部が設けられ、その通路に沿って遊技球が誘導される誘導路が形成されている。導路の中央部には、小当りとなったときに所定期間（たとえば、０．１秒間×１０回の開放期間＋１秒間の閉鎖期間（インターバル期間）×９回＋終了期間１秒間）に亘り開放と閉鎖とが繰返されることにより、開放されている所定期間内に合計約１０個数以上の遊技球が入賞可能な開口部としての作動口が形成されている。Ｖ判定入賞装置８７における遊技球の通路には、誘導される遊技球を減速させるための減速手段としての突起が壁部の両側に交互に複数突出する態様で設けられることにより、右打ち時において、Ｖ判定入賞装置８７上部の作動口上の通路に遊技球がゆっくりと流れるような構造（以下減速構造という）が形成されている。
【００３５】
小当り遊技状態においては、Ｖ判定入賞装置８７内への１０個の遊技球の進入が検出されるまで、または、所定期間が経過するまでの比較的長期間に亘り、Ｖ判定入賞装置８７の開放制御が実行される。Ｖ判定入賞装置８７において、誘導路における作動口が形成されていない部分は、固定部８７３とよばれる固定された通路をなす。作動口を開閉可能な位置には、作動口上を前後方向に進退移動可能な可動部８７２が設けられている。
【００３６】
可動部８７２は、ソレノイド２２により駆動され、作動口を開閉するための進退動作が可能である。可動部８７２の状態により作動口が閉鎖された状態においては、遊技球が可動部８７２および固定部８７３の上面を誘導路として通過可能となり、当該誘導路上を右端から左端に誘導されて左端から落下する。可動部８７２の動作状態により作動口が開放された状態においては、誘導路において作動口が開口するので、誘導路に誘導される遊技球が作動口からＶ判定入賞装置８７の内部に落下可能となる。
【００３７】
Ｖ判定入賞装置８７（作動口）の内部においては、作動口から進入した遊技球が入賞可能な入賞領域として、特定領域としてのＶ入賞領域８７０がＶ判定入賞装置８７の底部における左右方向の中央部に設けられ、さらに、作動口から進入した遊技球のすべてを傾斜した経路によりＶ入賞領域８７０上に誘導する傾斜路８７１が設けられている。Ｖ入賞領域８７０は、遊技球が進入可能なＶ入賞口を有し、Ｖ入賞口から進入した遊技球を下方へ誘導可能である。
【００３８】
Ｖ入賞領域８７０の入賞口（Ｖ入賞口）最上端には、Ｖ入賞領域８７０を開放状態と閉鎖状態とのいずれかの状態に切替え可能な板状態の開閉部材（図示省略）が設けられている。開閉部材は、ソレノイド２４により駆動され、Ｖ入賞口を開閉するための進退動作が可能である。開閉部材の状態によりＶ入賞口が開放された状態においては、Ｖ入賞領域８７０上に誘導された遊技球がＶ入賞領域８７０内に落下可能な状態となる。一方、開閉部材の状態によりＶ入賞口が閉鎖された状態においては、Ｖ入賞領域８７０上に誘導された遊技球が開閉部材上を通過して、Ｖ入賞領域８７０の下流側近傍に開口する態様で設けられ、遊技を下方へ誘導可能な入賞球領域（図示省略）内に落下可能な状態となる。
【００３９】
具体的に、Ｖ判定入賞装置８７のＶ入賞領域８７０は、基本的に開放状態とされており、Ｖ判定入賞装置８７の作動口が開放される小当り遊技状態において、１個の遊技球がＶ入賞領域８７０内に進入して入賞すると、その遊技球がＶ入賞領域８７０に設けられたＶ入賞スイッチ１５ａにより検出される。小当り遊技状態において、１個の遊技球がＶ入賞スイッチ１５ａにより検出されると、開閉部材が閉鎖状態に制御され、以降にＶ入賞領域８７０上に誘導された遊技球は、入賞球領域内に進入することとなる。入賞球領域内に進入した遊技球は、入賞球領域に設けられたＶ判定入賞スイッチ１５ｂにより検出される。これにより、Ｖ判定入賞装置８７内に進入した遊技球は、１個の遊技球がＶ入賞スイッチ１５ａにより検出され、その後の遊技球がＶ判定入賞スイッチ１５ｂにより検出される。
【００４０】
小当り遊技状態において開放されたＶ判定入賞装置８７は、Ｖ入賞スイッチ１５ａおよびＶ判定入賞スイッチ１５ｂにより検出された球の合計個数が１０個に達すると、作動口が閉鎖され、遊技球が進入不可能な状態とされる。Ｖ入賞領域８７０と入賞球領域とは、下方において合流する構成とされており、その合流された排出通路を通り、Ｖ判定入賞装置８７内に進入した遊技球は、遊技盤６内部の所定の排出路に排出される。排出通路には、排出される遊技球を検出可能なＶ判定排出スイッチが設けられ、当該スイッチにより排出されるすべての遊技球が検出される。
【００４１】
小当りが発生してＶ判定入賞装置８７の作動口が開放されたときにおいて、Ｖ入賞領域８７０に遊技球が入賞して所定の有効期間中にＶ入賞スイッチ８７ａで遊技球が検出されると、大当りの発生条件が成立し、大当り遊技状態に制御される。このようなＶ入賞領域８７０への遊技球の入賞がＶ入賞と呼ばれる。パチンコ遊技機１では、前述のように小当りが発生してＶ判定入賞装置８７の作動口が開放される期間中においては、特殊な操作を要することなく平均的に合計１０個程度の遊技球がＶ判定入賞装置８７内に進入可能なように構造設計および制御設計がされており、さらに、Ｖ判定入賞装置８７内に遊技球が進入可すると、遊技球が必ず（１００％）Ｖ入賞領域８７０に進入するように構造設計がされている。また、パチンコ遊技機１では、小当りが発生したときに、遊技者が容易に遊技球をＶ判定入賞装置８７に打込むことができるように、右打ちを指示する右打ち促進報知が実行される。
【００４２】
したがって、小当りが発生したときには、Ｖ判定入賞装置８７の作動口の開放期間中に、遊技者が遊技球を発射しない場合、および、遊技者が左打ちをする場合を除き、右打ちをすれば、必ず（１００％）遊技球がＶ入賞領域８７０に進入して大当りが発生することとなる。
【００４３】
なお、この実施の形態では、Ｖ判定入賞装置８７に遊技球の減速構造を設けた例を示した。しかし、このような減速構造を設けず、Ｖ判定入賞装置８７における遊技球の誘導路のうちの一部に遊技球を落下させることが可能となる作動口を設け、小当り遊技状態の期間中に１０個程度の遊技球をＶ入賞領域８７０に進入させるために、作動口を１０回開放させる構成を用いてもよい。
【００４４】
Ｖ判定入賞装置８７の前面側の一部には、「Ｖ」という文字形状で構成されたＬＥＤよるなる発光体であるＶランプ８７５が設けられている。Ｖランプ８７５は、小当り遊技状態においてＶ入賞が発生したときに基本的に白色で発光される。Ｖランプ８７５は、たとえば、基本的に白色で発光可能であるが、保留連を報知するときのように、遊技状況に応じた演出により、青色、赤色、および、虹色に発光色が変化可能である。なお、Ｖランプ８７５は、遊技者により視認可能な位置であれば、Ｖ判定入賞装置８７において、前面部に設けられてもよく、内部に設けられてもよい。また、Ｖランプ８７５は、Ｖ判定入賞装置８７とは異なる位置（たとえば、Ｖ判定入賞装置８７の近傍位置等）に設けられてもよい。
【００４５】
可変入賞球装置１５は、遊技球が進入可能な遊技者にとって有利な状態（開状態）と、遊技球が進入不可能な遊技者にとって不利な状態（閉状態）とに変化する可変入賞球装置としての役物であり、入口部分にチューリップ状の開成翼片（左右一対形状）を備え、開成翼片の上方に、開成翼片が閉鎖状態での遊技球の進入を制限するストッパ部材が設けられている。この開成翼片は、ソレノイド１６により駆動される。可変入賞球装置１５は、普通図柄の表示結果が当りになると一定期間（たとえば、１秒間）開成することによって、遊技者にとって不利な状態から有利な状態に変化する。なお、可変入賞球装置１５が閉状態になっている状態において、入賞はしづらいものの、入賞することは可能である（すなわち、遊技球が入賞しにくい）ように構成されていてもよい。以下、第１始動入賞口１３と第２始動入賞口１４とを総称して始動入賞口または始動口ということがある。
【００４６】
右遊技領域では、可変入賞球装置１５およびＶ判定入賞装置８７に遊技球が誘導されてくるように遊技釘が植設されている。このため、これら可変入賞球装置１５およびＶ判定入賞装置８７に遊技球を進入させることを狙うときに、遊技者は、遊技球を右打ちすればよい。
【００４７】
なお、左遊技領域に打分けられた遊技球が可変入賞球装置１５、および、Ｖ判定入賞装置８７のいずれかに進入する可能性があるようにしてもよいが、遊技性の観点から、その可能性は右遊技領域に打分けられた遊技球がそれらに進入する可能性に比べて極端に低くすることが望ましい。
【００４８】
遊技領域７の中央付近には、特別図柄の変動表示に対応した演出等の各種の演出表示をすることが可能な演出表示装置９が設けられている。遊技領域７における演出表示装置９の右側方には、各々を識別可能な複数種類の識別情報としての特別図柄を変動表示する変動表示手段として、第１特別図柄を変動表示する第１特別図柄表示器８ａと、各々を識別可能な複数種類の識別情報としての第２特別図柄を変動表示する第２特別図柄表示器８ｂとが設けられている。
【００４９】
第１特別図柄表示器８ａおよび第２特別図柄表示器８ｂのそれぞれは、数字および文字を変動表示可能な簡易で小型の表示器（たとえば７セグメントＬＥＤ）で構成されている。演出表示装置９は、液晶表示装置（ＬＣＤ）で構成されている。演出表示装置９の表示画面において、第１特別図柄または第２特別図柄の変動表示に同期して、各々を識別可能な複数種類の識別情報としての演出図柄の変動表示等の各種画像を表示する表示領域が設けられている。このような表示領域には、たとえば「左」、「中」、「右」の３つの装飾用（演出用）の演出図柄（飾り図柄とも呼ばれる）を変動表示する図柄表示領域（図柄表示エリア）が形成される。
【００５０】
第１特別図柄表示器８ａおよび第２特別図柄表示器８ｂのそれぞれは、主基板（遊技制御基板）に搭載されている遊技制御用マイクロコンピュータによって制御される。演出表示装置９は、演出制御基板に搭載されている演出制御用マイクロコンピュータによって制御される。第１特別図柄表示器８ａで第１特別図柄の変動表示が実行されているときに、その変動表示に伴って演出表示装置９で演出表示を実行し、第２特別図柄表示器８ｂで第２特別図柄の変動表示が実行されているときに、その変動表示に伴って演出表示装置９で演出表示を実行すれば、遊技の進行状況を把握しやすくすることができる。
【００５１】
以下、第１特別図柄と第２特別図柄とを特別図柄と総称することがあり、第１特別図柄表示器８ａと第２特別図柄表示器８ｂとを特別図柄表示器（変動表示部）と総称することがある。
【００５２】
なお、この実施の形態では、２つの特別図柄表示器８ａ，８ｂを備える場合を示しているが、遊技機は、特別図柄表示器を１つのみ備えるものであってもよい。特別図柄表示器を１つのみ備える場合には、始動入賞口を１つのみ設ければよい。また、特別図柄表示器を１つのみ備える場合であっても、始動入賞口を２つ（複数）設け、いずれの始動入賞口に遊技球が入賞したときにも、１つの特別図柄表示器を変動表示させる制御をしてもよい。また、特別図柄表示器を２つ（複数）備える場合に、始動入賞口を１つ設け、所定の順番で２つの特別図柄表示器を変動表示させる（たとえば１回の始動入賞ごとに変動表示させる特別図柄表示器を切替える等）制御をしてもよい。
【００５３】
遊技領域７の下方には、大当り可変入賞球装置２０が設けられている。大当り可変入賞球装置２０は、右打ちされた遊技球が、右遊技領域に植設された遊技釘によって誘導される。また、大当り可変入賞球装置２０は、遊技釘の植設状態により、左遊技領域からは遊技球が進入しないように構成されている。
【００５４】
大当り可変入賞球装置２０は、前面が長方形の扉で覆われた大入賞口を備えており、大当りが発生すると、ソレノイド２１によって、底辺を軸として扉が前方に傾動し、大入賞口が現れる（開口する）。大当り可変入賞球装置２０の内部には、進入した遊技球を検出するためのカウントスイッチ２３が設けられている。大当り可変入賞球装置２０へは、右遊技領域に遊技球を打込んだ場合にのみ、大入賞口への遊技球の入賞が可能となるように、遊技釘やその他の構造物によって入賞ルートが制限されている。なお、左遊技領域および右遊技領域のいずれに遊技球を打込んだ場合であっても、大入賞口へ入賞できるようにしてもよい。
【００５５】
第１始動入賞口１３、第２始動入賞口１４、大当り可変入賞球装置２０、および、Ｖ判定入賞装置８７のいずれかに遊技球が入賞すると、それぞれに応じて予め定められた数の賞球が払出される。なお、ゲート３２を遊技球が通過した場合にも賞球を払出すようにしてもよい。また、第１始動入賞口１３、および、第２始動入賞口１４のうちの少なくともいずれかについては、遊技球が入賞しても賞球が払出されないようにしてもよい。
【００５６】
遊技盤６の下部には、入賞しなかった打球が取込まれるアウト口２６がある。また、遊技領域７の外側の左右上部および左右下部には、所定の音声出力として効果音や音声を発声する４つのスピーカ２７が設けられている。遊技領域７の外周には、前面枠に設けられた枠ＬＥＤ２８が設けられている。
【００５７】
大当りは、第１特別図柄表示器８ａに大当り図柄（大当り表示結果）が導出表示されたとき、および、第２特別図柄表示器８ｂに大当り図柄（大当り表示結果）が導出表示されたときのそれぞれで発生する。第１始動入賞口１３に遊技球が入賞したことに基づく抽選により大当りとする決定がされたときに、第１特別図柄表示器８ａに大当り図柄が導出表示される。第２始動入賞口１４に遊技球が入賞したことに基づく抽選により大当りとする決定がされたときに、第２特別図柄表示器８ｂに大当り図柄が導出表示される。
【００５８】
大当りは、小当り遊技状態となることによってＶ判定入賞装置８７の作動口が開放しているときに進入した遊技球が、Ｖ入賞領域８７０に進入した場合にも発生する。以下、遊技球がＶ入賞領域８７０に進入してＶ入賞スイッチ８７ａで検出されることをＶ入賞と呼ぶ。小当りとは、所定の価値付与として、Ｖ判定入賞装置８７の作動口が開放する当りであり、Ｖ入賞を条件として大当りが発生可能となる。Ｖ判定入賞装置８７において、作動口が開放する遊技状態を「小当り遊技状態」と呼ぶ。そして、小当り遊技状態において、遊技球がＶ入賞したことに基づいて発生する大当りを、「小当り経由の大当り」と呼ぶ。これに対し、第１特別図柄表示器８ａまたは第２特別図柄表示器８ｂによる特別図柄の変動表示の表示結果に基づいて大当り遊技状態となることを、「特別図柄による大当り」と称する。
【００５９】
大当り遊技状態は、所定の価値付与として、遊技者にとって有利な特定遊技状態（有利状態）であり、大当り可変入賞球装置２０が開放状態と閉鎖状態とを所定回数繰返す繰返し継続制御が行なわれる。繰返し継続制御において、大当り可変入賞球装置２０が開放（大入賞口が開放）されている状態が、ラウンドと呼ばれる。繰返し継続制御は、ラウンド制御とも呼ばれる。
【００６０】
大当り遊技状態では、大当り可変入賞球装置２０が、開放状態とされた後、所定の開放状態の終了条件（開放状態において所定期間（たとえば２９秒間）が経過したこと、または、所定個数（たとえば１０個）の入賞球が発生したという開放終了条件）が成立したことに応じて閉鎖状態とされる。そして、開放終了条件が成立すると、継続権が発生し、大当り可変入賞球装置２０の開放が再度行なわれる。継続権の発生は、大当り遊技状態における開放回数が予め定められた上限値となる１５ラウンド（最終ラウンド）に達するまで繰返される。
【００６１】
第１特別図柄または第２特別図柄の変動表示は、変動表示の実行条件である第１始動条件（第１実行条件）または第２始動条件（第２実行条件）が成立（たとえば、遊技球が始動入賞領域としての第１始動入賞口１３または第２始動入賞口１４に進入（入賞を含む）したこと、つまり、第１始動入賞または第２始動入賞が発生したこと）した後、変動表示の開始条件（たとえば、第１特別図柄および第２特別図柄の変動表示が実行されていない状態であり、かつ、大当り遊技が実行されていない状態）が成立したことに基づいて開始され、変動表示時間（変動時間）が経過すると表示結果（停止図柄）を導出表示する。なお、遊技球が通過するとは、入賞口やゲート等の予め入賞領域として定められている領域を遊技球が通過したことであり、入賞口に遊技球が入った（入賞した）ことを含む概念である。また、表示結果を導出表示するとは、図柄（識別情報の例）を最終的に停止表示（確定表示）させることである。
【００６２】
また、第１始動入賞口１３および第２始動入賞口１４のような始動領域に遊技球が進入したにもかかわらず未だ開始条件が成立していない変動表示（実行が保留されている変動表示）については、当該変動表示に関する情報（後述のランダムＲ等の乱数値。詳細は後述）が、所定の上限数の範囲内で記憶される。当該記憶することは保留記憶とも呼ばれる。また、このような保留記憶という用語は、保留記憶された情報（前記変動表示に関する情報であり、後述の第１保留記憶データ、第２保留記憶データ等を含む）や、当該情報に対応する変動表示（実行が保留されている変動表示）を示す（特定する）場合にも用いられる。保留記憶は、始動記憶または始動入賞記憶とも呼ばれる。
【００６３】
第１特別図柄については、第１始動入賞口１３への遊技球の進入（第１始動入賞）に基づく保留記憶としての第１保留記憶に基づいて変動表示が実行される。第２特別図柄については、第２始動入賞口１４への遊技球の進入（第２始動入賞）に基づく保留記憶としての第２保留記憶に基づいて変動表示が実行される。このような第１保留記憶または第２保留記憶が存在している状態で大当りが発生した場合、大当り発生前に存在していた保留記憶は、そのまま維持され、大当たり遊技状態の終了後において変動表示のために用いられる。
【００６４】
第２始動入賞が発生したときには、第１保留記憶があっても、当該第２始動入賞に基づく第２特別図柄の変動表示の方が優先して実行される。このように第２特別図柄の変動表示は、第１特別図柄の変動表示よりも優先して実行される。
【００６５】
第１特別図柄表示器８ｂおよび第２特別図柄表示器８ｂの上方には、第２始動入賞口１４に入った有効入賞球数すなわち第２保留記憶数を表示する１つの表示器からなる第２特別図柄保留記憶表示器１８ｂが設けられている。第２特別図柄保留記憶表示器１８ｂは、有効始動入賞がある毎に、第２特別図柄保留記憶表示器１８ｂを点灯し、第２特別図柄表示器８ｂでの変動表示が開始される毎に、第２特別図柄保留記憶表示器１８ｂを消灯する。
【００６６】
第２特別図柄保留記憶表示器１８ｂのさらに上方には、第１始動入賞口１３に入った有効入賞球数すなわち第１保留記憶数を表示する４つの表示器からなる第１特別図柄保留記憶表示器１８ａが設けられている。第１特別図柄保留記憶表示器１８ａは、有効始動入賞がある毎に点灯する表示器の数を１増やす。そして、第１特別図柄表示器８ａでの変動表示が開始される毎に、点灯する表示器の数を１減らす。
【００６７】
演出表示装置９の左方には、各々を識別可能な普通図柄を変動表示する普通図柄表示器１０が設けられている。この実施の形態では、普通図柄表示器１０は、０〜９の数字を変動表示可能な簡易で小型の表示器（たとえば７セグメントＬＥＤ）で実現されている。すなわち、普通図柄表示器１０は、０〜９の数字（または、記号）を変動表示するように構成されている。また、小型の表示器は、たとえば方形状に形成されている。
【００６８】
遊技球がゲート３２を通過すると、普通図柄表示器１０の表示の変動表示が開始される。普通図柄表示器１０における停止図柄が所定の図柄（当り図柄。たとえば、図柄「７」。）である場合に当りとなり、可変入賞球装置１５が遊技者にとって不利な閉状態から所定時間に限って遊技者にとって有利な開状態に変化する。普通図柄表示器１０の近傍には、ゲート３２を通過した入賞球数を表示する４つのＬＥＤによる表示部を有する普通図柄保留記憶表示器４１が設けられている。ゲート３２への遊技球の通過がある毎に、普通図柄保留記憶表示器４１は点灯するＬＥＤを１増やす。そして、普通図柄表示器１０の変動表示が開始される毎に、点灯するＬＥＤを１減らす。
【００６９】
パチンコ遊技機１には、遊技者が把持して複数方向（前後左右）に傾倒する操作が可能なスティックコントローラ１２２が取付けられている。スティックコントローラ１２２には、遊技者がスティックコントローラ１２２の操作桿を操作手（たとえば左手等）で把持した状態において、所定の操作指（たとえば人差し指等）で押引操作すること等により所定の指示操作が可能なトリガボタン１２５（図３参照）が設けられ、スティックコントローラ１２２の操作桿の内部には、トリガボタン１２５に対する押引操作等による所定の指示操作を検知するトリガセンサ１２１（図３参照）が内蔵されている。また、スティックコントローラ１２２の下部における下皿の本体内部等には、操作桿に対する傾倒操作を検知する傾倒方向センサユニット１２３（図３参照）が設けられている。また、スティックコントローラ１２２には、スティックコントローラ１２２を振動動作させるためのバイブレータ用モータ１２６（図３参照）が内蔵されている。
【００７０】
打球供給皿（上皿）３を形成する部材には、たとえば上皿本体の上面における手前側の所定位置（たとえばスティックコントローラ１２２の上方）等に、遊技者が押下操作等により所定の指示操作を可能なプッシュボタン１２０が設けられている。プッシュボタン１２０は、遊技者からの押下操作等による所定の指示操作を、機械的、電気的、あるいは、電磁的に、検出できるように構成されていればよい。プッシュボタン１２０の設置位置における上皿の本体内部等には、プッシュボタン１２０に対してなされた遊技者の操作行為を検知するプッシュセンサ１２４（図３参照）が設けられている。
【００７１】
パチンコ遊技機１においては、遊技状況に応じて、遊技者が左遊技領域を狙う「左打ち」と右遊技領域を狙う「右打ち」とを使い分けるように遊技球を発射することにより、変化に富んだ遊技を楽しむことができるように遊技状態および演出状態が制御される。以下に、遊技者がパチンコ遊技機１において遊技を開始してからの遊技の流れについて説明する。
【００７２】
遊技者は、パチンコ遊技機１に着席して最初に遊技を開始するときに、まず左打ちによって第１始動入賞口１３に遊技球が入賞するように遊技を行なう。そして、第１特別図柄の変動表示が実行され、表示結果が大当り（特別図柄による大当り）となれば、左打ちから右打ちに切替えて、開放される大当り可変入賞球装置２０を狙い遊技を行なう。大当り遊技状態が終了した後は、演出表示装置９の画面上で遊技者に右打ちによって遊技を行なうことを促す右打ち促進報知が行なわれる。具体的には、演出表示装置９の画面上で「右を狙え」等の表示が行なわれる。
【００７３】
大当り遊技状態中は、開口した大当り可変入賞球装置２０を右打ちにより狙う遊技を行なう。大当り遊技状態中は、右打ち促進報知が行なわれる。大当り遊技状態の終了後は、後述する時短状態となれば、引き続き右打ちにより遊技を行なう。大当り遊技終了後、時短状態となっていれば時短状態が開始されることを報知する時短報知が演出表示装置９の画面上で行なわれる。また、時短状態中には、右打ち促進報知も行なわれる。大当り遊技状態の終了後に時短状態とならなければ、大当り遊技状態中に実行される右打ち促進報知が終了することにより、右打ちから左打ちに切替えて第１始動入賞口１３に遊技球が入賞するように遊技を行なう。なお、時短状態とならなかった場合には、演出表示装置９の画面上で遊技者に左打ちに戻して遊技を行なうことを促す左打ち促進報知（左打ち報知とも呼ばれる）が行なわれるようにしてもよい。
【００７４】
大当り遊技終了後の時短状態中は、右打ちにより第２始動入賞口１４を有する可変入賞球装置１５を狙い遊技を行なう。第２始動入賞口１４に遊技球が入賞し、表示結果が大当り（特別図柄による大当り）となれば、右打ちのまま大当り可変入賞球装置２０を狙い遊技を行なう。また、第２始動入賞口１４に遊技球が入賞し、表示結果が小当り表示結果となれば、小当り遊技状態においてＶ判定入賞装置８７の作動口が開放されるので、右打ちのままＶ判定入賞装置８７を狙い遊技を行なう。小当り遊技状態の開始時には、演出表示装置９の画面上で小当り遊技状態が開始されることを報知する小当り開始報知が行なわれる。また、小当り遊技状態に制御されるときには、特定のタイミング（遊技状況に応じて、後述するような、小当りに応じてＶ判定入賞装置８７の作動口が開放される前に実行される小当り表示の開始タイミング、または、小当り表示が実行されるよりも前の所定のタイミング。）で、右打ち促進報知も行なわれる。
【００７５】
小当り遊技状態によりＶ判定入賞装置８７の作動口が開状態のときに、遊技球が、作動口からＶ判定入賞装置８７の内部に落下し、Ｖ入賞領域８７０に進入して検出されて、Ｖ入賞が発生した場合に、小当り経由の大当りが発生する。Ｖ入賞が発生したときには、演出表示装置９の画面上でＶ入賞が発生したことを報知するＶ入賞報知が行なわれる。また、小当り遊技状態の終了時は、演出表示装置９の画面上で小当り遊技状態が終了したことを報知する小当り終了報知が行なわれる。そして、小当り終了後に、大当り遊技状態となって大当り可変入賞球装置２０が開放されるので、遊技者は、右打ちのまま大当り可変入賞球装置２０を狙い遊技を行なう。
【００７６】
また、小当り遊技状態においてＶ判定入賞装置８７を狙い遊技を行なったときに、遊技球がＶ入賞領域８７０に進入せず、Ｖ入賞領域８７０以外の不図示の非特定領域に進入した場合には、大当りが発生しない。このように小当り遊技状態中にＶ入賞が発生しなかったときには、演出表示装置９の画面上でＶ入賞に失敗したことを報知するＶ入賞失敗報知が行なわれる。また、小当り遊技状態の終了時には、演出表示装置９の画面上で小当り遊技状態が終了したことを報知する小当り終了報知が行なわれる。そして、小当り遊技状態の終了後、時短状態が継続しているときに、遊技者は、引続き右打ちのまま可変入賞球装置１５を狙い遊技を行なう。時短状態が終了した場合は、右打ちから左打ちに切替えて第１始動入賞口１３に遊技球が入賞するように遊技を行なう。時短状態の終了時には、演出表示装置９の画面上で時短が終了したことを報知する時短終了報知と、遊技者に左打ちに戻して遊技を行なうことを促す左打ち促進報知とが行なわれる。
【００７７】
図２は、当り種別表を示す図である。当り種別表には、当りの種別ごとに、大当り発生条件、大当り後の制御状態（遊技状態）、大当りにおける開放回数（ラウンド数）、および、大当りにおける各ラウンドの開放時間が示されている。この実施の形態では、大当り当り種別として、図柄１５Ｒ時短大当り、図柄４Ｒ時短大当り、小当り経由１６（１５）Ｒ時短大当り、小当り経由９（８）Ｒ時短大当り、および、小当り経由５（４）Ｒ時短大当りが設けられている。小当り経由の大当りの括弧内は、大当り可変入賞球装置２０が開放する回数を示している。小当り経由１６（１５）Ｒ時短大当り、小当り経由９（８）Ｒ時短大当り、および、小当り経由５（４）Ｒ時短大当りの各大当り種別は、小当り種別ともいう。
【００７８】
小当りは、可変入賞球装置１５に設けられた第２始動入賞口１４に遊技球が入賞し、第２特別図柄の表示結果が小当り図柄になった場合に発生する。特別図柄の表示結果を小当り図柄にするか否かの判定は、乱数抽選によって事前に行なわれる（特別図柄の小当り判定）。小当りが発生すると、小当り遊技状態となり、開放回数が１０回で開放時間が０．１秒という開放パターンでＶ判定入賞装置８７の作動口が開放する。小当り遊技状態の終了後の遊技制御状態（後述する大当り確率、小当り確率、ベース）は、小当り前と同じである。小当りにおいては、小当り遊技状態中にＶ判定入賞装置８７内のＶ入賞領域８７０に入賞した遊技球に対して賞球が払出される。小当り遊技状態中には、約１０個の入賞球が生じる得ることが設定されており、その入賞球に応じて、約３０個の賞球が払出され得ることが設定されている。
【００７９】
Ｖ判定入賞装置８７の作動口が開放中に、作動口へ遊技球を入賞させ、遊技球がＶ判定入賞装置８７の内部のＶ入賞領域８７０に進入（Ｖ入賞）した場合は、大当りが発生する。このような小当りを経由した大当りは、上述したように小当り経由大当りと呼ばれる。小当り経由大当りには、大当りでのラウンド数が異なる小当り経由１６（１５）Ｒ時短大当り、小当り経由９（８）Ｒ時短大当り、および、小当り経由５（４）Ｒ時短大当りが含まれる。１６（１５）Ｒ時短大当りとなり得るように紐付けられた小当りは、第１小当りと呼ばれる。９（８）Ｒ時短大当りとなり得るように紐付けられた小当りは、第２小当りと呼ばれる。５（４）Ｒ時短大当りとなり得るように紐付けられた小当りは、第３小当りと呼ばれる。
【００８０】
一方、小当りを経由せずに、特別図柄の変動表示により直接的に発生する大当りは、図柄大当りと呼ばれる。図柄大当りとしては、第１特別図柄または第２特別図柄の変動表示に基づいて直接発生する図柄１５Ｒ時短大当り、および、図柄４Ｒ時短大当りがある。
【００８１】
このように、大当りとしては、第１特別図柄または第２特別図柄の変動表示に基づいて直接発生する図柄大当りと、第２特別図柄の変動表示に基づく小当りを経由してＶ入賞により発生する小当り経由大当りとが含まれる。図柄大当りおよび小当り経由大当りの各大当りは、大当り遊技状態の終了後に時短状態に制御される大当りであり、時短大当りという名称が付けられている。本実施形態における遊技者にとって有利な有利状態には、大当り可変入賞球装置２０が開放することも含まれる。
【００８２】
ここで、時短状態を説明する。時短状態は、遊技者にとって有利な特別遊技状態（有利状態）の一例である。時短状態は、特別図柄（演出図柄）の変動時間（変動表示期間）が非時短状態（通常状態）よりも短縮される制御状態である。このように、時短状態に移行することによって、特別図柄や演出図柄の変動時間が短縮されるので、時短状態となったときには、有効な始動入賞が発生しやすくなり大当り遊技が行なわれる可能性が高まる。
【００８３】
なお、時短状態では、可変入賞球装置１５が開状態になる頻度を高くすることにより可変入賞球装置１５に遊技球が進入する頻度を高くして可変入賞球装置１５への入賞を容易化（高進入化、高頻度化）する高ベース状態に制御される。
【００８４】
ここで、「ベース」とは、発射球数に対して入賞に応じて賞球として払出される遊技球数の割合である。この割合を高める積極的な制御が行なわれる状態が「高ベース状態」である。一方、このような制御が行なわれない状態が「低ベース状態」である。このような制御は、たとえば、特別図柄の変動開始の契機となる始動入賞の発生を高める制御として実現される。このため、本実施の形態でいえば、可変入賞球装置１５（いわゆる電動チューリップ）の開放頻度や開放回数を増加させ、あるいは１回の開放時間を長くすることによって、その可変入賞球装置への入賞を容易化する制御として実現できる。このような制御は、「電チューサポート制御」とも呼ばれる。つまり、高ベース状態とは、特別図柄の変動契機となる可変入賞球装置１５が開状態になる頻度を高くすることにより、その可変入賞球装置１５に遊技球が進入する頻度を高くして可変入賞球装置１５への入賞が容易化（高進入化、高頻度化）される制御状態である。「電チューサポート制御」は、「電サポ」という略語で一般的に呼ばれており、本実施形態でも「電サポ」という略語を用いる場合がある。
【００８５】
さらに、高ベース制御（電チューサポート制御）について詳述する。高ベース制御（電チューサポート制御）としては、普通図柄の変動時間（変動表示開始時から表示結果の導出表示時までの時間）を短縮して早期に表示結果を導出表示させる制御（普通図柄短縮制御）、普通図柄の停止図柄が当り図柄になる確率を高める制御（普通図柄確変制御）、可変入賞球装置１５（普通電動役物）の開放時間を長くする制御（開放時間延長制御）、および、特別図柄の変動契機となる可変入賞球装置の開放回数を増加させる制御（開放回数増加制御）が行なわれる。このような制御が行なわれると、当該制御が行なわれていないときと比べて、特別図柄の変動契機となる可変入賞球装置が開状態となっている時間比率が高くなるので、遊技球が始動入賞しやすくなる（特別図柄表示器８ａ，８ｂや演出表示装置９における変動表示の実行条件が成立しやすくなる）。
【００８６】
また、図柄１５Ｒ時短大当りは、大入賞口が１５回（１５Ｒ）開放される大当りである。図柄４Ｒ時短大当りは、大入賞口が４回（４Ｒ）開放される大当りである。小当り経由１６（１５）Ｒ時短大当りは、Ｖ判定入賞装置８７が１回（０．１秒×１０回）開放された後、Ｖ入賞を条件として大入賞口が１５回（１５Ｒ）開放される大当りであり、１６ラウンド分入賞装置が開放するが、実質的に大入賞口の開放回数は、１５回であり、遊技者は、大入賞口の開放に関して、図柄１５Ｒ時短大当りと同様の大当り種別と感じる。小当り経由９（８）Ｒ時短大当りは、Ｖ判定入賞装置８７が（０．１秒×１０回）開放された後、Ｖ入賞を条件として大入賞口が８回（８Ｒ）開放される大当りである。小当り経由５（４）Ｒ時短大当りは、Ｖ判定入賞装置８７が１回（０．１秒×１０回）開放された後、Ｖ入賞を条件として大入賞口が４回（４Ｒ）開放される大当りであり、５ラウンド分入賞装置が開放するが、実質的に大入賞口の開放回数は、４回であり、遊技者は、大入賞口の開放に関して、図柄４Ｒ時短大当りと同様の大当り種別と感じる。
【００８７】
図柄４Ｒ時短大当り後の時短状態は、第２特別図柄の変動表示回数が１回という終了条件と、第１特別図柄と第２特別図柄との変動表示回数の合計回数が５回という終了条件との２つの終了状態が設定されている。このような、第２特別図柄の変動表示回数が１回という時短の終了条件の回数は、Ｖ判定入賞装置８７に進入した遊技球が１００％の割合でＶ入賞領域８７０に進入することを考慮して設定されている。第２特別図柄の変動表示では、約１／７という割合で小当りが発生する。よって、第２特別図柄の変動表示回数が１回という終了条件は、第２特別図柄の変動表示が実行されるときに、約１／７という割合で、小当り経由の大当りを発生させる可能性がある回数としている。
【００８８】
第２特別図柄の変動表示回数が１回という時短の終了条件の回数は、次のような理由で設定されている。図柄４Ｒ時短大当りの場合には、基本的に第２特別図柄の変動表示が１回実行完了するまで時短状態（電サポ状態含む）を継続させるが、第２特別図柄を変動表示させるには、右打ちをして遊技球をゲート３２に進入させて可変入賞球装置１５を開状態にし、その状態で遊技球を可変入賞球装置１５に入賞させる必要があり、そのような可変入賞球装置１５へ遊技球を入賞させるまでに時間がかかってしまい、保留記憶されていた第１特別図柄が先に変動表示される場合がある。
【００８９】
したがって、第１特別図柄と第２特別図柄との変動表示回数の合計回数が５回という終了条件は、時短状態の開始直後において、第２特別図柄の変動表示開始条件が成立する前に、大当り遊技状態前に最大４個記憶可能な第１始動入賞に基づく保留記憶による第１特別図柄の変動表示が開始されてしまっても、遊技者にとって有利な大当りに決定されやすい第２特別図柄の１回分の変動表示を確実に実行可能にするための条件である。このようにすることで、時短状態開始直後において第１始動入賞に基づく保留記憶による第１特別図柄の変動表示が開始されてしまうことで、時短状態において、遊技者にとって有利な大当りに決定されやすい第２特別図柄の変動表示が行なわれなくなってしまうのを防ぐことができる。
【００９０】
図柄４Ｒ時短大当り以外の大当り後は、第２特別図柄の変動表示回数が７回という終了条件と、第１特別図柄と第２特別図柄との変動表示回数の合計回数が１１回という終了条件との２つの終了状態が設定されている。このような、時短状態の終了条件の７回という回数は、Ｖ判定入賞装置８７に進入した遊技球が１００％の割合でＶ入賞領域８７０に進入することを考慮して設定されている。第２特別図柄の変動表示では、約１／７という割合で小当りが発生する。よって、第２特別図柄の変動表示回数が７回という終了条件は、第２特別図柄の変動表示が実行されるときに、図柄４Ｒ時短大当りと比べて、小当り経由の大当りを発生させる可能性が大幅に高くなる回数としている。これにより、小当り経由の大当りの発生に遊技者を注目させることができるとともに、小当り経由の大当りの発生についての遊技者の期待感を高めることができる。
【００９１】
また、第１特別図柄と第２特別図柄との変動表示回数の合計回数が１１回という終了条件は、時短状態の開始直後において、第２特別図柄の変動表示開始条件が成立する前に、大当り遊技状態前に最大４個記憶可能な第１始動入賞に基づく保留記憶による第１特別図柄の変動表示が開始されてしまっても、遊技者にとって有利な大当りに決定されやすい第２特別図柄の７回分の変動回数の変動表示を確実に実行可能にするためである。このようにすることにより、時短状態開始直後において第１始動入賞に基づく保留記憶による第１特別図柄の変動表示が開始されてしまうことで、時短状態において、遊技者にとって有利な大当りに決定されやすい第２特別図柄の変動回数が減少してしまうことを防ぐことができる。
【００９２】
この実施の形態においては、通常状態である低ベース状態においては、第１始動入賞口１３が第１経路から入賞可能に設けられているので、第１経路を遊技球が流下した方が、第２経路を遊技球が流下するよりも、始動入賞の点で遊技者にとって有利である。一方、大当り遊技状態のような有利状態では、開放される大当り可変入賞球装置２０が第２経路から入賞可能に設けられているので、第２経路を遊技球が流下した方が、第１経路を遊技球が流下するよりも、大当り時入賞の点で遊技者にとって有利である。また、小当り遊技状態のような特定状態では、開放されるＶ判定入賞装置８７が第２経路から入賞可能に設けられているので、第２経路を遊技球が流下した方が、第１経路を遊技球が流下するよりも、大当り発生の点で遊技者にとって有利である。
【００９３】
なお、このような有利さの比較に限らず、たとえば、その他の入賞口（たとえば、別の可変入賞口（始動入賞用であっても、非始動入賞用であってもよい）が第１経路と第２経路とに設けられており、通常状態としての低ベース状態では第１経路の方が第２経路よりも当該可変入賞口に入賞しやすく、高ベース状態、大当り遊技状態、および、小当り遊技状態のようなその他の状態では、第２経路の方が第１経路よりも当該可変入賞口に入賞しやすいというような、その他の観点から、通常状態においては第１経路を遊技媒体が流下した方が遊技者にとって有利であり、その他の遊技状態では第２経路を遊技媒体が流下した方が遊技者にとって有利である構成を採用してもよい。
【００９４】
図３は、主基板（遊技制御基板）３１における回路構成の一例を示すブロック図である。なお、図３は、払出制御基板３７および演出制御基板８０等も示されている。主基板３１には、プログラムにしたがってパチンコ遊技機１を制御する遊技制御用マイクロコンピュータ（遊技制御手段に相当）５６０が搭載されている。遊技制御用マイクロコンピュータ５６０は、ゲーム制御（遊技進行制御）用のプログラム等を記憶するＲＯＭ５４、ワークメモリとして使用される記憶手段としてのＲＡＭ５５、プログラムにしたがって制御動作を行なうＣＰＵ５６およびＩ／Ｏポート部５７を含む。遊技制御用マイクロコンピュータ５６０は、ＲＯＭ５４およびＲＡＭ５５が内蔵された１チップマイクロコンピュータである。遊技制御用マイクロコンピュータ５６０には、さらに、ハードウェア乱数（ハードウェア回路が発生する乱数）を発生する乱数回路５０３が内蔵されている。
【００９５】
また、ＲＡＭ５５は、その一部または全部が電源基板において作成されるバックアップ電源によってバックアップされている不揮発性記憶手段としてのバックアップＲＡＭである。すなわち、遊技機に対する電力供給が停止しても、所定期間（バックアップ電源としてのコンデンサが放電してバックアップ電源が電力供給不能になるまで）は、ＲＡＭ５５の一部または全部の内容は保存される。特に、少なくとも、遊技状態すなわち遊技制御手段の制御状態に応じたデータ（特別図柄プロセスフラグ等）と未払出賞球数を示すデータは、バックアップＲＡＭに保存される。
【００９６】
なお、遊技制御用マイクロコンピュータ５６０においてＣＰＵ５６がＲＯＭ５４に格納されているプログラムにしたがって制御を実行するので、以下、遊技制御用マイクロコンピュータ５６０（またはＣＰＵ５６）が実行する（または、処理を行なう）ということは、具体的には、ＣＰＵ５６がプログラムにしたがって制御を実行することである。このことは、主基板３１以外の他の基板に搭載されているマイクロコンピュータについても同様である。
【００９７】
乱数回路５０３は、特別図柄の変動表示の表示結果により小当りとするか否か判定するための判定用の乱数を発生するために用いられるハードウェア回路である。乱数回路５０３は、初期値（たとえば、０）と上限値（たとえば、６５５３５）とが設定された数値範囲内で、数値データを、設定された更新規則にしたがって更新し、ランダムなタイミングで発生する始動入賞時が数値データの読出（抽出）時であることに基づいて、読出される数値データが乱数値となる乱数発生機能を有する。また、遊技制御用マイクロコンピュータ５６０は、乱数回路５０３が更新する数値データの初期値を設定する機能を有している。
【００９８】
また、ゲートスイッチ３２ａ、第１始動入賞口スイッチ１３ａ、第２始動入賞口スイッチ１４ａ、Ｖ入賞スイッチ８７ａ、Ｖ判定入賞スイッチ１５ａ、および、Ｖ判定排出スイッチ１５ｂのそれぞれからの検出信号を遊技制御用マイクロコンピュータ５６０に与える入力ドライバ回路５８も主基板３１に搭載されている。また、可変入賞球装置１５を開閉するソレノイド１６、大当り可変入賞球装置２０を開閉するソレノイド２１、Ｖ判定入賞装置８７（可動部８７２）を開閉するソレノイド２２、および、Ｖ入賞判定入賞装置８７（領域８７０可動部８７）を開閉するソレノイド２２、Ｖ入賞領域８７０（開閉部材）を開閉するソレノイド２４、および、遊技制御用マイクロコンピュータ５６０からの指令にしたがって駆動する出力回路５９も主基板３１に搭載されている。払出制御基板３７は、球払出装置９７を制御することで、出玉の払出を制御する。
【００９９】
また、遊技制御用マイクロコンピュータ５６０は、特別図柄を変動表示する第１特別図柄表示器８ａ、第２特別図柄表示器８ｂ、普通図柄を変動表示する普通図柄表示器１０、第１特別図柄保留記憶表示器１８ａ、第２特別図柄保留記憶表示器１８ｂおよび普通図柄保留記憶表示器４１の表示制御を行なう。
【０１００】
演出制御基板８０は、演出制御用マイクロコンピュータ１００、ＲＯＭ１０２、ＲＡＭ１０３、ＶＤＰ１０９、および、Ｉ／Ｏポート部１０５等を搭載している。ＲＯＭ１０２は、表示制御等の演出制御用のプログラムおよびデータ等を記憶する。ＲＡＭ１０３は、ワークメモリとして使用される。ＲＯＭ１０２およびＲＡＭ１０３は、演出制御用マイクロコンピュータ１００に内蔵されてもよい。ＶＤＰ１０９は、演出制御用マイクロコンピュータ１００と共動して演出表示装置９の表示制御を行なう。
【０１０１】
演出制御用マイクロコンピュータ１００は、主基板３１から演出制御基板８０の方向への一方向にのみ信号を通過させる中継基板７７を介して、遊技制御用マイクロコンピュータ５６０から演出内容を指示する演出制御コマンドを受信し、演出表示装置９の変動表示制御を行なう他、ランプドライバ基板３５を介して、枠側に設けられている枠ＬＥＤ２８の表示制御、Ｖランプ８７５の表示制御を行なうとともに、音声出力基板７０を介してスピーカ２７からの音出力の制御を行なう等、各種の演出制御を行なう。
【０１０２】
また、演出制御用ＣＰＵ１０１は、スティックコントローラ１２２のトリガボタン１２５に対する遊技者の操作行為を検出したことを示す情報信号としての操作検出信号を、トリガセンサ１２１から、Ｉ／Ｏポート部１０５を介して入力する。また、演出制御用ＣＰＵ１０１は、プッシュボタン１２０に対する遊技者の操作行為を検出したことを示す情報信号としての操作検出信号を、プッシュセンサ１２４から、Ｉ／Ｏポート部１０５を介して入力する。また、演出制御用ＣＰＵ１０１は、スティックコントローラ１２２の操作桿に対する技者の操作行為を検出したことを示す情報信号としての操作検出信号を、傾倒方向センサユニット１２３から、Ｉ／Ｏポート部１０５を介して入力する。また、演出制御用ＣＰＵ１０１は、Ｉ／Ｏポート部１０５を介してバイブレータ用モータ１２６に駆動信号を出力することにより、スティックコントローラ１２２を振動動作させる。
【０１０３】
図４は、各乱数を示す説明図である。図４においては、乱数の種別、更新範囲、用途、および、加算条件が示されている。各乱数は、以下のように使用される。
【０１０４】
（１）ランダムＲ：大当りにするか否か、および、小当りにするか否かを判定する当り判定用のランダムカウンタである。ランダムＲは、１０ＭＨｚで１ずつ更新され、０から加算更新されてその上限である６５５３５まで加算更新された後再度０から加算更新される。（２）ランダム１：大当りの種類（種別、図柄１５Ｒ時短大当り、図柄４Ｒ時短大当り、小当り経由１６（１５）Ｒ時短大当り、小当り経由９（８）Ｒ時短大当り、および、小当り経由５（４）Ｒ時短大当りのいずれかの種別）および大当り図柄を決定する（大当り種別判定用、大当り図柄決定用）。（３）ランダム２：変動パターンの種類（種別）を決定する（変動パターン種別判定用）。（４）ランダム３：変動パターン（変動時間）を決定する（変動パターン判定用）。（５）ランダム４：普通図柄に基づく当りを発生させるか否か決定する（普通図柄当り判定用）。（６）ランダム５：ランダム４の初期値を決定する（ランダム４初期値決定用）。
【０１０５】
この実施の形態では、特定遊技状態である大当りとして、図柄１５Ｒ時短大当り、図柄４Ｒ時短大当り、小当り経由１６（１５）Ｒ時短大当り、小当り経由９（８）Ｒ時短大当り、および、小当り経由５（４）Ｒ時短大当りという複数の種別が含まれている。したがって、当り判定用乱数（ランダムＲ）の値に基づいて、大当りとする決定がされたとき、または、小当りとする決定がされたときには、大当り種別判定用乱数（ランダム１）の値に基づいて、大当りの種別が、これらいずれかの大当り種別に決定される。ただし、小当り経由の大当りの場合は、Ｖ入賞が発生しなければ、決定された大当りは無効となる。さらに、大当りの種別が決定されるときに、同時に大当り種別判定用乱数（ランダム１）の値に基づいて、大当り図柄も決定される。したがって、ランダム１は、大当り図柄決定用乱数でもある。
【０１０６】
また、小当りの種別とすることが決定されるときに、同時に小当り図柄が決定される。したがって、ランダム１は、小当り図柄決定用乱数でもある。
【０１０７】
また、変動パターンは、まず、変動パターン種別判定用乱数（ランダム２）を用いて変動パターン種別を決定し、変動パターン判定用乱数（ランダム３）を用いて、決定した変動パターン種別に含まれるいずれかの変動パターンに決定する。そのように、この実施の形態では、２段階の抽選処理によって変動パターンが決定される。変動パターン種別とは、複数の変動パターンをその変動態様の特徴にしたがってグループ化したものである。変動パターン種別には、１または複数の変動パターンが属している。
【０１０８】
この実施の形態では、変動パターンが、リーチを伴なわない変動パターン種別である通常変動パターン種別と、リーチを伴なう変動パターン種別であるリーチ変動パターン種別とに種別分けされている。
【０１０９】
このような変動パターン種別は、表示結果がはずれとなる場合に、時短状態であるときと、時短状態でないときとで、変動パターン種別の選択割合が異なるように設定されていることにより、時短状態であるときには、時短状態でないときと比べて、変動時間が短縮される。たとえば、時短状態では、時短状態でないときと比べて、変動時間の平均時間を短くするために、所定の変動パターンの変動時間が時短でないときよりも短く設定されたり、変動パターン種別のうち最も変動時間が短い変動パターン種別が選択される割合が高くなり、リーチ種別が選択されるときでも変動パターン種別のうち最も変動時間が短いノーマルリーチの変動パターンが選択される割合が高くなるように設定されたりすることで、時短状態でないときと比べて、変動時間の平均時間が短くなる。
【０１１０】
また、このような変動パターン種別には、小当りとなるときに選択可能な変動パターン種別（たとえば、小当りと関連性がある演出が実行される変動パターン種別等）と、小当りとなるときに選択不可能な変動パターン種別（たとえば、小当りと関連性がない演出が実行される変動パターン種別等）とが含まれている。このような、小当りとなるときに選択可能な変動パターン種別は、特定の演出が実行される変動パターンであり、小当りに関する所定の示唆演出が実行される変動パターンが含まれている。しがって、このような小当りに関する所定の示唆演出が実行される変動パターンが実行されたときには、遊技者の期待感を盛上げることが可能となる。小当りとなるときに選択可能な変動パターン種別は、小当りとなるときと、小当りとならないときとの両方で選択可能であり、小当りとなるときの方が、小当りとならないときよりも選択される割合が高くなるように設定される。これにより、小当りとなるときに選択可能な変動パターン種別であっても、小当りとならないときも生じるので、実行される変動パターンの種別から小当りとなることが遊技者に予め認知されてしまうことがないようにすることができる。一方、小当りとなるときに選択不可能な変動パターン種別は、たとえば、小当りを経由せずに直接大当りとなることを示唆するような小当りと関連性がない演出がされる変動パターン等であり、小当りとなるときに選択不可能とすることにより、変動パターンの演出と、表示結果との関連性が複雑化しないようにすることができる。なお、小当りとなるときに選択可能な変動パターンは、Ｖ判定入賞装置８７の開放制御との対応関係に基づいて、特定の変動時間に設定されたものが選択されるように設定されている。このような小当りに関する所定の示唆演出が実行される変動パターンが、小当りとなるときに実行可能となるようにすれば、変動表示時における遊技者の小当りへの期待感を高めることができる。さらに、大当りを得るために所定期間内にＶ判定入賞装置８７へ遊技球を進入させる必要があるという、小当り遊技状態特有の遊技に遊技者が容易に対応可能な状態となることにより、遊技者がＶ判定入賞装置８７へ遊技球を進入させる有利状態を逃がしにくいようにすることが可能となる。
【０１１１】
また、小当りとなるときに選択可能な変動パターンは、特定の変動時間に限定されないものとしてもよい。また、小当りとなるときに選択可能な変動パターンは、小当りに関する所定の示唆演出が実行されるものでなくてもよい。また、小当りとなるときと、はずれとなるときと、大当りとなるときとで、変動パターンを分けて設けてもよい。また、変動パターンは、小当りとなるときと、はずれとなるときと、大当りとなるときとで、変動パターンを分けず、いずれの変動表示結果となるときにも、選択対象の変動パターンの種類の範囲が同じとなるようにしてもよい。
【０１１２】
また、変動パターン種別と変動パターンとを別々に設定し、２段階の抽選処理によって変動パターンを決定するのではなく、変動パターン種別を設けずに変動パターン判定用乱数のみを用いて、１段段階で変動パターンを決定するようにしてもよい。
【０１１３】
図５は、第１特図当り判定テーブル、第２特図当り判定テーブル、および、各種大当り種別判定テーブルを示す説明図である。これらテーブルは、ＲＯＭ５４に記憶されている。
【０１１４】
図５（Ａ）は、第１特図当り判定テーブルを示す説明図である。第１特図当り判定テーブルは、第１特別図柄について大当り判定をするためのデータテーブルであって、ランダムＲと比較される大当り判定値が設定されているテーブルである。図５（Ａ）に示す「確率」は、大当りになる確率（割合）を示す。
【０１１５】
図５（Ｂ）は、第２特図当り判定テーブルを示す説明図である。第２特図当り判定テーブルは、第２特別図柄について大当り判定および小当り判定をするためのデータテーブルであって、ランダムＲと比較される大当り判定値、および、小当り判定値が設定されているテーブルである。図５（Ｂ）における上段が大当り判定テーブル部であり、図５（Ｂ）における下段が、小当り判定テーブル部である。図５（Ｂ）上段に示す「確率」は、大当りになる確率（割合）を示す、図５（Ｂ）下段に示す「確率」は、小当りになる確率（割合）を示す。
【０１１６】
ＣＰＵ５６は、第１始動入賞口１３への始動入賞（第１始動入賞）、または、第２始動入賞口１４への始動入賞（第２始動入賞）が検出されると、所定のタイミングで、乱数回路５０３のカウント値（ランダムＲ）を抽出する。第１始動入賞については、抽出値を第１特図当り判定テーブルに設定された大当り判定値と比較し、抽出値がいずれかの大当り判定値と一致すると、第１特別図柄に関して大当りにすることに決定する。第２始動入賞については、抽出値を第２特図当り判定テーブルに設定された大当り判定値と比較し、抽出値がいずれかの大当り判定値と一致すると、第２特別図柄に関して大当りにすることに決定する。そして、抽出値がいずれかの大当り判定値と一致しないときは、抽出値を第２特図当り判定テーブルに設定された小当り判定値と比較し、抽出値がいずれかの小当り判定値と一致すると、第２特別図柄に関して小当りにすることに決定する。小当りにすることに決定することは、小当り経由の大当りにすることに仮決定（小当り中にＶ入賞が生じなければ大当りに制御されないため、仮決定と記載する）することも意味する。
【０１１７】
なお、大当りにするか否か決定するということは、大当り遊技状態に移行させるか否か決定するということであるが、第１特別図柄または第２特別図柄の変動表示による停止図柄を大当り図柄にするか否か決定するということでもある。また、小当りにするか否か決定するということは、小当り遊技状態に移行させるか否か決定するということであるが、第２特別図柄の変動表示による停止図柄を小当り図柄にするか否か決定するということでもある。
【０１１８】
なお、第１特別図柄については、小当りとする判定がされないように設定されているが、第１特別図柄について、所定の確率で小当りとする判定がされるように設定してもよい。
【０１１９】
図５（Ｃ），（Ｄ），（Ｅ）は、ＲＯＭ５４に記憶されている大当り種別判定テーブルを示す説明図である。図５（Ｃ）は、第１特別図柄により大当りと判定されたときの図柄大当りの大当り種別を決定するために用いる第１特図大当り種別判定テーブルである。図５（Ｄ）は、第２特別図柄により大当りと判定されたときの図柄大当りの大当り種別を決定するために用いる第２特図大当り種別判定テーブルである。
【０１２０】
図５（Ｃ）の第１特図大当り種別判定テーブルには、大当り種別判定用のランダム１の値と比較される数値であって、「図柄１５Ｒ時短大当り」と「図柄４Ｒ時短大当り」とのそれぞれに対応した大当り判定値が設定されている。図５（Ｄ）の第２特別図柄大当り種別判定テーブルには、ランダム１の値と比較される数値であって、「図柄１５Ｒ時短大当り」に対応した大当り判定値が設定されている。
【０１２１】
また、図５（Ｃ），（Ｄ）に示すように、大当り種別判定値は、第１特別図柄および第２特別図柄の大当り図柄を決定する判定値（大当り図柄判定値）としても用いられる。たとえば、「８Ｒ時短大当り」に対応した判定値は、大当り図柄の「３」に対応した判定値としても設定されている。「１５Ｒ時短大当り」に対応した判定値は、大当り図柄の「７」に対応した判定値としても設定されている。
【０１２２】
このような各種の大当り種別判定テーブルを用いて、ＣＰＵ５６は、大当り種別として、ランダム１の値が一致した大当り種別判定値に対応する種別を決定するともに、大当り図柄として、ランダム１の値が一致した大当り図柄を決定する。これにより、大当り種別と、大当り種別に対応する大当り図柄とが同時に決定される。
【０１２３】
図５（Ｅ）の小当り経由大当り種別判定テーブルには、大当り種別判定用のランダム１の値と比較される数値であって、「小当り経由１６（１５）Ｒ時短大当り」と「小当り経由９（８）Ｒ時短大当り」と「小当り経由５（４）Ｒ時短大当り」とのそれぞれに対応した大当り判定値が設定されている。ただし、小当り経由大当り種別判定テーブルで決定される大当り種別は、第１小当り（１６（１５）Ｒ時短大当りとなるもの）、第２小当り（９（８）Ｒ時短大当りとなるもの）、第３小当り（５（４）Ｒ時短大当りとなるもの）のそれぞれに紐付けられた仮の大当り種別であり、小当り遊技状態においてＶ入賞が発生しなければ無効となる。
【０１２４】
図２および図５に示すように、時短状態（高ベース状態）に制御される変動表示の回数が異なる、第１時短状態（変動表示１回〜５回）、および、第２時短状態（変動表示７回〜１１回）のような複数種類の時短状態が存在することにより、時短状態での遊技がバラエティに富み、遊技の興趣が向上する。
【０１２５】
次に、各種大当りの大当り遊技状態の終了後に制御される時短状態における第１特別図柄および第２特別図柄の変動表示の実行態様を説明する。ここでは、図柄４Ｒ時短大当りの大当り遊技状態の終了後に制御される時短状態を代表例として説明する。図６は、図柄４Ｒ時短大当りの大当り遊技状態の終了後に制御される時短状態における第１特別図柄および第２特別図柄の変動表示の実行態様の一例を表形式で示す図である。
【０１２６】
４Ｒ時短大当りの大当り遊技状態の終了後に、比較的少ない変動表示回数（１回〜５回）に亘り時短状態に制御される第１時短状態のときの第１特別図柄および第２特別図柄の変動表示については、大当り遊技状態の発生前に第１保留記憶が存在していた場合と、大当り遊技状態の発生前に第１保留記憶が存在していない場合とを比較すると、図６（Ａ），（Ｂ）に示すように、大当り遊技状態の終了後の時短状態における第１特別図柄および第２特別図柄の変動表示の実行バランス態様が異なる。
【０１２７】
図６（Ａ）には、時短状態制御開始時に第１保留記憶が１個ある場合の第１特別図柄および第２特別図柄の変動表示例が示されている。図６（Ｂ）には、時短状態制御開始時に第１保留記憶がない場合の第１特別図柄および第２特別図柄の変動表示例が示されている。
【０１２８】
パチンコ遊技機１においては、第１保留記憶または第２保留記憶が存在している状態で大当り遊技状態に制御されると、大当り遊技状態への制御前において存在していた保留記憶は、大当り遊技状態中において記憶状態が継続されて大当り遊技状態の終了後まで持ち越され、大当り遊技状態の終了後において、変動表示に用いられる。
【０１２９】
図６（Ａ）に示すように、４Ｒ時短大当りの大当り遊技状態終了後における第１時短状態の開始時において、大当り遊技状態への制御前において第１保留記憶が存在していたときには、優先的に実行させるべき第２特別図柄の変動表示のための第２始動入賞（第２始動入賞口１４への遊技球の始動入賞）がまだされていないので、時短状態においては、まず、１回目の変動表示として、大当り遊技状態の発生前から持ち越された第１保留記憶に基づく第１特別図柄の変動表示が実行される。８Ｒ時短大当りの大当り遊技状態終了後における時短状態は、右打ちがなされてゲート３２および第２始動入賞口１４に遊技球を進入させる遊技が行なわれるので、その後、図６（Ａ）に示すように、第２始動入賞に基づく第２特別図柄の変動表示が実行され得る。
【０１３０】
時短状態の開始後、第２始動入賞が発生するまでの間においては、第１保留記憶が存在するときに、その保留記憶に基づき第１特別図柄の変動表示が実行される。図６（Ａ）では、時短状態の開始後、第２始動入賞が発生するまでの間において、大当り遊技状態への制御前において存在していた１個の第１保留記憶に基づき第１特別図柄の変動表示が１回実行された例が示されている。図６（Ａ）では、時短状態の開始後、２回目に第２始動入賞に基づく変動表示が１回実行されたことに基づいて、時短状態の開始後、２回目の変動表示において時短制御が終了した例が示されている。
【０１３１】
第２始動入賞口１４への始動入賞については、前述のように４個の保留記憶が可能である。したがって、第１時短状態の開始後、たとえば第２始動入賞に基づく変動表示の１回の実行が終了するまでの間に実行される電サポ状態での可変入賞球装置１５の開放制御状態中において、図６（Ａ）に示すように、最大限４個の第２保留記憶が生じ得る。この実施の形態では、第１時短状態の場合は、第２保留記憶が溜まりやすいように、変動表示時間がある程度長い変動表示が、１回目の第２始動入賞に基づいて実行される。なお、そのように変動表示時間がある程度長い変動表示は実行しないようにしてもよい。
【０１３２】
その後、第２始動入賞に基づく変動表示の１回の実行が終了するまでの間に、第２保留記憶が記憶されているときには、たとえば図６（Ａ）の３回目〜６回目の第２特別図柄の変動表示欄に示すように、最大限４個の第２保留記憶に基づく変動表示が実行され、約１／７の当選確率の小当り抽選が第２保留記憶数分だけ実行可能となる。これにより、第１時短状態が終了しても、第１時短状態中に生じた第２保留記憶に基づく小当り経由の大当り発生について、遊技者の期待感を高めることができる。
【０１３３】
一方、図６（Ｂ）に示すように、時短状態の開始時において、大当り遊技状態への制御前において第１保留記憶が存在していないときには、４Ｒ時短大当りの大当り遊技状態終了後における時短状態で、右打ちがなされてゲート３２および第２始動入賞口１４に遊技球を進入させる遊技が行なわれ、第１始動入賞口１３には遊技球が進入し得ない遊技状態となるので、図６（Ｂ）に示すように、１回目の変動表示から第２始動入賞に基づく第２特別図柄の変動表示が実行され得る。この場合においても、図６（Ａ）の保留記憶ありの場合と同様に、図６（Ｂ）に示すような最大限４個の第２保留記憶が生じ得る。これにより、第１時短状態が終了しても、第１時短状態中に生じた第２保留記憶に基づく小当り経由の大当り発生について、遊技者の期待感を高めることができる。
【０１３４】
４Ｒ時短大当りの大当り遊技状態終了後における第１時短状態の終了条件は、前述のように、第２特別図柄の変動表示が１回実行されたか、または、第１特別図柄および第２特別図柄の変動表示が合計５回実行されたときに成立する。
【０１３５】
図６（Ａ）のように、時短状態の開始時において、当該開始時に存在していた１個の第１保留記憶に基づく第１特別図柄の変動表示が１回実行された後、２回目に第２特別図柄の変動表示が実行された場合には、２回目の変動表示が実行されることにより、第２特別図柄の変動表示回数が１回実行されたことにより、終了条件が成立し、第１時短状態の制御が終了される。
【０１３６】
図６（Ｂ）のように、時短状態の開始時において、当該開始時に第１保留記憶が存在せず、１回目から第２特別図柄の変動表示が実行された場合には、１回目の変動表示において第２特別図柄の変動表示回数が１回実行されたことにより、時短状態の終了条件が成立し、時短状態の制御が終了される。
【０１３７】
４Ｒ時短大当りの大当り遊技状態終了後における第１時短状態の終了条件が、第２特別図柄の変動表示回数が１回実行されたか、または、第１特別図柄および第２特別図柄の変動表示の合計回数が５回実行されたときに成立するように設定されている。これにより、たとえば、図６（Ａ）に示すように、第１時短状態の開始時において第１保留記憶が存在しても、第１時短状態において、第１特別図柄の変動表示よりも遊技者にとって有利な第２特別図柄の変動表示が、第１時短状態の開始時において第１保留記憶が存在しない場合と同じ回数（１回）実行されたことにより、第１時短状態が終了する。
【０１３８】
また、たとえば、第１時短状態の開始時において最大４個の第１保留記憶が存在しても、第１時短状態において、その４個の保留記憶に基づく第１特別図柄の変動表示が実行された後、第１時短状態の開始時において第１保留記憶が存在しない場合と同じ回数（１回）実行されたことにより、第１時短状態が終了する。
【０１３９】
このように、４Ｒ時短大当りの大当り遊技状態終了後における第１時短状態の終了条件が、第２特別図柄の変動表示回数が１回実行されたか、または、第１特別図柄および第２特別図柄の変動表示の合計回数が５回実行されたときに成立するように設定されていることにより、第１時短状態の開始時における第１特別図柄の保留記憶があるときと、ないときとで、第１時短状態の制御期間中において、遊技者にとって有利な第２特別図柄の変動表示の実行可能回数が同じ回数となり得るので、時短状態（高ベース状態）における遊技者にとっての有利不利に差が出ることを防止し、遊技の公平性を担保することができる。
【０１４０】
図５、図６等に示すように、第１特別図柄および第２特別図柄の合計変動表示回数により規定される第１時短状態の終了条件が、第１保留記憶による変動表示が行なわれる最大回数（４回）と、第２特別図柄について予め定められた変動表示が実行される特定回数（１回）との合計回数に設定されているので、第１時短状態において、第１保留記憶による変動表示がある程度の回数行なわれても、第１保留記憶によって遊技者にとって有利不利に差が出ることを防止し、遊技の公平性を担保できる。
【０１４１】
また、図柄４Ｒ時短大当り以外の大当り種別については、前述した図柄４Ｒ時短大当りにおける時短状態での最小変動表示回数「１」を「７」に置換え、前述した図柄４Ｒ時短大当りにおける時短状態での最大変動表示回数「５」を「１１」に置換えたものである。したがって、図柄４Ｒ時短大当り以外の大当り種別でも、８Ｒ時短大当りの場合と同様に、図柄４Ｒ時短大当りの大当り遊技状態終了後の第１時短状態の開始時における第１特別図柄の保留記憶数の有無および多少にかかわらず、同じ７回という第２特別図柄の変動表示が実行されるまで、第２時短状態が継続する。これにより、図柄４Ｒ時短大当り以外の大当り種別については、前述した図柄４Ｒ時短大当りについて得られる効果と同様の効果を得ることができる。
【０１４２】
図６に示すように、大当り後の時短（電サポ）回数が比較的少ない回数に設定される場合には、前述したように、大当り遊技状態終了直後の第１保留記憶の数によって遊技者に不利となるような時短（電サポ）回数とならないようにすることが好ましい。
【０１４３】
図７および図８は、遊技制御用マイクロコンピュータ５６０が送信する演出制御コマンドの内容の一例を示す説明図である。図７および図８においては、演出制御コマンドについて具体的なコマンドデータと、コマンドの名称およびコマンドの指定内容との関係が示されている。遊技制御用マイクロコンピュータ５６０においては、図７および図８に示すように、遊技制御状態に応じて、各種の演出制御コマンドを演出制御用マイクロコンピュータ１００へ送信する。
【０１４４】
図７および図８のうち、主なコマンドを説明する。コマンド８０ＸＸ（Ｈ）は、特別図柄の変動表示に対応して演出表示装置９において変動表示される変動パターンを指定する演出制御コマンド（変動パターンコマンド）である（それぞれ変動パターンＸＸに対応）。複数の変動パターンのそれぞれに対して一意な番号を付した場合に、その番号で特定される変動パターンのそれぞれに対応する変動パターンコマンドがある。「（Ｈ）」は１６進数であることを示す。また、変動パターンを指定する演出制御コマンドは、変動開始を指定するためのコマンドでもある。したがって、演出制御用ＣＰＵ１０１は、コマンド８０ＸＸ（Ｈ）を受信すると、演出表示装置において特別図柄の変動表示に対応した演出を開始するように制御する。
【０１４５】
コマンド８Ｃ０１（Ｈ）〜８Ｃ０６（Ｈ）は、はずれ表示結果、大当り種別、小当り種別（小当り経由１６（１５）Ｒ時短大当り、小当り経由９（８）Ｒ時短大当り、および、小当り経由５（４）Ｒ時短大当り）ごとの大当り表示結果、および小当り表示結果を含む表示結果を示す表示結果指定コマンドである。
【０１４６】
コマンド８Ｄ０１（Ｈ）は、第１特別図柄の変動表示を開始することを示す第１図柄変動指定コマンドである。コマンド８Ｄ０２（Ｈ）は、第２特別図柄の変動表示を開始することを示す第２図柄変動指定コマンドである。コマンド８Ｆ００（Ｈ）は、第１，第２特別図柄の変動を終了することを指定する図柄確定指定コマンドである。
【０１４７】
コマンドＡ００１〜Ａ００５（Ｈ）は、大当りの種別ごとに大当り遊技状態の開始を指定する当り開始指定コマンドである。
【０１４８】
コマンドＡ１ＸＸ（Ｈ）は、ＸＸで示す回数目（ラウンド）の大入賞口開放中の表示を示す大入賞口開放中指定コマンドである。Ａ２ＸＸ（Ｈ）は、ＸＸで示す回数目（ラウンド）の大入賞口開放後（閉鎖）を示す大入賞口開放後指定コマンドである。
【０１４９】
コマンドＡ３０１〜Ａ３０５（Ｈ）は、大当りの種別ごとに大当り遊技状態の終了を指定する当り終了指定コマンドである。
【０１５０】
コマンドＡ４０１（Ｈ）は、第１始動入賞があったことを指定する第１始動入賞指定コマンドである。コマンドＡ４０２（Ｈ）は、第２始動入賞があったことを指定する第２始動入賞指定コマンドである。
【０１５１】
コマンドＢ０００（Ｈ）は、遊技状態が通常状態（低ベース状態）であることを指定する通常状態指定コマンドである。コマンドＢ００１（Ｈ）は、遊技状態が第１時短状態（高ベース状態）であることを指定する第１時短状態指定コマンドである。コマンドＢ００２（Ｈ）は、遊技状態が第２時短状態（高ベース状態）であることを指定する第２時短状態指定コマンドである。
【０１５２】
コマンドＣ０ＸＸ（Ｈ）は、第１保留記憶数を指定する第１保留記憶数指定コマンドである。コマンドＣ０ＸＸ（Ｈ）における「ＸＸ」が第１保留記憶数を示す。コマンドＣ１ＸＸ（Ｈ）は、第２保留記憶数を指定する第２保留記憶数指定コマンドである。コマンドＣ０ＸＸ（Ｈ）における「ＸＸ」が第２保留記憶数を示す。
【０１５３】
なお、この実施の形態では、遊技制御用マイクロコンピュータ５６０は、保留記憶数を減算する場合には、減算後の保留記憶数を指定する保留記憶数指定コマンドを送信するが、これに限らず、第１保留記憶数および第２保留記憶数のそれぞれについて、保留記憶数を１減算することを指定する保留記憶数減算指定コマンドを用いてもよい。
【０１５４】
コマンドＣ２ＸＸ（Ｈ）およびコマンドＣ３ＸＸ（Ｈ）は、第１始動入賞口１３または第２始動入賞口１４への始動入賞時における大当り判定、大当り種別判定、変動パターン種別判定等の入賞時判定結果の内容を示す演出制御コマンドである。このうち、コマンドＣ２ＸＸ（Ｈ）は、入賞時判定結果のうち、大当りとなるか否か、小当りとなるか否か、および、大当りの種別の判定結果を示す図柄指定コマンドである。また、コマンドＣ３ＸＸ（Ｈ）は、入賞時判定結果のうち、変動パターン種別判定用乱数の値がいずれの判定値の範囲となるかの判定結果（変動パターン種別の判定結果）を示す変動種別コマンドである。
【０１５５】
コマンドＣ４０１（Ｈ）は、第１小当りを開始することを指定するコマンドである。コマンドＣ４０２（Ｈ）は、第２小当りを開始することを指定するコマンドである。コマンドＣ４０３（Ｈ）は、第３小当りを開始することを指定するコマンドである。コマンドＣ５０１（Ｈ）は、第１小当りを開始することを指定するコマンドである。コマンドＣ５０２（Ｈ）は、第２小当りを開始することを指定するコマンドである。コマンドＣ５０３（Ｈ）は、第３小当りを開始することを指定するコマンドである。コマンドＣ６０１（Ｈ）は、Ｖ入賞があったことを指定するＶ入賞指定コマンドである。コマンドＣ６０２（Ｈ）は、Ｖ判定入賞装置８７への入賞球（Ｖ入賞球とＶ入賞球以外の入賞球との両方を含む）を検出したことを指定するＶ入賞球検出指定コマンドである。
【０１５６】
遊技制御用マイクロコンピュータ５６０においては、ＲＡＭ５５に、第１特別図柄の保留記憶（第１保留記憶）を記憶するための第１保留記憶バッファが設けられている。第１保留記憶バッファには、第１保留記憶数の上限値（この例では４）に対応した保存領域が確保されている。第１保留記憶バッファには、ハードウェア乱数である大当り判定用乱数（ランダムＲ）、および、ソフトウェア乱数である大当り種別決定用乱数（ランダム１）、変動パターン種別判定用乱数（ランダム２）、および、変動パターン判定用乱数（ランダム３）が記憶される。なお、ランダムＲ〜ランダム３は、これらに基づいて変動表示が実行されるので、変動表示に関する情報である。
【０１５７】
第２特別図柄については、ＲＡＭ５５に、第２特別図柄の保留記憶（第２保留記憶）を記憶するための第２保留記憶バッファが設けられている。第２保留記憶バッファには、第２保留記憶数の上限値（この例では４）に対応した保存領域が確保されている。第２保留記憶バッファには、ハードウェア乱数である大当り判定用乱数（ランダムＲ）、および、ソフトウェア乱数である大当り種別決定用乱数（ランダム１）、変動パターン種別判定用乱数（ランダム２）、および、変動パターン判定用乱数（ランダム３）が記憶される。
【０１５８】
第１始動入賞（第１始動入賞口１３への入賞）に基づいて、ＣＰＵ５６は、乱数回路５０３およびソフトウェア乱数を生成するためのランダムカウンタのそれぞれから乱数値（ランダムＲ〜ランダム３）を抽出し、それらを、第１保留記憶バッファにおける保存領域に保存（格納）する処理を実行する。具体的に、第１始動入賞に基づいて、これら乱数値が抽出されて第１保留記憶バッファに保存(記憶)される。また、第２始動入賞（第２始動入賞口１４への入賞）に基づいて、ＣＰＵ５６は、乱数回路５０３およびソフトウェア乱数を生成するためのランダムカウンタのそれぞれから乱数値（ランダムＲ〜ランダム３）を抽出し、それらを、第２保留記憶バッファにおける保存領域に保存（格納）する処理を実行する。具体的に、第２始動入賞に基づいて、これら乱数値が抽出されて第２保留記憶バッファに保存(記憶)される。
【０１５９】
このように保留記憶バッファに前記乱数値（変動表示に関する情報）が記憶されることを上記のように「保留記憶される」と示す場合がある。なお、変動パターン種別判定用乱数（ランダム２）および変動パターン判定用乱数（ランダム３）は、始動入賞時において抽出して保留記憶バッファに予め格納しておくのではなく、後述する変動パターン設定処理（特別図柄の変動開始時）に抽出するようにしてもよい。
【０１６０】
次に、パチンコ遊技機１の動作について説明する。パチンコ遊技機１においては、主基板３１における遊技制御用マイクロコンピュータ５６０が予め定められたメイン処理を実行すると、所定時間（たとえば２ｍｓ）毎に定期的にタイマ割込がかかりタイマ割込処理が実行されることにより、各種の遊技制御が実行可能となる。
【０１６１】
メイン処理においては、たとえば、必要な初期設定処理、通常時の初期化処理、通常時以外の遊技状態復旧処理、乱数回路設定処理（乱数回路５０３を初期設定）、表示用乱数更新処理（変動パターンの種別決定、変動パターン決定等の各種乱数の更新処理）、および、初期値用乱数更新処理（普通図柄当り判定用乱数発生カウンタのカウント値の初期値の更新処理）等が実行される。
【０１６２】
図９は、タイマ割込処理を示すフローチャートである。タイマ割込が発生すると、ＣＰＵ５６は、図９に示すステップＳ（以下、単に「Ｓ」と示す）２０〜Ｓ３４のタイマ割込処理を実行する。タイマ割込処理において、まず、電源断信号が出力されたか否か（オン状態になったか否か）を検出する電源断検出処理を実行する（Ｓ２０）。次いで、入力ドライバ回路５８を介して、ゲートスイッチ３２ａ、第１始動入賞口スイッチ１３ａ、第２始動入賞口スイッチ１４ａ、カウントスイッチ２３、Ｖ入賞スイッチ８７ａ、Ｖ判定入賞スイッチ１５ａ、および、Ｖ判定排出スイッチ１５ｂの検出信号を入力し、それらの状態判定を行なう（スイッチ処理：Ｓ２１）。
【０１６３】
次に、ＣＰＵ５６は、第１特別図柄表示器８ａ、第２特別図柄表示器８ｂ、普通図柄表示器１０、第１特別図柄保留記憶表示器１８ａ、第２特別図柄保留記憶表示器１８ｂ、普通図柄保留記憶表示器４１の表示制御を行なう表示制御処理を実行する（Ｓ２２）。第１特別図柄表示器８ａ、第２特別図柄表示器８ｂおよび普通図柄表示器１０については、Ｓ３２，Ｓ３３で設定される出力バッファの内容に応じて各表示器に対して駆動信号を出力する制御を実行する。
【０１６４】
また、遊技制御に用いられる普通図柄当り判定用乱数および大当り種別判定用乱数等の各判定用乱数を生成するための各カウンタのカウント値を更新する処理を行なう（判定用乱数更新処理：Ｓ２３）。ＣＰＵ５６は、さらに、初期値用乱数および表示用乱数を生成するためのカウンタのカウント値を更新する処理を行なう（初期値用乱数更新処理，表示用乱数更新処理：Ｓ２４，Ｓ２５）。
【０１６５】
さらに、ＣＰＵ５６は、特別図柄プロセス処理を行なう（Ｓ２６）。特別図柄プロセス処理では、第１特別図柄表示器８ａ、第２特別図柄表示器８ｂおよび大入賞口を所定の順序で制御するための特別図柄プロセスフラグにしたがって該当する処理を実行し、特別図柄プロセスフラグの値を、遊技状態に応じて更新する。
【０１６６】
次いで、普通図柄プロセス処理を行なう（Ｓ２７）。普通図柄プロセス処理では、ＣＰＵ５６は、普通図柄表示器１０の表示状態を所定の順序で制御するための普通図柄プロセスフラグにしたがって該当する処理を実行し、普通図柄プロセスフラグの値を、遊技状態に応じて更新する。
【０１６７】
また、ＣＰＵ５６は、演出制御用マイクロコンピュータ１００に演出制御コマンドを送出する処理を行なう（演出制御コマンド制御処理：Ｓ２８）。さらに、ＣＰＵ５６は、たとえばホール管理用コンピュータに供給される大当り情報、始動情報、確率変動情報等のデータを出力する情報出力処理を行なう（Ｓ２９）。
【０１６８】
また、ＣＰＵ５６は、第１始動入賞口スイッチ１３ａ、第２始動入賞口スイッチ１４ａおよび役物入賞スイッチ２５ａの検出信号に基づく賞球個数の設定等を行なう賞球処理を実行する（Ｓ３０）。
【０１６９】
この実施の形態では、出力ポートの出力状態に対応したＲＡＭ領域（出力ポートバッファ）が設けられているのであるが、ＣＰＵ５６は、出力ポートの出力状態に対応したＲＡＭ領域におけるソレノイドのオン／オフに関する内容を出力ポートに出力する（Ｓ３１：出力処理）。
【０１７０】
また、ＣＰＵ５６は、特別図柄プロセスフラグの値に応じて特別図柄の演出表示を行なうための特別図柄表示制御データを特別図柄表示制御データ設定用の出力バッファに設定する特別図柄表示制御処理を行なう（Ｓ３２）。
【０１７１】
さらに、ＣＰＵ５６は、普通図柄プロセスフラグの値に応じて普通図柄の演出表示を行なうための普通図柄表示制御データを普通図柄表示制御データ設定用の出力バッファに設定する普通図柄表示制御処理を行なう（Ｓ３３）。また、ＣＰＵ５６は、出力バッファに設定された表示制御データに応じて、Ｓ２２において駆動信号を出力することによって、普通図柄表示器１０における普通図柄の演出表示を実行する。
【０１７２】
その後、割込許可状態に設定し（Ｓ３４）、処理を終了する。以上の制御によって、この実施の形態では、遊技制御処理は所定時間毎に起動されることになる。
【０１７３】
図１０は、特別図柄プロセス処理（Ｓ２６）を示すフローチャートである。特別図柄プロセス処理では第１特別図柄表示器８ａまたは第２特別図柄表示器８ｂおよび大入賞口を制御するための処理が実行される。特別図柄プロセス処理においては、始動口スイッチ通過処理を実行する（Ｓ３１１）。そして、内部状態に応じて、Ｓ３００〜Ｓ３１０のうちのいずれかの処理を行なう。
【０１７４】
遊技制御用マイクロコンピュータ５６０において、ＲＡＭ５５には、前述したように、第１始動入賞口１３への始動入賞に基づいて得られるランダムＲ等の乱数値が記憶される第１保留記憶バッファと、第２始動入賞口１４への始動入賞に基づいて得られるランダムＲ等の乱数値が記憶される第２保留記憶バッファとが設けられている。これら各保留記憶バッファには、各保留記憶の記憶数の上限値（第１保留記憶では４、第２保留記憶では４）に対応した保存領域が確保されている。なお、第１保留記憶バッファに記憶されるランダムＲ等の乱数値の数値データを第１保留記憶データ、第２保留記憶バッファに記憶されるランダムＲ等の乱数値の数値データを第２保留記憶データともいう。また、第１保留記憶データ及び第２保留記憶データを総称して単に保留記憶データとも呼ぶ。
【０１７５】
始動口スイッチ通過処理では、第１始動口スイッチ１３ａがオンしていれば、第１保留記憶数が上限値（たとえば、４）に達していないことを条件として、第１保留記憶データの記憶数を計数する第１保留記憶数カウンタの値を１増やし、乱数回路５０３やソフトウェア乱数を生成するためのカウンタから数値データ（たとえば、大当り判定用乱数、変動パターン種別判定用乱数、および、変動パターン判定用乱数）（ランダムＲ〜ランダム３）を抽出し、それらを、第１保留記憶データとして、第１保留記憶バッファにおける保存領域に保存（格納）する処理を実行する。一方、第２始動口スイッチ１４ａがオンしていれば、第２保留記憶数が上限値（たとえば、４）に達していないことを条件として、第２保留記憶データの記憶数を計数する第２保留記憶数カウンタの値を１増やし、乱数回路５０３やソフトウェア乱数を生成するためのカウンタから数値データ（たとえば、大当り判定用乱数、変動パターン種別判定用乱数、および、変動パターン判定用乱数）（ランダムＲ〜ランダム３）を抽出し、それらを、第２保留記憶データとして、第２保留記憶バッファにおける保存領域に保存（格納）する処理を実行する。
【０１７６】
第１保留記憶バッファまたは第２保留記憶バッファに前述のような変動表示に関する情報（第１保留記憶データまたは第２保留記憶データ）が記憶されることを上記のように「保留記憶される」と示す場合がある。
【０１７７】
Ｓ３００〜Ｓ３０７の処理は、以下のような処理である。
特別図柄通常処理（Ｓ３００）は、変動表示の表示結果を小当りとするか否かの決定、および、小当りとする場合の小当り種別（小当り経由の大当りの種別）の決定等を行なう処理である。変動パターン設定処理（Ｓ３０１）は、変動パターンの決定および変動時間タイマの計時開始等の制御を行なう処理である。
【０１７８】
表示結果指定コマンド送信処理（Ｓ３０２）は、演出制御用マイクロコンピュータ１００に、表示結果指定コマンドを送信する制御を行なう処理である。特別図柄変動中処理（Ｓ３０３）は、変動パターン設定処理で選択された変動パターンの変動時間が経過すると、特別図柄停止処理にプロセスを進める処理である。特別図柄停止処理（Ｓ３０４）は、決定された変動パターンに対応する変動時間の経過が変動時間タイマにより計時されたときに第１特別図柄表示器８ａまたは第２特別図柄表示器８ｂにおける変動表示を停止して停止図柄を導出表示させる処理である。
【０１７９】
大入賞口開放前処理（Ｓ３０５）は、大当り遊技状態となったときに、大当り可変入賞球装置２０において大入賞口を開放する制御等を行なう処理である。大入賞口開放中処理（Ｓ３０６）は、大当り遊技状態中のラウンド表示の演出制御コマンドを演出制御用マイクロコンピュータ１００に送信する制御や大入賞口の閉成条件の成立を確認する処理等を行なう処理である。大入賞口の閉成条件が成立し、かつ、まだ残りラウンドがない場合には、大当り終了処理に移行する。大当り終了処理（Ｓ３０７）は、大当り遊技状態の終了時の表示制御を演出制御用マイクロコンピュータ１００に行なわせるための制御等を行なう処理である。
【０１８０】
小当り開放前処理（Ｓ３０８）は、小当り遊技状態となったときに、Ｖ判定入賞装置８７において作動口を開放する制御等を行なう処理である。小当り開放中処理（Ｓ３０９）は、Ｖ判定入賞装置８７内のＶ入賞領域８７０に遊技球がＶ入賞したか否かを確認し、Ｖ入賞したときにＶ入賞指定コマンドを送信する処理、および、小当りの終了タイミングとなったときに小当り終了指定コマンドを送信する処理等の処理を行なう処理である。
【０１８１】
小当り終了処理（Ｓ３１０）は、大当り可変入賞球装置２０内のＶ入賞領域８７０に遊技球がＶ入賞したときに、大当り遊技状態に移行させるための処理（大当り開始指定コマンドの送信、大当り表示時間の設定、大当り開放態様の設定、大入賞口開放前処理のプロセスフラグの移行設定等）を実行し、一方、当該Ｖ入賞がされていないときに、大当り遊技状態に移行させずに、特別図柄通常処理（Ｓ３００）に移行させるための処理を実行する処理である。
【０１８２】
図１１は、Ｓ３１２の始動口スイッチ通過処理を示すフローチャートである。始動口スイッチ通過処理において、ＣＰＵ５６は、まず、第１始動口スイッチ１３ａがオン状態であるか否かを確認する（Ｓ１２１１）。第１始動口スイッチ１３ａがオン状態でなければ、Ｓ１２２１に移行する。第１始動口スイッチ１３ａがオン状態であれば、第１始動入賞を検出したとして、ＣＰＵ５６は、第１保留記憶数が上限値に達しているか否か（具体的には、第１保留記憶数をカウントするための第１保留記憶数カウンタの値が４であるか否か）を確認する（Ｓ１２１２）。第１保留記憶数が上限値に達していれば、Ｓ１２２１に移行する。
【０１８３】
第１保留記憶数が上限値に達していなければ、ＣＰＵ５６は、第１保留記憶数カウンタの値を１増やす（Ｓ１２１３）。次いで、ＣＰＵ５６は、乱数回路５０３やソフトウェア乱数を生成するためのカウンタから値を抽出し、それらを、第１保留記憶バッファにおける保存領域に格納する処理を実行する（Ｓ１２１４）。Ｓ１２１４の処理では、大当り判定用乱数（ランダムＲ）、大当り種別決定用乱数（ランダム１）、変動パターン種別判定用乱数（ランダム２）、および、変動パターン判定用乱数（ランダム３）が抽出され、保存領域に格納される。
【０１８４】
次いで、ＣＰＵ５６は、検出した第１始動入賞に基づく変動がその後実行されたときの変動表示結果や変動パターン種別を始動入賞時に予め判定する入賞時演出処理を実行する（Ｓ１２１５）。
【０１８５】
この実施の形態では、第１始動入賞口１３または第２始動入賞口１４への始動入賞が発生し、当該始動入賞時に得られた各種数値データ（ランダムＲ等）が保留記憶データとして記憶された後、変動表示の開始条件が成立すると、変動表示を開始するタイミングにおいて、特別図柄通常処理（Ｓ３００）で、当該保留記憶データに基づき、変動表示を開始する特別図柄（第１特別図柄または第２特別図柄）について、変動表示結果を大当り表示結果とするか否かの決定、および、大当り種別の決定を、前述した各種乱数値に対応して設定された大当り判定値、および、大当り種別判定値に基づいて行なう。そして、変動パターン設定処理（Ｓ３０１）において変動パターン（変動パターン種別の決定も含む）の決定を、前述した各種乱数値に対応して設定された変動パターン種別判定値、および、変動パターン判定値に基づいて行なう。
【０１８６】
一方、このような決定とは別に、第１始動入賞口１３または第２始動入賞口１４への始動入賞に基づく変動表示が開始される前のタイミング、具体的には、遊技球が第１始動入賞口１３または第２始動入賞口１４に始動入賞したタイミング（保留記憶データが記憶されたタイミング）で、その始動入賞時に得られた保留記憶データを先読みし、その先読みした保留記憶データに基づいて、予め大当りとなるか否かの決定、小当りとなるか否かの決定、大当りの種別の決定、および、変動パターン種別の決定を、前述した各種乱数値に対応して設定された大当り判定値、大当り種別判定値、および、変動パターン種別判定値に基づいて先読み判定する入賞時演出処理を実行する。そのようにすることによって、演出制御用マイクロコンピュータ１００では、演出図柄の変動表示が実行されるよりも前に予め変動表示結果を予測し、始動入賞時の各種判定結果に基づいて、演出図柄の変動表示中に大当りとなること（大当りとなる可能性）を予告する先読み予告等の先読み演出を実行することが可能である。
【０１８７】
そして、ＣＰＵ５６は、入賞時演出処理の判定結果に基づいて、図柄指定コマンドを演出制御用マイクロコンピュータ１００に送信する制御を行なう（Ｓ１２１６）とともに、変動種別コマンドを演出制御用マイクロコンピュータ１００に送信する制御を行なう（Ｓ１２１７）。また、ＣＰＵ５６は、第１始動入賞指定コマンドを演出制御用マイクロコンピュータ１００に送信する制御を行なう（Ｓ１２１８）とともに、第１保留記憶数カウンタの値をＥＸＴデータに設定して第１保留記憶数指定コマンドを演出制御用マイクロコンピュータ１００に送信する制御を行なう（Ｓ１２１９）。
【０１８８】
Ｓ１２１６，Ｓ１２１７の処理を実行することによって、この実施の形態では、遊技状態（高確率状態、低確率状態、高ベース状態、低ベース状態、大当り遊技状態等の遊技状態）にかかわらず、第１始動入賞が発生するごとに、必ず図柄指定コマンドおよび変動種別コマンドの両方が、演出制御用マイクロコンピュータ１００に送信される。
【０１８９】
また、この実施の形態では、Ｓ１２１６〜Ｓ１２１９の処理が実行されることによって、第１始動入賞が発生したときに、図柄指定コマンド、変動種別コマンド、第１始動入賞指定コマンドおよび第１保留記憶数指定コマンドの４つのコマンドのセットが１タイマ割込内に一括して送信される。
【０１９０】
次いで、ＣＰＵ５６は、第２始動口スイッチ１４ａがオン状態であるか否かを確認する（Ｓ１２２１）。第２始動口スイッチ１４ａがオン状態でなければ、そのまま処理を終了する。第２始動口スイッチ１４ａがオン状態であれば、ＣＰＵ５６は、第２始動入賞を検出したとして、第２保留記憶数が上限値に達しているか否か（具体的には、第２保留記憶数をカウントするための第２保留記憶数カウンタの値が４であるか否か）を確認する（Ｓ１２２２）。第２保留記憶数が上限値に達していれば、そのまま処理を終了する。
【０１９１】
第２保留記憶数が上限値に達していなければ、ＣＰＵ５６は、第２保留記憶数カウンタの値を１増やす（Ｓ１２２３）。次いで、ＣＰＵ５６は、乱数回路５０３やソフトウェア乱数を生成するためのカウンタから値を抽出し、それらを、第２保留記憶バッファにおける保存領域に格納する処理を実行する（Ｓ１２２４）。Ｓ１２２４の処理では、大当り判定用乱数（ランダムＲ）、大当り種別決定用乱数（ランダム１）、変動パターン種別判定用乱数（ランダム２）、および、変動パターン判定用乱数（ランダム３）が抽出され、保存領域に格納される。
【０１９２】
次いで、ＣＰＵ５６は、検出された第２始動入賞について、Ｓ１２１５で説明したような入賞時演出処理と同様の入賞時演出処理を実行する（Ｓ１２２５）。そして、ＣＰＵ５６は、入賞時演出処理の判定結果に基づいて図柄指定コマンドを演出制御用マイクロコンピュータ１００に送信する制御を行なう（Ｓ１２２６）とともに、変動種別コマンドを演出制御用マイクロコンピュータ１００に送信する制御を行なう（Ｓ１２２７）。また、ＣＰＵ５６は、第２始動入賞指定コマンドを演出制御用マイクロコンピュータ１００に送信する制御を行なう（Ｓ１２２８）とともに、第２保留記憶数カウンタの値をＥＸＴデータに設定して第２保留記憶数指定コマンドを演出制御用マイクロコンピュータ１００に送信する制御を行なう（Ｓ１２２９）。
【０１９３】
Ｓ１２２６，Ｓ１２２７の処理を実行することによって、この実施の形態では、遊技状態（高確率状態、低確率状態、高ベース状態、低ベース状態、大当り遊技状態等の遊技状態）にかかわらず、第２始動入賞が発生するごとに、必ず図柄指定コマンドおよび変動種別コマンドの両方を演出制御用マイクロコンピュータ１００に対して送信する。
【０１９４】
また、この実施の形態では、Ｓ１２２６〜Ｓ１２２９の処理が実行されることによって、第２始動入賞が発生したときに、図柄指定コマンド、変動種別コマンド、第２始動入賞指定コマンドおよび第２保留記憶数指定コマンドの４つのコマンドのセットが１タイマ割込内に一括して送信される。
【０１９５】
図１２は、特別図柄プロセス処理における特別図柄通常処理（Ｓ３００）を示すフローチャートである。特別図柄通常処理において、ＣＰＵ５６は、第１保留記憶バッファまたは第２保留記憶バッファに保留記憶データがあるかどうかを確認する（Ｓ５１）。第１保留記憶バッファおよび第２保留記憶バッファのどちらにも保留記憶データがない場合には、処理を終了する。
【０１９６】
Ｓ５１で保留記憶バッファに保留記憶データがない場合には、客待ちデモ指定コマンドを送信するための処理（Ｓ８０）を行なった後、処理を終了する。一方、Ｓ５１で第１保留記憶バッファまたは第２保留記憶バッファに保留記憶データがあるときには、ＣＰＵ５６は、第２保留記憶バッファの方に保留記憶データがあるか否か確認する（Ｓ５２）。第２保留記憶バッファに保留記憶データがあれば、特別図柄ポインタ（第１特別図柄について特別図柄プロセス処理を行なっているのか第２特別図柄について特別図柄プロセス処理を行なっているのかを示すフラグ）に「第２」を示すデータを設定する（Ｓ５４）。一方、第２保留記憶バッファに保留記憶データがなければ、特別図柄ポインタに「第１」を示すデータを設定する（Ｓ５３）。
【０１９７】
この実施の形態では、以下、特別図柄ポインタに「第１」を示すデータが設定されたか「第２」を示すデータが設定されたかに応じて、第１特別図柄表示器８ａにおける第１特別図柄の変動表示と、第２特別図柄表示器８ｂにおける第２特別図柄の変動表示とを、共通の処理ルーチンを用いて実行する。特別図柄ポインタに「第１」を示すデータが設定されたときには、第１保留記憶バッファに記憶された保留記憶データに基づいて、第１特別図柄表示器８ａにおける第１特別図柄の変動表示が行なわれる。一方、特別図柄ポインタに「第２」を示すデータが設定されたときには、第２保留記憶バッファに記憶された保留記憶データに基づいて、第２特別図柄表示器８ｂにおける第２特別図柄の変動表示が行なわれる。
【０１９８】
Ｓ５２〜Ｓ５４の制御により、第２保留記憶バッファ内に第２保留記憶データが１つでも存在すれば、その第２保留記憶データに基づいた第２特別図柄表示器８ｂの変動表示が、第１保留記憶データに基づいた第１特別図柄表示器８ａの変動表示に優先して実行される。
【０１９９】
次いで、ＣＰＵ５６は、ＲＡＭ５５において、特別図柄ポインタが示す方の保留記憶数＝１に対応する保存領域に格納されている保留記憶データ（ランダムＲ等の各乱数値のデータ）を読出してＲＡＭ５５の保留記憶バッファに格納する（Ｓ５５）。具体的には、ＣＰＵ５６は、特別図柄ポインタが「第１」を示している場合には、第１保留記憶バッファにおける第１保留記憶数＝１に対応する保存領域に格納されている保留記憶データを読出してＲＡＭ５５の乱数バッファに格納する。また、ＣＰＵ５６は、特別図柄ポインタが「第２」を示している場合には、第２保留記憶バッファにおける第２保留記憶数＝１に対応する保存領域に格納されている保留記憶データを読出してＲＡＭ５５の乱数バッファに格納する。
【０２００】
そして、ＣＰＵ５６は、特別図柄ポインタが示す方の保留記憶数カウンタのカウント値を１減算し、かつ、各保存領域の内容をシフトする（Ｓ５６）。具体的には、ＣＰＵ５６は、特別図柄ポインタが「第１」を示している場合には、第１保留記憶数カウンタのカウント値を１減算し、かつ、第１保留記憶バッファにおける各保存領域の内容をシフトする。また、特別図柄ポインタが「第２」を示している場合に、第２保留記憶数カウンタのカウント値を１減算し、かつ、第２保留記憶バッファにおける保存領域の内容を消去する。
【０２０１】
すなわち、ＣＰＵ５６は、特別図柄ポインタが「第１」を示している場合に、ＲＡＭ５５の第１保留記憶バッファにおいて第１保留記憶数＝ｎ（ｎ＝２，３，４）に対応する保存領域に格納されている保留記憶データを、第１保留記憶数＝ｎ−１に対応する保存領域に格納する。また、特別図柄ポインタが「第２」を示している場合に、ＲＡＭ５５の第２保留記憶バッファにおいて第１保留記憶数＝ｎ（ｎ＝２，３，４）に対応する保存領域に格納されている保留記憶データを、第１保留記憶数＝ｎ−１に対応する保存領域に格納する。
【０２０２】
よって、各第１保留記憶数に対応するそれぞれの保存領域に格納されている保留記憶データの各乱数値が抽出された順番は、常に、第１保留記憶数＝１，２，３，４の順番と一致するようになっている。また、各第２保留記憶数に対応するそれぞれの保存領域に格納されている保留記憶データの各乱数値が抽出された順番は、常に、第２保留記憶数＝１，２，３，４の順番と一致するようになっている。
【０２０３】
また、ＣＰＵ５６は、減算後の特別図柄ポインタが示す方の保留記憶数カウンタの値に基づいて、特別図柄ポインタが示す方の保留記憶数指定コマンドを演出制御用マイクロコンピュータ１００に送信する制御を行なう（Ｓ５９）。この場合、特別図柄ポインタに「第１」を示す値が設定されている場合には、ＣＰＵ５６は、第１保留記憶数指定コマンドを送信する制御を行なう。また、特別図柄ポインタに「第２」を示す値が設定されている場合には、ＣＰＵ５６は、第２保留記憶数指定コマンドを送信する制御を行なう。
【０２０４】
特別図柄通常処理では、最初に、第１始動入賞口１３を対象として処理を実行することを示す「第１」を示すデータすなわち第１特別図柄を対象として処理を実行することを示す「第１」を示すデータ、または第２始動入賞口１４を対象として処理を実行することを示す「第２」を示すデータすなわち第２特別図柄を対象として処理を実行することを示す「第２」を示すデータが、特別図柄ポインタに設定される。そして、特別図柄プロセス処理における以降の処理では、特別図柄ポインタに設定されているデータに応じた処理が実行される。よって、Ｓ３００〜Ｓ３０７の処理を、第１特別図柄を対象とする場合と第２特別図柄を対象とする場合とで共通化することができる。
【０２０５】
次いで、ＣＰＵ５６は、乱数バッファからランダムＲ（大当り判定用乱数）を読出し、大当り判定モジュールを実行する（Ｓ６１）。この場合、ＣＰＵ５６は、始動口スイッチ通過処理のＳ１２１４や始動口スイッチ通過処理のＳ１２２４で抽出し保留記憶バッファや乱数バッファに格納した大当り判定用乱数を読出し、大当り判定を行なう。大当り判定モジュールは、予め決められている大当り判定値（図５参照）や小当り判定値（図５参照）と大当り判定用乱数とを比較し、それらが一致したら大当りや小当りとすることに決定する処理を実行するプログラムである。すなわち、大当り判定の処理や小当り判定の処理を実行するプログラムである。
【０２０６】
大当り判定の処理では、第１特別図柄については図５（Ａ）に示すいずれかの大当り判定値に一致すると、第２特別図柄については図５（Ｂ）に示すいずれかの大当り判定値に一致すると、特別図柄に関して大当りとすることに決定する。大当りとすることに決定した場合には（Ｓ６０のＹ）、Ｓ７１に移行する。大当りとするか否か決定するということは、大当り遊技状態に移行させるか否か決定するということであるが、特別図柄表示器における停止図柄を大当り図柄とするか否か決定するということでもある。
【０２０７】
Ｓ６１で大当りとすることに決定した場合には（Ｓ６１のＹ）、大当りであることを示す大当りフラグをセットする（Ｓ７１）。
【０２０８】
次に、特別図柄ポインタが「第１」を示しているか否かを判定する（Ｓ７２）。特別図柄ポインタが「第１」のときは、図５（Ｃ）の第１特図大当り種別判定テーブルを選択し（Ｓ７３）、Ｓ７５に進む。一方、特別図柄ポインタが「第１」を示していない場合（「第２」を示している場合）は、図５（Ｄ）の第２特図大当り種別判定テーブルを選択し（Ｓ７４）、Ｓ７５に進む。
【０２０９】
Ｓ７５では、Ｓ７３またはＳ７４で選択した大当り種別判定テーブルを用いて、乱数バッファ領域に格納された大当り種別判定用の乱数（ランダムＲ）の値と一致する値に対応した大当り種別を大当りの種別に決定し（Ｓ７５）、Ｓ８１に進む。
【０２１０】
また、Ｓ６１で大当り判定用乱数（ランダムＲ）の値がいずれの大当り判定値にも一致しなければ（Ｓ６１のＮ）、特別図柄ポインタに設定されているデータが「第２」を示すデータであるか否かを確認することにより、大当り判定対象が第２特別図柄の変動表示であるか否か確認する（Ｓ７６）。Ｓ７６で特別図柄ポインタに設定されているデータが「第２」を示すデータでない（第１特別図柄の変動表示である）ときは、後述するＳ８２に進む。一方、Ｓ７６で特別図柄ポインタに設定されているデータが「第２」を示すデータである（第２特別図柄の変動表示である）ときは、図５（Ｂ）の第２特図当り判定テーブルを使用して、大当り判定用乱数（ランダムＲ）の値がいずれの小当り判定値に一致するか否かを判定することにより、小当り判定の処理を行なう（Ｓ７６）。すなわち、大当り判定用乱数（ランダムＲ）の値が図５（Ｂ）に示すいずれかの小当り判定値に一致すると（Ｓ７６のＹ）、第２特別図柄に関して小当りとすることに決定する。そして、小当りとすることに決定した場合には（Ｓ７７Ｙ）、小当りであることを示す小当りフラグをセットする（Ｓ７８）。
【０２１１】
小当りフラグをセットした後は、図５（Ｅ）の小当り経由大当り種別判定テーブルを選択し（Ｓ７９）、乱数バッファ領域に格納された大当り種別判定用の乱数（ランダム１）の値と一致する値に対応した大当り種別を小当り経由大当りの種別として決定する（Ｓ８０）。そして、Ｓ８１に移行する。一方、Ｓ７７で大当り判定用乱数（ランダムＲ）の値がいずれの小当り判定値にも一致しなければ（Ｓ７７のＮ）、後述するＳ８２に移行する。
【０２１２】
Ｓ８１では、Ｓ７５またはＳ８０で決定した大当りの種別を示すデータをＲＡＭ５５における大当り種別バッファに記憶し（Ｓ８１）、Ｓ８２に進む。たとえば、大当り種別が「図柄１５Ｒ時短大当り」の場合には大当り種別を示すデータとして大当り種別バッファに「０１」が設定され、大当り種別が「図柄４Ｒ時短大当り」の場合には大当り種別を示すデータとして大当り種別バッファに「０２」が設定される。一方、大当り種別が「小当り経由１６（１５）Ｒ時短大当り」の場合には大当り種別を示すデータとして大当り種別バッファとは別の仮大当り種別バッファに「０３」が設定される。大当り種別が小当り経由９（８）Ｒ時短大当りの場合には大当り種別を示すデータとして仮大当り種別バッファに「０４」が設定される。大当り種別が小当り経由５（４）Ｒ時短大当りの場合には大当り種別を示すデータとして仮大当り種別バッファに「０５」が設定される。これらのうち、小当り経由１６（１５）Ｒ時短大当り、小当り経由９（８）Ｒ時短大当り、および、小当り経由５（４）Ｒ時短大当りを示すデータは、小当り遊技状態においてＶ入賞が生じなければ大当りが発生せずに無効となるデータあり、仮設定される。
【０２１３】
Ｓ８２では、特別図柄の停止図柄を設定する（Ｓ７８）。具体的には、大当りフラグおよび小当りフラグのいずれもセットされていない場合には、はずれ図柄となる「−」を特別図柄の停止図柄に設定する。小当りフラグがセットされている場合には、Ｓ８０で選択決定した小当り種別に応じた小当り図柄となる「１」、「５」、「９」のいずれかを特別図柄の停止図柄に決定する。大当りフラグがセットされている場合には、Ｓ７５で選択決定した大当り種別に応じた大当り図柄となる「３」、「７」のいずれかを特別図柄の停止図柄に決定する。そして、特別図柄プロセスフラグの値を変動パターン設定処理（Ｓ３０１）に対応した値に更新する（Ｓ７９）。
【０２１４】
図１３は、特別図柄プロセス処理における特別図柄停止処理（Ｓ３０４）を示すフローチャートである。
【０２１５】
特別図柄停止処理において、ＣＰＵ５６は、Ｓ３２の特別図柄表示制御処理で参照される終了フラグをセットして特別図柄の変動表示を終了させ、第１特別図柄表示器８ａまたは第２特別図柄表示器８ｂに停止図柄を導出表示する制御を行なう（Ｓ１３１）。特別図柄ポインタに「第１」を示すデータが設定されている場合には第１特別図柄表示器８ａでの第１特別図柄の変動を終了させ、特別図柄ポインタに「第２」を示すデータが設定されている場合には第２特別図柄表示器８ｂでの第２特別図柄の変動を終了させる。また、演出制御用マイクロコンピュータ１００に送信する図柄確定指定コマンドをセットする（Ｓ１３２）。これにより、図柄確定指定コマンドが図６のＳ２８において、演出制御用マイクロコンピュータ１００に送信される。そして、大当りフラグがセットされていない場合には、Ｓ１３９に移行する（Ｓ１３３）。
【０２１６】
図柄１５Ｒ時短大当りまたは図柄４Ｒ時短大当りとすることが決定されたときのように、大当りフラグがセットされている場合、ＣＰＵ５６は、時短状態に制御されるときにセットされるフラグである時短フラグがセットされているときには、その時短フラグをリセットし（Ｓ１３４）、演出制御用マイクロコンピュータ１００に、決定された大当りの種別に応じて、大当り開始１指定コマンド、または、大当り開始２指定コマンドのいずれかのコマンド（大当り開始指定コマンド）を送信するための処理をする（Ｓ１３５）。
【０２１７】
これにより、セットされた大当り開始指定コマンドが図９のＳ２８において、演出制御用マイクロコンピュータ１００に送信される。具体的には、大当りの種別が図柄４Ｒ時短大当りである場合には、大当り開始１指定コマンドを送信する。大当りの種別が図柄１５Ｒ時短大当りである場合には大当り開始２指定コマンドを送信する。大当りの種別がいずれの種別に該当するかは、ＲＡＭ５５に記憶されている大当り種別を示すデータ（大当り種別バッファに記憶されているデータ）に基づいて判定される。
【０２１８】
また、大入賞口制御タイマに、大当り表示時間（大当りが発生したことをたとえば、演出表示装置９において報知する時間）に相当する値を設定する（Ｓ１３６）。以降、大入賞口開放前処理において、大入賞口制御タイマが１減算されて、０になると大入賞口が開放されてラウンドが開始される。
【０２１９】
また、ＲＡＭ５５に記憶されている大当り種別を示すデータにより特定される大当りの種別に応じて、前述したＲＯＭ５４に記憶されている大当り種類別の開放パターンデータを参照し、開放回数（たとえば、１５回、または、４回）、開放時間（たとえば、２９秒）、ラウンド間のインターバル時間（たとえば、５秒）等の開放態様を示すデータを所定の記憶領域にセット（設定）する（Ｓ１３７）。このようなデータのうち、開放回数のデータは、開放回数を計数するための開放回数カウンタにセットされる。そして、特別図柄プロセスフラグの値を大入賞口開放前処理（Ｓ３０５）に対応した値に更新し（Ｓ１３８）、処理を終了する。これにより、特別図柄プロセスは、大入賞口開放前処理に移行する。
【０２２０】
また、前述のＳ１３３で大当りフラグがセットされていない場合に、ＣＰＵ５６は、小当りフラグがセットされているか否かを確認する（Ｓ１３９）。Ｓ１３９で小当りフラグがセットされているときは、ＲＯＭ５４に記憶されている小当りの開放パターンデータを参照し、小当りの開放制御に用いる小当り開放制御タイマの設定を含む開放回数（たとえば、１０回）、開放時間（たとえば、０．１秒）、および、開放間のインターバル時間等の開放態様を示すデータを特定の記憶領域にセット（設定）する（Ｓ１４０）。そして、特別図柄プロセスフラグの値を小当り開放前処理（Ｓ３０８）に対応した値に更新し（Ｓ１４１）、処理を終了する。これにより、特別図柄プロセスは、小当り開放前処理に移行する。
【０２２１】
一方、Ｓ１３９で小当りフラグがセットされていないときは、第１時短状態または第２時短状態による時短状態であることを示す時短フラグがセットされているか否かを確認する（Ｓ１４２）。Ｓ１４２で、時短フラグがセットされていないときは、時短状態ではないので、後述するＳ１５２に進む。一方、Ｓ１４２で、時短フラグがセットされているときは、時短状態であるので、時短状態における第１特別図柄の変動表示回数と第２特別図柄の変動表示回数との合計値を計数するための計数手段としての合計時短回数カウンタを−１減算更新する（Ｓ１４３）。
【０２２２】
Ｓ１４３で減算更新する合計時短回数カウンタは、図１４の大当り終了処理において、４Ｒ図柄時短大当り後の第１時短状態に制御されるときにはＳ１６５により５回にセットされ、４Ｒ図柄時短大当り以外の種別の大当り後の第２時短状態に制御されるときにはＳ１６８により１１回にセットされ、Ｓ１４３により、はずれ表示結果となる変動表示が１回実行されるごとに減算更新される。合計時短回数カウンタは、第１時短状態の終了条件の成立の有無の判断と、第２時短状態の終了条件の成立の有無の判断との両方の判断をするために用いられる。
【０２２３】
次に、特別図柄ポインタが「第２」を示すデータであるか否かを確認することに基づいて、第２特別図柄の変動表示の終了時であるか否かを確認する（Ｓ１４５）。Ｓ１４５で、第２特別図柄ではなく、第１特別図柄の変動表示の終了時であるときは、後述するＳ１４８に進む。一方、Ｓ１４５で、第２特別図柄の変動表示の終了時であるときは、特図２時短回数カウンタを−１減算更新する（Ｓ１４６）。Ｓ１４６で減算更新する特図２時短回数カウンタは、大当り遊技終了後に第１時短状態または第２時短状態に制御されたときの第２特別図柄の変動表示回数を計数する計数手段である。特図２時短回数カウンタは、図１４の大当り終了処理において、第１時短状態に制御されるときにＳ１６５により５回にセットされ、第２時短状態に制御されるときにＳ１６８により１１回にセットされる。特図２時短回数カウンタは、Ｓ１４６により、第２特別図柄がはずれ表示結果となる変動表示が１回実行されるごとに減算更新される。
【０２２４】
次に、Ｓ１４６で更新された特図２時短回数カウンタの計数値が「０」になったか否かを確認する（Ｓ１４７）。Ｓ１４７で、特図２時短回数カウンタの計数値が「０」になったときは、第１時短状態の終了条件の１つが成立したとき、または、第２時短状態の終了条件の１つが成立したときであるので、実行中の第１時短状態または第２時短状態を終了させるために、後述するＳ１４９に進む。一方、Ｓ１４７で、特図２時短回数カウンタの計数値が「０」になっていないときは、第１時短状態の終了条件の他の１つの終了条件が成立しているか否かを確認するために、Ｓ１４８に進む。
【０２２５】
Ｓ１４８では、時短状態における第１特別図柄および第２特別図柄の合計の変動表示回数に基づいて、実行中の第１時短状態または第２時短状態の終了条件が成立したか否かを確認するために、Ｓ１４３で減算更新された合計時短回数カウンタの計数値が「０」になったか否かを確認する（Ｓ１４８）。Ｓ１４８で、合計時短回数カウンタの計数値が「０」になっていないときは、後述するＳ１５２に進む。一方、Ｓ１４８で、合計時短回数カウンタの計数値が「０」になっているときは、Ｓ１４９に進む。
【０２２６】
Ｓ１４９，Ｓ１５０は、第１時短状態と第２時短状態とのそれぞれにおいて、Ｓ１４７により第２特別図柄の変動表示回数が終了条件の回数となったと判定されたときと、Ｓ１４８により第１特別図柄および第２特別図柄の合計の変動表示回数が終了条件の回数となったと判定されたときとのいずれかのときに、実行中の第１時短状態または第２時短状態を終了させるために実行される。
【０２２７】
Ｓ１４９では、セットされている時短フラグをリセットする（Ｓ１４９）。次に、Ｓ１５０では、セットされている時短回数カウンタをリセットする（Ｓ１５０）。そして、時短状態での変動表示回数に基づいて時短条件が終了したことに応じて、通常状態指定コマンドを演出制御用マイクロコンピュータ１００に送信するための処理をし（Ｓ１５１）、Ｓ１５２に進む。
【０２２８】
Ｓ１５２では、特別図柄プロセスフラグの値を特別図柄通常処理（Ｓ３００）に対応した値に更新し（Ｓ１５２）、処理を終了する。これにより、特別図柄プロセスは、特別図柄通常処理に移行する。
【０２２９】
このような特別図柄停止処理においては、Ｓ１４２〜Ｓ１５１により、第１時短状態のときは、第２特別図柄の１回のはずれ変動表示の実行と、第１特別図柄および第２特別図柄の合計５回のはずれ変動表示の実行とのいずれかが成立したときに、第１時短状態を終了させる処理が行なわれる。また、Ｓ１４２〜Ｓ１５１により、第２時短状態のときは、第２特別図柄の７回のはずれ変動表示の実行と、第１特別図柄および第２特別図柄の合計１１回のはずれ変動表示の実行とのいずれかが成立したときに、第２時短状態を終了させる処理が行なわれる。
【０２３０】
図１４は、特別図柄プロセス処理における大当り終了処理を示すフローチャートである。大当り終了処理において、ＣＰＵ５６は、大当り終了処理が実行される前にセットされた大入賞口制御タイマの値を１減算する（Ｓ１６１）。そして、ＣＰＵ５６は、大入賞口制御タイマの値が０になっているか否か、すなわち大当り終了時間が経過したか否か確認する（Ｓ１６２）。経過していなければ処理を終了する。一方、経過していれば、今回の大当り遊技状態において、ＲＡＭ５５における大当り種別バッファに設定した大当り種別を示すデータに基づいて、終了する大当りの種別が８Ｒ時短大当りであるか否かを確認する（Ｓ１６３）。
【０２３１】
Ｓ１６３により終了する大当りの種別が図柄４Ｒ時短大当りであるときは、第１時短状態に制御するために、第１時短状態の終了条件として、特図２時短回数カウンタに「１」（第２特別図柄の変動表示１回対応）のデータをセットし（Ｓ１６４）、合計時短回数カウンタに「５」（第１特別図柄および第２特別図柄の合計変動表示５回対応）のデータをセットする（Ｓ１６５）。そして、第１時短状態指定コマンドを演出制御用マイクロコンピュータ１００に送信するための処理を行ない（Ｓ１６７）、Ｓ１７０に進む。
【０２３２】
Ｓ１６３により終了する大当りの種別が図柄４Ｒ時短大当りでないときは、終了する大当りの種別が図柄４Ｒ時短大当り以外の大当り種別であるときであり、第２時短状態に制御するために、第２時短状態の終了条件として、特図２時短回数カウンタに「７」（第２特別図柄の変動表示１回対応）のデータをセットし（Ｓ１６７）、合計時短回数カウンタに「１１」（第１特別図柄および第２特別図柄の合計変動表示１１回対応）のデータをセットする（Ｓ１６８）。そして、第２時短状態指定コマンドを演出制御用マイクロコンピュータ１００に送信するための処理を行ない（Ｓ１６９）、Ｓ１７０に進む。
【０２３３】
Ｓ１７０では、第１時短状態または第２時短状態に制御するために、時短フラグをセットする（Ｓ１７０）。第１時短状態に制御するときには、第１時短フラグをセットする。一方、第２時短状態に制御するときには、第２時短フラグをセットする。そして、大当り遊技状態の終了に応じて、特別図柄プロセスフラグの値を特別図柄通常処理（Ｓ３００）に対応した値に更新し（Ｓ１７１）、処理を終了する。これにより、特別図柄プロセスは、特別図柄通常処理に移行する。
【０２３４】
これにより、図柄４Ｒ時短大当りの大当り遊技状態の終了後に第１時短状態に制御され、図柄４Ｒ時短大当り以外の大当り種別の大当り遊技状態の終了後に第２時短状態に制御される。そして、第１時短状態および第２時短状態のそれぞれの終了条件は、第２特別図柄のみの変動表示回数と、第１特別図柄および第２特別図柄の合計変動表示開放回数とにより個別に規定される。
【０２３５】
このような大当り終了処理においては、Ｓ１６４，Ｓ１６５により、図柄４Ｒ時短大当りの大当り遊技状態の終了後に、第２特別図柄の１回のはずれ変動表示の実行と、第１特別図柄および第２特別図柄の合計５回のはずれ変動表示の実行とのいずれかが成立するまで、第１時短状態に制御する設定がされる。また、Ｓ１６７，Ｓ１６８により、図柄４Ｒ時短大当り以外の大当り種別の大当り遊技状態の終了後に、第２特別図柄の７回のはずれ変動表示の実行と、第１特別図柄および第２特別図柄の合計１１回のはずれ変動表示の実行とのいずれかが成立するまで、第２時短状態に制御する設定がされる。
【０２３６】
図１５は、小当り開放前処理（Ｓ３０８）を示すフローチャートである。小当り開放前処理において、ＣＰＵ５６は、図１３のＳ１４０で設定された小当りの開放態様に基づき、ソレノイド２２を制御することで可動部８７２を開放状態に動作させ、Ｖ判定入賞装置８７の作動口の開放動作を開始させる（Ｓ４１１）。次に、ＣＰＵ５６は、小当り遊技状態が開始されることを示す小当り開始指定コマンドを演出制御用マイクロコンピュータ１００へ送信する（Ｓ４１２）。次に、ＣＰＵ５６は、小当りの開放状態におけるＶ入賞領域８７０への入賞個数を当該開放状態の終了条件として用いるために、計数手段としてのＶ判定入賞個数カウンタをセットする（Ｓ４１３）。具体的に、Ｓ４１３では、Ｖ判定入賞個数カウンタのカウンタ値を「１０」にセットし、Ｖ入賞個数をダウンカウントするための設定をする。そして、ＣＰＵ５６は、特別図柄プロセスフラグの値を、小当り開放中処理（Ｓ３０９）に対応した値に更新する（Ｓ４１３）。
【０２３７】
図１６は、特別図柄プロセス処理における小当り開放中処理（Ｓ３０９）を示すフローチャートである。小当り開放中処理において、ＣＰＵ５６は、小当り開放制御タイマを−１減算更新する（Ｓ４３０）。次に、後述するＳ４３５でＶ入賞個数を計数するＶ判定入賞個数カウンタの計数値が「０」になっているか否かを確認する（Ｓ４３１）。Ｖ判定入賞個数カウンタは、図１５のＳ４１３により「１０」にセットされ、１０個のＶ入賞球を計数すると、計数値が「０」となる。Ｓ４３０でＶ判定入賞個数カウンタの計数値が「０」になっているときは、Ｓ４４１に進む。一方、Ｓ４３０でＶ判定入賞個数カウンタの計数値が「０」になっていないときは、図１３のＳ１４０でセットされた小当り開放制御タイマがタイムアウト（タイマ値＝０）したか否かを確認する（Ｓ４３２）。
【０２３８】
Ｓ４３２で小当り開放制御タイマがタイムアウトしているときは、Ｓ４４１に進む。一方Ｓ４３２で小当り開放制御タイマがタイムアウトしていないときは、図１３のＳ１４０で設定された小当りの開放態様に基づき、小当り開放制御タイマの計時値に対応してソレノイド２２を制御することで可動部８７２を開放状態に動作させ、Ｖ判定入賞装置８７の作動口を開閉させるための処理を行なう（Ｓ４３３）。
【０２３９】
次に、Ｖ判定入賞装置８７内部で開放状態となっているＶ入賞領域８７０にＶ入賞口から遊技球が進入したことにより発生するＶ入賞が検出されたか否かを判定するために、Ｖ入賞スイッチ８７ａがオン状態となっているか否かを判定する（Ｓ４３４）。Ｓ４３４でオン状態となっているときは、Ｖ入賞が検出されたときであり、Ｖ入賞が検出されたときにセットされるＶ入賞フラグをセットする（Ｓ４３５）。そして、Ｖ入賞球検出指定コマンドを送信するための処理をする（Ｓ４３６）。これにより、演出制御用マイクロコンピュータ１００は、Ｖ入賞球が検出されたことを認識することができ、Ｖ入賞個数を認識することが可能となる。次に、ソレノイドを駆動することにより開閉部材を動作させ、Ｖ入賞領域８７０のＶ入賞口を開放状態から閉鎖状態に変化させ（Ｓ４３７）、Ｓ４３９に進む。これにより、Ｖ判定入賞装置８７内に進入した遊技球の１個目がＶ入賞すると、Ｖ入賞領域８７０のＶ入賞口が閉鎖状態にされ、その後に、Ｖ判定入賞装置８７内に進入した遊技球は、すべて入賞球領域に誘導され、Ｖ判定入賞スイッチ１５ｂにより検出される。
【０２４０】
一方、Ｓ４３４でオン状態となっていないときは、Ｖ入賞が検出されていないときであり、Ｖ判定入賞スイッチ１５ｂがオン状態となっているか否かを判定する（Ｓ４３８）。Ｓ４３８でオン状態となっているときはＳ４３９に進み、Ｓ４３８でオン状態となっていないときは処理を終了する。
【０２４１】
Ｓ４３９では、図１５のＳ４１３により「１０」にセットされたＶ判定入賞個数カウンタの計数値を「−１」するダウンカウントを行ない（Ｓ４３９）、Ｖ判定入賞球検出指定コマンドを送信するための処理をする（Ｓ４４０）。これにより、演出制御用マイクロコンピュータ１００は、Ｖ入賞球が検出された後、判定入賞装置８７内に進入したＶ入賞球が検出されたことを認識することができ、判定入賞装置８７内に進入した遊技球の個数を認識することが可能となる。
【０２４２】
Ｓ４３１でＶ判定入賞個数カウンタの計数値が「０」になっているときは、小当りのＶ入賞個数が上限値に到達したことにより小当りの開放終了条件が成立したときであり、また、Ｓ４３２で小当り開放制御タイマがタイムアウトしたときは、小当りの開放制御が終了したことにより小当りの開放終了条件が成立したときである。これらのときに、ＣＰＵ５６は、ソレノイド２２を制御することで可動部８７２を閉鎖状態に動作させ、Ｖ判定入賞装置８７の作動口を閉鎖する（Ｓ４４１）。Ｖ判定入賞個数カウンタの計数値が「０」になったときは、小当りの開放態様に応じたＶ判定入賞装置８７の開放途中であっても、Ｖ判定入賞個数カウンタの計数値に応じてＶ判定入賞装置８７が強制的に閉鎖される。小当り開放制御タイマがタイムアウトしたときは、Ｖ判定入賞装置８７が小当りの開放態様における小当りの開放制御の終了に応じて閉鎖される。
【０２４３】
次に、Ｖ判定入賞装置８７の閉鎖後のＶ入賞有効期間である特定期間に相当するデータをＶ入賞有効期間タイマにセットし（Ｓ４４２）、特別図柄プロセスフラグの値を、小当り終了処理（Ｓ３１０）に対応した値に更新し（Ｓ４４３）、処理を終了する。これにより、Ｖ判定入賞装置８７の閉鎖後のＶ入賞有効期間である特定期間の計時が開始される。なお、このようにＶ入賞有効期間である特定期間が設定されていることにより、Ｖ入賞領域を遊技球が何かの拍子に通常通過する時間より遅れて通過した場合であっても、遊技球を検出することができる。また、特定期間が設定されているので、不正にＶ入賞領域へ入賞させようとした者がいたとしてもその期間しか検出されないので、不正を防ぐこともできる。
【０２４４】
図１７は、特別図柄プロセス処理における小当り終了処理（Ｓ３１０）を示すフローチャートである。小当り終了後処理において、ＣＰＵ５６は、Ｖ入賞有効期間タイマを−１減算更新し（Ｓ４４１）、Ｖ入賞有効期間タイマがタイムアウト（タイマ値＝０）したか否かを確認する（Ｓ４４２）。
【０２４５】
Ｓ４４２でＶ入賞有効期間タイマがタイムアウトしていないときは、すでにＶ入賞が検出されたときにＳ４３４またはＳ４４５でセットされるＶ入賞フラグがセットされているか否かを判定する（Ｓ４４３）。Ｖ入賞フラグがセットされていれば処理を終了する。一方、Ｖ入賞フラグがセットされていなければ、Ｖ入賞有効期間中にＶ入賞領域８７０に遊技球が進入したことにより発生するＶ入賞が検出されたか否かを判定するために、Ｖ入賞スイッチ８７ａがオン状態となっているか否かを判定する（Ｓ４４４）。Ｓ４４４でオン状態となっていないときは、処理を終了する。一方、Ｓ４４４でオン状態となっているときは、Ｖ入賞有効期間中にＶ入賞が検出されたときであり、Ｖ入賞が検出されたことを示すＶ入賞フラグをセットする（Ｓ４４５）。そして、Ｖ入賞指定コマンドを送信するための処理をし（Ｓ４４６）、処理を終了する。これにより、演出制御用マイクロコンピュータ１００は、Ｖ入賞が発生したことを認識することができる。
【０２４６】
Ｓ４４２でＶ入賞有効期間タイマがタイムアウトしているときは、小当り終了指定コマンドを送信するための処理をする（Ｓ４４７）。これにより、演出制御用マイクロコンピュータ１００は、小当りが終了したことを認識することができる。次いで、ソレノイド２３の状態を変化させることにより、開閉部材を開動作させてＶ入賞領域８７０（Ｖ入賞口）を開放状態に復帰させる制御が行なわれる（Ｓ４４７Ａ）。次に、ＣＰＵ５６は、Ｖ入賞フラグがセットされているか否かを判定する（Ｓ４４８）。Ｓ４４８でＶ入賞フラグがセットされていれば、大当りとすることが決定され、大当りフラグをセットする（Ｓ４４９）。
【０２４７】
パチンコ遊技機１では、前述したように、小当り遊技状態において、後述する右打ち促進報知にしたがって右打ちをすれば、略１００％の確率でＶ判定入賞装置８７内に遊技球を進入させることができ、Ｖ判定入賞装置８７内に進入した遊技球は必ずＶ入賞領域８７０にＶ入賞することにより、略１００％の確率で、Ｖ入賞フラグがセットされる（図１６のＳ４３５）ことに基づいて、Ｓ４４９で大当りフラグがセットされて、大当り遊技状態に制御される。
【０２４８】
次いで、ＣＰＵ５６は、Ｓ８１で大当り仮種別バッファに記憶した小当り経由の大当り種別を示すデータを、Ｖ入賞の発生により正規に大当りとなることが決まったことに応じて、当該データを大当り種別バッファに正式に記憶させる（Ｓ４５０）。そして、その時点でセットされていた時短フラグ（図１４の大当り終了処理でセットされる第１時短フラグ、第２時短フラグ）を一旦リセットする（Ｓ４５１）。
【０２４９】
次いで、ＣＰＵ５６は、Ｓ４５０で記憶されたデータに対応する大当り種別に応じて、大当り開始３指定コマンド、大当り開始４指定コマンド、または大当り開始５指定コマンドを送信する（Ｓ４５２）。これにより、演出制御用マイクロコンピュータ１００は、大当り遊技状態が開始することを認識することができる。次に、大入賞口制御タイマに、大当り表示時間（大当りが発生したことをたとえば、演出表示装置９において報知する時間）に相当する値を設定する（Ｓ４５３）。
【０２５０】
また、ＲＯＭ５４に記憶されている大当りの開放パターンデータを参照し、大当り種別に応じて、開放回数（たとえば、１５回、８回、または、４回）、開放時間（たとえば、２９秒）、インターバル時間（ラウンド間の大入賞口閉鎖時間）等の開放態様を示す開放パターンデータをＲＡＭ５５に形成される所定の記憶領域にセットする（Ｓ４５４）。このようなデータのうち、開放回数のデータは、Ｓ４５６において、開放回数を計数するための開放回数カウンタにセットされる。そして、特別図柄プロセスフラグの値を大入賞口開放前処理（Ｓ３０５）に対応した値に更新し（Ｓ４５５）、処理を終了する。これにより、小当り遊技状態においてＶ入賞が生じたときには、大当り遊技状態に移行する。
【０２５１】
Ｓ４４８でＶ入賞フラグがセットされていなければ、大当り遊技状態が発生しないので、Ｓ８１で大当り仮種別バッファに記憶した小当り経由の大当り種別を示すデータを消去し（Ｓ４５６）、特別図柄プロセスフラグの値を、特別図柄通常処理（Ｓ３００）に対応した値に更新し（Ｓ４５７）、処理を終了する。これにより、小当り遊技状態においてＶ入賞が生じなかったときには、大当り遊技状態に移行しない。
【０２５２】
図１８は、演出制御用マイクロコンピュータ１００の演出制御用ＣＰＵ１０１が実行する演出制御メイン処理を示すフローチャートである。
【０２５３】
演出制御用ＣＰＵ１０１は、電源が投入されると、演出制御メイン処理の実行を開始する。演出制御メイン処理では、まず、ＲＡＭ領域のクリアや各種初期値の設定、また演出制御の起動間隔（たとえば、４ｍｓ）を決めるためのタイマの初期設定等を行なうための初期化処理を行なう（Ｓ７０１）。その後、演出制御用ＣＰＵ１０１は、タイマ割込フラグの監視（Ｓ７０２）を行なうループ処理に移行する。タイマ割込が発生すると、演出制御用ＣＰＵ１０１は、タイマ割込処理においてタイマ割込フラグをセットする。演出制御メイン処理において、タイマ割込フラグがセットされていたら、演出制御用ＣＰＵ１０１は、そのフラグをクリアし（Ｓ７０３）、以下の演出制御処理を実行する。
【０２５４】
演出制御処理において、演出制御用ＣＰＵ１０１は、まず、受信した演出制御コマンドを解析し、受信した演出制御コマンドに応じたフラグをセットする処理等を行なう（コマンド解析処理：Ｓ７０４）。たとえば、コマンド解析処理においては、変動パターンコマンドが受信されたときに、ＲＡＭ１０３に形成された変動パターンコマンド格納領域に当該コマンドデータが格納される。また、コマンド解析処理においては、表示結果指定コマンドが受信されたときに、ＲＡＭ１０３に形成された表示結果指定コマンド格納領域に当該コマンドデータが格納される。また、その他、各種の演出制御コマンドが受信されたときに、当該コマンドを受信したことを示すフラグがセットされる。次いで、演出制御用ＣＰＵ１０１は、演出制御プロセス処理を行なう（Ｓ７０５）。演出制御プロセス処理では、Ｓ７０４で解析した演出制御コマンドの内容に従って演出表示装置９での特別図柄の変動表示に対応した演出等の各種演出を行なうために、制御状態に応じた各プロセスのうち、現在の制御状態（演出制御プロセスフラグ）に対応した処理を選択して演出制御を実行する。
【０２５５】
次いで、各種演出内容の選択決定用乱数等の各種乱数を生成するためのカウンタのカウント値を更新する乱数更新処理を実行する（Ｓ７０６）。その後、Ｓ７０２に移行する。
【０２５６】
演出制御用マイクロコンピュータ１００においては、変動パターンコマンドを受信したときに、演出図柄の変動表示を開始させ、変動パターンコマンドにより特定される変動表示時間が経過したとき、または、図柄確定指定コマンドを受信したときに、演出図柄の変動表示を停止させる。このような演出制御メイン処理が実行されることにより、演出制御用マイクロコンピュータ１００では、遊技制御用マイクロコンピュータ５６０から送信され、受信した演出制御コマンドに応じて、演出表示装置９、各種ランプ、および、スピーカ２７等の演出装置を制御することにより、遊技状態に応じた各種の演出制御が行なわれる。
【０２５７】
なお、演出制御用マイクロコンピュータ１００においては、変動パターンコマンドを受信したときに、演出図柄の変動表示を開始させ、図柄確定指定コマンドを受信したときに、演出図柄の変動表示を停止させるようにしてもよい。変動パターンコマンドは、変動時間の長さ、および、変動表示結果等の変動表示態様を指定するために必要な情報が特定可能なデータよりなるコマンドである。変動表示は、各変動パターンコマンドに対応する変動時間で実行されるように制御される。また、演出図柄を変動表示させる演出制御を実行するときの停止図柄は、表示結果指定コマンドに基づいて、はずれとなるか、大当りとなるかの判別を行なうことに基づいて決定する。
【０２５８】
図１９は、図１８に示された演出制御メイン処理における演出制御プロセス処理（Ｓ７０５）を示すフローチャートである。演出制御プロセス処理では、演出制御用ＣＰＵ１０１は、Ｓ５００，Ｓ５０１の処理を行なった後、演出制御プロセスフラグの値に応じてＳ８００〜Ｓ８１０のうちいずれかの処理を行なう。各処理においては以下のような処理を実行する。
【０２５９】
演出制御プロセス処理では、演出表示装置９の表示状態が制御され、第１特別図柄の変動表示および第２特別図柄の変動パターンに対応する演出が実行されるが、第１特別図柄の変動に同期した演出に関する制御も、第２特別図柄の変動に同期した演出に関する制御も、１つの演出制御プロセス処理において実行される。また、演出制御プロセス処理では、特別図柄の変動表示と並列的に表示可能な態様で、普通図柄の変動表示に対応する（同期した）演出も実行される。
【０２６０】
打球促進演出処理（Ｓ５００）：遊技制御用マイクロコンピュータ５６０から受信した各種演出制御コマンドに基づいて、遊技状態を確認し、遊技状態に応じた打球促進演出を実行する。打球促進演出とは、遊技領域７における第１経路（左打ち経路）および第２経路（右打ち経路）のうち、少なくともいずれか一方への遊技球の打込みを促進させる報知をする演出である。具体的に、打球促進演出には、第２経路（右打ち経路）への遊技球の打込みを促進させる報知をする右打ち促進報知演出が含まれるが、打球促進演出には、当該右打ち促進報知演出と、第１経路（左打ち経路）への遊技球の打込みを促進させる報知をする左打ち促進報知の演出とを含むようにしてもよい。
【０２６１】
右打ち促進報知の演出は、たとえば、演出表示装置の特定の表示領域において、「右打ち」というような右打ちを示唆して促進するような文字画像を右向きの矢印画像ととともに継続的に表示することにより行なわれる。
【０２６２】
この実施形態では、遊技球の打込みとして左打ちを基本としており、打球促進演出として、左打ち促進報知を実行せず、右打ち促進報知を実行している状態に基づいて、第２経路（右打ち経路）への遊技球の打込み（右打ち）を促進させ、逆に、右打ち促進報知を実行していない状態に基づいて、第１経路（左打ち経路）への遊技球の打込み（左打ち）を促進させる演出制御例を説明する。
【０２６３】
なお、打球促進演出としては、遊技状態に応じて、左打ち促進報知と右打ち促進報知との両方を使い分ける演出制御をしてもよい。また、打球促進演出としては、遊技状態に応じて、左打ち促進報知と、右打ち促進報知との両方を使い分ける演出制御をしてもよい。
【０２６４】
先読み処理（Ｓ５０１）：遊技制御用マイクロコンピュータ５６０が有する保留記憶データに対応する保留情報を記憶し、当該保留情報を先読み演出のために使用可能とする処理である。保留情報の内容は、図柄指定コマンド、変動種別コマンド等から把握される。先読み演出とは、ある保留情報に基づいた特別図柄の変動表示（図柄変動）の順番が到来する前に、その保留情報を先読みしてその保留情報に基づいた特別図柄の変動表示の内容を判定して、将来の特別図柄の変動表示がどのようになるかを、それよりも前の段階で予告をする等の演出技術である。たとえば、保留情報が小当りまたは図柄大当りとなることを示すときに、保留連報知演出と呼ばれる予告演出が先読み演出として実行可能である。以下では、先読み演出の対象とした保留情報を「ターゲットの保留情報」と称する。
【０２６５】
変動パターンコマンド受信待ち処理（Ｓ８００）：遊技制御用マイクロコンピュータ５６０から変動パターンコマンドを受信しているか否か確認する。具体的には、コマンド解析処理でセットされる変動パターンコマンド受信フラグがセットされているか否か確認する。変動パターンコマンドを受信していれば、演出制御プロセスフラグの値を変動時演出開始処理（Ｓ８０１）に対応した値に変更する。
【０２６６】
演出図柄変動開始処理（Ｓ８０１）：特別図柄の変動表示に対応する演出である変動時演出が開始されるように制御する。受信した変動パターンコマンドに対応して、変動時演出の演出パターンを選択し、実行する演出時間を計時する演出時間タイマの計時をスタートさせる。そして、演出制御プロセスフラグの値を変動時演出中処理（Ｓ８０２）に対応した値に更新する。
【０２６７】
演出図柄変動中処理（Ｓ８０２）：演出パターンを構成する各状態の切替えタイミング等を制御するとともに、演出時間タイマにより計時される演出時間が終了したか否かを監視する。そして、演出時間が終了したか、または、図柄確定指定コマンドを受信したことに基づいて、変動時演出を終了させるために、演出制御プロセスフラグの値を変動時演出停止処理（Ｓ８０３）に対応した値に更新する。
【０２６８】
演出図柄変動停止処理（Ｓ８０３）：変動時演出を停止し、特別図柄の変動表示結果（停止図柄）に対応した演出結果を表示する制御を行なう。そして、演出制御プロセスフラグの値を大当り表示処理（Ｓ８０４）または変動パターンコマンド受信待ち処理（Ｓ８００）に対応した値に更新する。
【０２６９】
大当り表示処理（Ｓ８０４）：大当り（第１大当りまたは第２大当り）が発生したときに、演出表示装置９に大当りの発生を報知するための大当り表示等の演出としてのファンファーレ演出を行なう制御等の表示制御を行なう。そして、演出制御プロセスフラグの値をラウンド中処理（Ｓ８０５）に対応した値に更新する。
【０２７０】
ラウンド中処理（Ｓ８０５）：大当りのラウンド中の表示制御を行なう。そして、ラウンド終了条件が成立したら、最終ラウンドが終了していなければ、演出制御プロセスフラグの値をラウンド後処理（Ｓ８０６）に対応した値に更新する。最終ラウンドが終了していれば、演出制御プロセスフラグの値を大当り終了処理（Ｓ８０７）に対応した値に更新する。
【０２７１】
ラウンド後処理（Ｓ８０６）：大当りのラウンド間の表示制御を行なう。そして、ラウンド開始条件が成立したら、演出制御プロセスフラグの値をラウンド中処理（Ｓ８０５）に対応した値に更新する。
【０２７２】
大当り終了演出処理（Ｓ８０７）：演出表示装置９において、大当り遊技状態が終了したことを遊技者に報知する表示制御を行なう。そして、演出制御プロセスフラグの値を変動パターンコマンド受信待ち処理（Ｓ８００）に対応した値に更新する。
【０２７３】
小当り表示処理（Ｓ８０８）：小当りが発生したときに、演出表示装置９に小当りの発生を報知するための小当り表示等の演出としてのファンファーレ演出を所定時間（たとえば、１秒間）行なう制御等の表示制御を行なう。そして、演出制御プロセスフラグの値を小当り開放中処理（Ｓ８０９）に対応した値に更新する。
【０２７４】
小当り開放中処理（Ｓ８０９）：小当りにおいて、Ｖ判定入賞装置８７の開放中における各種の演出制御を行なう。そして、Ｖ判定入賞装置８７が閉鎖したら、演出制御プロセスフラグの値を小当り終了演出処理（Ｓ８１０）に対応した値に更新する。
【０２７５】
小当り終了演出処理（Ｓ８１０）：演出表示装置９において、小当り遊技状態が終了したことを遊技者に報知する演出制御を行なう。また、小当り遊技状態において、Ｖ入賞スイッチ８７ａにより遊技球のＶ入賞が検出され、Ｖ入賞が発生したことが判定されたときには、Ｖ入賞が発生したことを報知するＶ入賞演出制御をする。小当り遊技状態においてＶ入賞が発生したときには、大当り遊技状態に移行させるために、演出制御プロセスフラグの値を大当り表示処理（Ｓ８０４）に対応した値に更新する。一方、小当り遊技状態においてＶ入賞が発生しなかったときには、大当り遊技状態に移行させないので、演出制御プロセスフラグの値を変動パターンコマンド受信待ち処理（Ｓ８００）に対応した値に更新する。
【０２７６】
演出制御プロセス処理では、上記した各処理により、演出表示装置９の表示状態が制御され、特別図柄の変動表示に対応した変動時演出が開始され、特別図柄の変動表示結果に対応した演出結果が表示される。演出制御用ＣＰＵ１０１は、たとえば、受信した変動パターンコマンド、および、表示結果指定コマンドに基づいて、実行される変動表示について、指定された変動パターン、および、表示結果を認識し、変動時演出の演出結果を決定する。また、演出制御プロセス処理では、Ｓ５００により、演出制御プロセスの実行状況を確認し、遊技制御状態に応じて、打球促進演出が実行される。
【０２７７】
パチンコ遊技機１では、打球促進演出として、高ベース状態右打ち促進報知、小当り右打ち促進報知、および、大当り右打ち促進報知を含む複数種類の打球促進演出を実行可能である。高ベース状態右打ち促進報知は、高ベース状態において、右打ちをしてゲート３２および可変入賞球装置１５（第２始動入賞口１４）への遊技球の進入を狙わせるための打球促進演出である。小当り右打ち促進報知は、小当り遊技状態において、右打ちをしてＶ判定入賞装置８７（Ｖ入賞領域）への遊技球の進入を狙わせるための打球促進演出である。大当り右打ち促進報知は、大当り遊技状態において、右打ちをして大当り可変入賞球装置２０（大入賞口）への遊技球の進入を狙わせるための打球促進演出である。
【０２７８】
高ベース状態右打ち促進報知、小当り右打ち促進報知、および、大当り右打ち促進報知は、「右打ち」というような右打ちを示唆して促進するような文字画像を右向きの矢印画像ととともに継続的に表示する同じ画像を用いて実行してもよい。つまり、右打ち促進報知が、高ベース状態での促進報知と、小当りでの促進報知と、大当りでの促進報知とのいずれの種類に該当するかを特定不可能な状態で表示するものでもよい。右打ち促進報知は、「右打ち」というような右打ちを示唆して促進するような文字画像を右向きの矢印画像ととともに継続的に表示する画像として、高ベース状態右打ち促進報知については青色の画像で表示し、小当り右打ち促進報知については黄色の画像で表示し、大当り右打ち促進報知については赤色の画像で表示する等、異なる画像を用いて実行してもよい。この実施形態では、高ベース状態右打ち促進報知については青色の画像で表示し、小当り右打ち促進報知については黄色の画像で表示し、大当り右打ち促進報知については赤色の画像で表示する例を説明する。また、打球促進演出の種類に応じて、演出に用いる画像の大きさを異ならせるようにしてもよい。たとえば、遊技者にとっての有利度により、演出に用いる画像の大きさを異ならせるようにしてもよい。一例として、小当り右打ち促進報知については小型の画像を用いて促進報知をし、高ベース状態右打ち促進報知については中型の画像を用いて促進報知をし、大当り右打ち促進報知については大型の画像を用いて促進報知をするようにしてもよい。なお、高ベース状態右打ち促進報知については、大当り右打ち促進報知と同様に、大型の画像を用いて促進報知をしてもよい。
【０２７９】
前述した実施の形態では、入賞の発生に応じて遊技媒体を遊技者の手元に払出す遊技機を説明したが、遊技媒体が封入され、入賞の発生に応じて遊技媒体を遊技者の手元に払出すことなく遊技点（得点）を加算する封入式の遊技機を採用してもよい。封入式の遊技機には、遊技媒体の一例となる複数の遊技球を遊技機内で循環させる循環経路が形成されているとともに、遊技点を記憶する記憶部が設けられており、球貸操作に応じて遊技点が記憶部に加算され、遊技球の発射操作に応じて遊技点が記憶部から減算され、入賞の発生に応じて遊技点が記憶部に加算される。入賞の発生に応じて遊技媒体を遊技者の手元に払出す遊技機を説明したが、遊技媒体が封入され、入賞の発生に応じて遊技媒体を遊技者の手元に払出すことなく遊技点（得点）を加算する封入式の遊技機を採用してもよい。封入式の遊技機には、遊技媒体の一例となる複数の遊技球を遊技機内で循環させる循環経路が形成されているとともに、遊技点を記憶する記憶部が設けられており、球貸操作に応じて遊技点が記憶部に加算され、遊技球の発射操作に応じて遊技点が記憶部から減算され、入賞の発生に応じて遊技点が記憶部に加算される。
【０２８０】
本実施の形態では、「割合（比率、確率）」を例示したが、「割合（比率、確率）」は、これに限るものではなく、たとえば０％〜１００％の範囲内の値のうち、０％を含む値や、１００％を含む値、０％および１００％を含まない値であってもよい。
【０２８１】
遊技者にとって有利な遊技状態とは、大当り遊技状態、時短状態、高ベース状態、および、大当り遊技後の遊技状態が通常状態に比べて大当りとすることに決定される確率が高い状態である確変状態等、遊技者にとって通常状態よりも有利な遊技状態であればどのような遊技状態であってもよい。
【０２８２】
遊技者の操作（動作）を検出可能な検出手段として、スティックコントローラ１２２のような遊技者により操作可能な操作手段の操作を検出可能な傾倒方向センサユニット１２３のような検出手段を一例として示した。しかし、これに限らず、遊技者の動作を検出可能な検出手段としては、プッシュボタン１２０の操作を検出可能なプッシュセンサ１２４等のその他の検出手段を用いてもよく、操作手段の操作を検出する手段ではなく、赤外線センサ、および、モーションセンサ等のような遊技者の動作を直接的に検出可能な検出手段を用いてもよい。
【０２８３】
なお、今回開示された実施の形態はすべての点で例示であって制限的なものではないと考えられるべきである。本発明の範囲は上記した説明ではなく特許請求の範囲によって示され、特許請求の範囲と均等の意味および範囲内でのすべての変更が含まれることが意図される。
【０２８４】
（特徴部９０ＡＫに関する説明）
続いて、特徴部９０ＡＫについて説明する。特徴部９０ＡＫのパチンコ遊技機１では、特徴部９０ＡＫの特定期間（例えば時短状態、高ベース状態に制御されてからの最初の変動中）において特定条件が成立していること（当り（小当りまたは大当り）となる変動が実行されることや当りとなる保留情報があること）に基づいて、報知演出を実行可能であり、報知演出が実行されることを示唆する示唆演出を実行可能である。そして、当りとなる保留情報等が複数ある場合には、報知演出が複数回実行可能となっている。また、特定期間において、報知演出が実行される前に報知演出が実行されることを示唆するときと、報知演出が実行された後に再度報知演出が実行されることを示唆するときと、で実行後に報知演出が実行される割合が異なるように示唆演出を実行可能になっている。具体的には、特定期間において報知演出が一旦実行された後は、報知演出が実行される前よりも示唆演出（ガセも含む）が実行されやすくなる。これにより、大当り（特別図柄による大当りまたは小当り経由の大当り）となることが報知演出により報知され、言わば大当りとなる権利がストックされて遊技者が安心した状態で、更に大当りとなる権利がストックされるか否かを効果的に煽ることができ、興趣が向上する。
【０２８５】
なお、特徴部９０ＡＫの大当り種別、小当り種別、大当り、小当り確率は、上記実施の形態（図２、図５等）と同様のものを想定している。即ち、高ベース状態においては、第２特別図柄の変動表示で小当り（小当り経由の大当り）となる割合が約１／７と高く、大当りとなる権利がストックされやすい遊技機を想定している。
【０２８６】
先ず、特徴部９０ＡＫの報知演出、示唆演出を始めとした演出動作例について説明する。図２０−１は、特徴部９０ＡＫの演出動作例を示す図である。また、図２０−２は、時短状態開始後の変動や演出のタイミングチャートである。
【０２８７】
図２０−１（Ａ）は、演出表示装置９に「大当り終了」と表示され、大当り遊技状態が終了したことを示している。演出表示装置９の右下では、演出図柄の変動表示に対応した小図柄が表示されており、図２０−１（Ａ）では、大当りとなったことに対応して７が揃った小図柄が表示されている。
【０２８８】
大当り遊技状態が終了すると、時短状態に制御されることになるが、特徴部９０ＡＫでは、時短状態における初回の第２特別図柄の変動表示（以下、時短初回特図２変動ともいう）の変動パターンとして、変動表示時間の長い変動パターンが選択されるようになっている。例えば、時短初回特図２変動中に、第２保留記憶をＭＡＸまで溜めるのに十分長さの変動パターンが選択される。
【０２８９】
そして、時短初回特図２変動中に、当該変動の表示結果が当り（小当りまたは大当り）となる場合、または、第２保留記憶が溜まってその中に当りとなる保留情報がある場合、即ち、時短状態移行後最大５回分の第２特別図柄の変動表示に基づいて当りとなる場合、大当り（特別図柄による大当りまたは小当り経由の大当り）となる権利があることを報知する報知演出が実行される。また、時短初回特図２変動中には、報知演出が実行されることを示唆する示唆演出も実行される。時短初回特図２変動中には、保留を溜めることを促す演出が実行され、溜まった保留内に大当りとなる権利がストックされたか否かを煽る演出が実行されることになる。なお、当該変動の表示結果及び保留情報をまとめて保留情報等ということがある。
【０２９０】
この実施例では、図２０−２に示すように、時短初回特図２変動用の長時間変動パターンとして、変動表示時間が１２０秒の変動パターンが選択されるようになっている。そして、この１２０秒の変動表示中において、特徴部９０ＡＫの報知演出や示唆演出が実行されるようになっている。このような時短初回特図２変動中が特徴部９０ＡＫの特定期間となっている。
【０２９１】
大当り遊技状態が終了して、時短状態が開始されると、図２０−１（Ｂ）に示すように、演出表示装置９に「ストックチャレンジ突入！」、「時間内に大当りをストックしろ！」という時短導入表示９０ＡＫ００１が表示され、時短状態における演出内容が説明される。このとき、右打ちを促進する右打ち促進画像９０ＡＫ００２が表示される。これにより、遊技者に右打ちをして可変入賞球装置１５に遊技球を入賞させることを促す。図２０−１（Ｂ）の表示は、可変入賞球装置１５に遊技球が入賞して時短初回特図２変動が開始されるまで継続する。
【０２９２】
なお、大当り遊技状態に制御される前に低ベース状態であった場合には、時短状態に制御されるときに第１保留記憶が残っていることがある。この場合、図２０−１（Ｂ）に示すような時短導入表示９０ＡＫ００１の表示中に、当該第１保留記憶を変動時間の短い変動により消化するようにすればよい。なお、当該第１保留記憶に基づいて大当りや小当りとなることもあるが、その場合は特別な演出を実行するようにしてもよい。
【０２９３】
また、大当り遊技状態に制御される前に高ベース状態（時短状態）であった場合には、時短状態に制御されるときに第２保留記憶が残っていることがある。この場合、時短状態における遊技性を遊技者は理解しているので、図２０−１（Ｂ）に示すような時短導入表示９０ＡＫ００１の表示を省略して、当該第２保留記憶に基づいて、図２０−１（Ｃ）以下に示すような時短初回特図２変動の演出を開始するようにしてもよい。
【０２９４】
時短導入表示９０ＡＫ００１の表示中に可変入賞球装置１５に遊技球が入賞すると、当該入賞に基づいて第２特別図柄の変動表示が実行され、図２０−１（Ｃ）に示すように、演出表示装置９においても小図柄の変動表示と、時短初回特図２変動の演出が開始される。
【０２９５】
図２０−１（Ｃ）に示すように、時短初回特図２変動が開始されると、演出表示装置９に保留を溜めることを促す文字９０ＡＫ００３が所定期間（例えば１５秒）表示されて、保留溜め促進報知が実行される。また、変動表示の残り時間、即ち、保留を溜めきるまでの猶予を示すカウントダウン表示９０ＡＫ００４が表示される。図２０−１（Ｃ）は、変動表示開始時なので残り時間が１２０秒であることを示すカウントダウン表示９０ＡＫ００４が表示されている。その後、時間経過により、図２０−１（Ｄ）に示すように、カウントダウン表示９０ＡＫ００４がカウントダウンされる。
【０２９６】
また、図２０−１（Ｃ）に示すように、演出表示装置９の下方には、ストックされた当りの数を表示するストック表示領域９０ＡＫ００５が設けられている。ストック表示領域９０ＡＫ００５には、報知演出が実行される毎に星の画像が表示されるようになっており、遊技者は星の画像の数で当りのストック数を把握することができる。このように、ストック表示領域９０ＡＫ００５に星の画像を表示することで、当りのストック数を表示することも報知演出に含まれてもよい。
【０２９７】
この実施例では、時短初回特図２変動中には、当該変動表示及びＭＡＸ４つの保留情報に基づいて大当りとなる可能性があるため、最高５回の大当りをストックすることができるようになっている。よって、時短初回特図２変動中、最高５回の報知演出が実行され、ストック表示領域９０ＡＫ００５に星の画像が５つ表示される可能性がある。
【０２９８】
この実施例では、報知演出が実行される前に、報知演出が実行されることを示唆する示唆演出が実行され、示唆演出が実行される前に、示唆演出が実行されるか否かを煽る導入演出が実行されるようになっている。そして、図２０−２に示すように、時短状態における初回の第２特別図柄の変動表示中には、導入演出、示唆演出、及び、報知演出を実行可能な演出期間１〜５が予め定められている。
【０２９９】
この実施例では、示唆演出は、キャラクタ同士がバトルするバトル演出であって、当該バトル演出において遊技者側（味方）のキャラクタが勝利することが、大当りがストックされたことを報知する報知演出となる。バトル演出において遊技者側のキャラクタが敗北した場合、大当りはストックされず、報知演出が実行されないことになる。このように、遊技者側のキャラクタが敗北する示唆演出をガセの示唆演出ともいう。
【０３００】
導入演出は、示唆演出が実行され得ることを示す演出であり、例えば、示唆演出（バトル演出）が実行され得ることを示す画像や、バトル演出の遊技者側のキャラクタを表示する演出等、示唆演出の導入部分となる演出となっている。
【０３０１】
図２０−２に示すように、演出期間１はカウントダウン表示９０ＡＫ００４が１００秒となったときから１５秒間であり、演出期間２はカウントダウン表示９０ＡＫ００４が８０秒となったときから１５秒間であり、演出期間３はカウントダウン表示９０ＡＫ００４が６０秒となったときから１５秒間であり、演出期間４はカウントダウン表示９０ＡＫ００４が４０秒となったときから１５秒間であり、演出期間５はカウントダウン表示９０ＡＫ００４が２０秒となったときから変動終了までの期間となっている。
【０３０２】
言い換えると、時短状態における初回の第２特別図柄の変動表示中には、変動開始から２０秒後に導入演出が実行され、その後２０秒毎に導入演出が実行されることで、示唆演出が実行されるか否かが煽られる。即ち、示唆演出が実行されて報知演出が実行され得ることが導入演出により示される。このような導入演出を実行することで、示唆演出や報知演出が実行され得るタイミングを報知することができる。
【０３０３】
図２０−２に示すように、保留溜め促進報知の終了タイミング（例えば変動開始から１５秒後）が演出決定タイミングとなっており、このタイミングで溜まっている保留情報や当該変動表示結果に基づいて、報知演出を実行するか否かや、報知演出の演出期間１〜５のいずれで実行するか、示唆演出の演出態様が決定されるようになっている。報知演出の実行有無や実行タイミングの決定方法については後述する。なお、演出決定タイミング後も、引き続き右打ち促進画像９０ＡＫ００２が表示されて右打ちが促進される。
【０３０４】
なお、演出決定タイミングにおいて、第２保留記憶数がＭＡＸでなかった場合であって、演出決定タイミング後に第２始動入賞口１４に遊技球が入賞した場合、当該入賞に基づいて報知演出や示唆演出を実行するようにしてもよい。
【０３０５】
図２０−１に戻り、図２０−１（Ｅ）に示すようにカウントダウン表示９０ＡＫ００４が１００秒となると、演出期間１となり、演出表示装置９に「バトル！？」といった導入演出画像９０ＡＫ００６が表示されて、バトル演出が実行されるか否かを煽る（示唆する）導入演出が実行される。
【０３０６】
ここで、示唆演出が実行される場合には、図２０−１（Ｆ）に示すように、味方キャラクタ９０ＡＫ００７と、敵キャラクタ９０ＡＫ００８が戦うバトル演出（示唆演出）が開始される。
【０３０７】
その後、例えば、味方キャラクタ９０ＡＫ００７が勝利して、ストック表示領域９０ＡＫ００５に星の画像９０ＡＫ００９が表示されて、大当りがストックされたことを示す報知演出が実行される。
【０３０８】
また、図２０−１（Ｈ）に示すようにカウントダウン表示９０ＡＫ００４が８０秒となると、演出期間２となり、演出表示装置９に「バトル！？」といった導入演出画像９０ＡＫ００６が表示される導入演出が実行される。
【０３０９】
ここで、示唆演出が実行される場合には、図２０−１（Ｉ）に示すように、味方キャラクタ９０ＡＫ００７と、敵キャラクタ９０ＡＫ０１０が戦うバトル演出（示唆演出）が開示される。ここでの敵キャラクタ９０ＡＫ０１０は、図２０−１（Ｆ）の敵キャラクタ９０ＡＫ００８とは異なっている。このように、示唆演出の演出態様を複数設けることで、示唆演出の演出態様によって報知演出が実行されるか否かを示唆することができる。
【０３１０】
その後、例えば、味方キャラクタ９０ＡＫ００７が敗北する示唆演出が実行される。この場合、ストック表示領域９０ＡＫ００５に星の画像９０ＡＫ００９が追加されることはない。
【０３１１】
以降、演出期間３〜５では、導入演出が実行され、当該変動表示の表示結果や保留情報に基づいて示唆演出や報知演出が実行可能となっている。
【０３１２】
その後、更に報知演出が実行されることなく、時短初回特図２変動が終了すると、図２０−１（Ｋ）に示すように、ストック表示領域９０ＡＫ００５に星の画像９０ＡＫ００９が飛び出すような演出が実行されて、図２０−１（Ｌ）に示すように、演出図柄及び小図柄に７が揃って大当りの表示結果が導出表示される。
【０３１３】
なお、図２０−１（Ｋ）〜図２０−１（Ｌ）に示すように、大当りとなるまでの演出は１回の変動中に実行されているように表示されるが、実際は、時短初回特図２変動から大当りとなることに対応した変動までに亘って実行される。即ち、図２０−２に示すように、時短初回特図２変動の後、大当りとなる変動表示までは変動時間が短い（例えば１秒の）変動パターンが選択されて、大当りとなる変動表示が高速消化され、その間に大当りの表示結果が報知されることになる。例えば、２番目の保留情報が大当りである場合、時短初回特図２変動後に、２回変動時間の短い変動が実行され、その間に大当りの報知が実行される。
【０３１４】
続いて、特徴部９０ＡＫの報知演出や示唆演出を実行するための処理について説明する。図２０−３（Ａ）は、特徴部９０ＡＫの時短初回特図２変動中に実行される時短初回特図２変動中処理の一例を示すフローチャートである。時短初回特図２変動中は、図１９に示す演出図柄変動中処理（Ｓ８０２）内にて実行される。
【０３１５】
時短初回特図２変動中処理では、演出制御用ＣＰＵ１０１は、演出決定タイミングであるか否かを判定する（ステップ９０ＡＫＳ００１）。ステップ９０ＡＫＳ００１では、例えば変動開始から１５秒後であるか否かを判定する。
【０３１６】
演出決定タイミングである場合（ステップ９０ＡＫＳ００１；Ｙｅｓ）、今回の変動において、報知演出を実行済みであることを示す報知済みフラグをオフ状態にリセットする（ステップ９０ＡＫＳ００２）。なお、報知済みフラグがオフ状態であればこの処理は省略される。
【０３１７】
なお、ステップ９０ＡＫＳ００２では、後述する報知演出実行済みフラグがオン状態である保留情報がある場合には、報知済みフラグをリセットしないようにしてよい。即ち、報知演出を実行済みである保留情報が未消化である場合には、報知済みフラグをオフ状態のままにして、ガセの示唆演出が実行されやすくしてもよい。
【０３１８】
続いて、保留情報及び当該変動の表示結果から報知演出の実行可能数（当りの数）を特定する（ステップ９０ＡＫＳ００３）。演出制御基板８０のＲＡＭ１０３には、演出制御基板８０側で記憶される保留情報である演出制御側保留情報を記憶する領域が設けられている。この実施例では、ステップ９０ＡＫＳ００３では、演出制御側保留情報を参照して、大当りまたは小当りとなる保留情報の数を特定する。
【０３１９】
図２０−３（Ｂ）は、第２特別図柄（第２始動入賞）に対応した演出制御側保留情報の一例を示している。図２０−２に示すように、演出制御側保留情報として、変動の実行順である「保留番号」、図柄指定コマンド等から特定される「表示結果」、及び、「報知演出実行済みフラグ」が対応付けて記憶される。保留番号０は、当該変動（実行中の変動）に関する情報である。報知演出実行済みフラグは、当該保留番号に対応する保留情報に対して報知演出が実行された場合にオン状態にセットされる。このフラグによって、同じ保留情報に基づいて複数回報知演出が実行されないように制御される。例えば、前回の時短初回特図２変動において報知演出が実行された保留情報の報知演出実行済みフラグがオン状態となり、今回の時短初回特図２変動では、当該保留情報に基づいて重複して報知演出が実行されないように制御する。演出制御側保留情報は、変動が終了する毎に、保留番号０の保留情報が消去されて、下位の保留情報が上位に１つずつシフトすることで更新される。
【０３２０】
ステップ９０ＡＫＳ００３では、演出制御側保留情報の表示結果及び報知演出実行済みフラグを参照して、表示結果が大当りまた小当りであり、報知演出実行済みフラグがオフ状態の保留情報の数を報知演出の実行可能数として特定する。図２０−３（Ｂ）に示す例では、報知演出の実行可能数は「１」と特定されることになる。
【０３２１】
続いて、特定された報知演出の実行可能数に基づいて報知演出の実行タイミングを決定する（ステップ９０ＡＫＳ００４）。図２０−２に示したように、この実施例では、演出期間が５つ予め定められており、ステップ９０ＡＫＳ００４では、その５つの演出期間のいずれで報知演出を実行するかを決定する。
【０３２２】
ステップ９０ＡＫＳ００４では、例えば、図２０−４（Ａ）に示すように、報知演出実行可能数に応じて、実行タイミングを複数種類のいずれかに決定する。報知演出実行可能数が「１」である場合には、実行タイミングとして演出期間１〜５のいずれか１つに決定される。報知演出実行可能数が「２」である場合には、実行タイミングとして演出期間１〜５のうちの２つに決定される。報知演出実行可能数が「３」である場合には、実行タイミングとして演出期間１〜５のうちの３つに決定される。報知演出実行可能数が「４」である場合には、実行タイミングとして演出期間１〜５のうちの４つに決定される。報知演出実行可能数が「５」である場合には、実行タイミングとして演出期間１〜５の全てに決定される。
【０３２３】
なお、演出期間の組合せは、報知演出実行可能数に応じた全ての組合せがあることに限定されず、報知演出実行可能数によって特定の演出期間は選択さないようにしてもよい。例えば、報知演出実行可能数が「２」である場合、演出期間４及び５の実行タイミングは選択されない（実行タイミングの候補とならない）ようにしてもよい。また、報知演出実行可能数が複数である場合には、偏らない演出期間の組合せとなるようにしてもよい。例えば、報知演出実行可能数が「３」である場合、演出期間１〜３や３〜５のような偏った実行タイミングは選択されないようにしてもよい。
【０３２４】
図２０−４（Ａ）に示す決定割合では、報知演出実行可能数が「１」である場合には、実行タイミングとして早いタイミング（実行期間１＞２＞３＞４＞５）に決定されやすくなっている。このようにすることで、時短初回特図２変動において報知演出が早いタイミングで実行されやすくなり、その後の演出期間で更に報知演出が実行されることを遊技者に期待させることができる。報知演出実行可能数が「５」である場合には、実行タイミングとして必ず全ての演出期間（演出期間１〜５）にて報知演出が実行されることが決定される。
【０３２５】
報知演出実行可能数が「２」〜「４」の場合の実行割合は図示していないが、複数の実行タイミングのうちいずれかに決定されればよい。例えば、実行タイミングとして早いタイミングに決定されやすくすることで、報知演出が実行された後の演出期間で更に報知演出が実行されることを遊技者に期待させることができる。なお、図２０−４に示した決定割合は一例であり、決定割合は任意の割合であってよい。例えば、全て均等割合または略均等割合で実行タイミングが決定されてもよいし、決定されない実行タイミングがあってもよい。
【０３２６】
なお、この実施例では、報知演出実行可能な保留情報等がある場合には、必ず報知演出を実行するようになっているが、各保留情報等について報知演出を実行するか否かを抽選で決定するようにしてもよい。また、報知演出実行可能な保留情報等について各実行タイミングで報知演出を実行するか否かを決定するようにしてもよい。そして、全ての実行タイミングで報知演出を実行しない旨が決定された場合、時短初回特図２変動の終了時に演出表示装置９の画面をブラックアウトさせた後に大当り図柄が揃うといったような救済パターンの報知演出を実行可能にしてもよい。このような、救済パターンの報知演出は、当り種別が有利な当り種別である場合にのみ実行されるようにしてもよい。
【０３２７】
ステップ９０ＡＫＳ００４にて報知演出の実行タイミングを決定した後には、各実行タイミングにおける示唆演出パターンを決定する（ステップ９０ＡＫＳ００５）。ステップ９０ＡＫＳ００５では、報知演出可能数分の示唆演出パターンが決定されることになる。この実施例では、示唆演出の演出態様に対応した示唆演出パターンとして示唆演出パターンＡと示唆演出パターンＢとが設けられている。示唆演出パターンＡは、例えば、図２０−１（Ｆ）に示すような味方キャラクタ９０ＡＫ００７と、敵キャラクタ９０ＡＫ００８が戦うバトル演出を行うことに対応した示唆演出パターンであり、示唆演出パターンＢは、例えば、図２０−１（Ｉ）に示すような味方キャラクタ９０ＡＫ００７と、敵キャラクタ９０ＡＫ０１０が戦うバトル演出を行うことに対応した示唆演出パターンである。この実施例では、示唆演出パターンＡの方が、示唆演出パターンＢよりも、味方キャラクタ９０ＡＫ００７が勝利して報知演出が実行される割合が高くなっている。これにより、示唆演出の演出態様によって報知演出が実行されること（味方キャラクタ９０ＡＫ００７の勝敗）を示唆することができる。
【０３２８】
ステップ９０ＡＫＳ００５においては、時短初回特図２変動中の初回（時短初回特図２変動中において複数回報知演出を実行する場合の最も早い実行タイミング）の報知演出の演出態様を決定する場合は、図２０−４（Ｂ）に示すように、示唆演出パターンＡに８０％の割合で決定し、示唆演出パターンＢに２０％の割合で決定する。時短初回特図２変動中の２回目以降（複数回報知演出を実行する場合は最も早い実行タイミング以外の実行タイミング）の報知演出の演出態様を決定する場合は、図２０−４（Ｂ）に示すように、示唆演出パターンＡに７０％の割合で決定し、示唆演出パターンＢに３０％の割合で決定する。このように、いずれの場合も示唆演出パターンＡに決定される割合が高く、後述するガセの示唆演出の場合、示唆演出パターンＢに決定される割合が高くなっているので、示唆演出の演出態様によって報知演出が実行されることを示唆することができる。具体的には、示唆演出パターンＡの示唆演出が実行された場合、示唆演出パターンＢの示唆演出が実行された場合よりも、報知演出が実行されやすいことを示唆できる。
【０３２９】
そして、時短初回特図２変動中の初回の報知演出の演出態様を決定する場合は、時短初回特図２変動中の２回目以降の報知演出の演出態様を決定する場合よりも、示唆演出パターンＡに決定される割合が高くなっている。このようにすることで、報知演出が未だ実行されていない状況で示唆演出パターンＡの示唆演出が実行された場合に報知演出が実行される割合（示唆演出パターンＡの信頼度）を高くすることができ、遊技の興趣が向上する。
【０３３０】
なお、後述のように、報知演出が実行された後は、ガセの示唆演出パターンＡの示唆演出の実行割合が高くなるため、そのことからも報知演出が実行される前の方が示唆演出パターンＡの信頼度は高くなる。
【０３３１】
報知演出の各実行タイミングにおける示唆演出パターンを決定した後には、報知演出の対象となった保留情報（演出制御側保留情報）の報知演出実行済みフラグをオン状態にセットする（ステップ９０ＡＫＳ００６）。これにより、既に報知演出の対象となった保留情報に対して、大当り遊技状態の終了後に再度報知演出が実行されてしまうことを防止できる。
【０３３２】
演出決定タイミングでない場合や（ステップ９０ＡＫＳ００１；Ｎｏ）、ステップ９０ＡＫＳ００６の処理を実行した後は、演出実行タイミングのいずれかであるかを判定する（ステップ９０ＡＫＳ０１１）。ステップ９０ＡＫＳ０１１では、演出期間１〜５のいずれかの開始タイミング（時短初回特図２変動における変動残り時間１００秒、８０秒、６０秒、４０秒、２０秒のタイミング）であるかを判定する。演出実行タイミングでなければ（ステップ９０ＡＫＳ０１１；Ｎｏ）、時短初回特図２変動中処理を終了する。
【０３３３】
演出実行タイミングのいずれかであれば（ステップ９０ＡＫＳ０１１；Ｙｅｓ）、当該演出実行タイミング（演出期間）において報知演出を実行することがステップ９０ＡＫＳ００４にて決定されているか否かを判定する（ステップ９０ＡＫＳ０１２）。
【０３３４】
報知演出を実行することが決定されていれば（ステップ９０ＡＫＳ０１２；Ｙｅｓ）、当該演出期間において、図２０−１（Ｅ）、（Ｈ）に示したような導入演出、ステップ９０ＡＫＳ００５にて決定した示唆演出パターンに対応した示唆演出、及び、報知演出を実行するための設定を行い（ステップ９０ＡＫＳ０１３）、今回の変動において報知演出を実行済みであることを示す報知済みフラグをオン状態にセットして（ステップ９０ＡＫＳ０１４）、時短初回特図２変動中処理を終了する。
【０３３５】
演出実行タイミングであって、当該演出実行タイミングで報知演出を実行しない場合には（ステップ９０ＡＫＳ０１２；Ｎｏ）、報知済みフラグがオン状態であるか否かに基づいてガセの示唆演出の実行有無と実行する場合の示唆演出パターンを決定する（ステップ９０ＡＫＳ０２１〜ステップ９０ＡＫＳ０２３）。
【０３３６】
この実施例では、報知済みフラグがオン状態である場合（ステップ９０ＡＫＳ０２１；Ｙｅｓ）、報知済みフラグがオフ状態である場合よりも（ステップ９０ＡＫＳ０２１；Ｎｏ）、示唆演出の実行割合が高くなるように示唆演出の実行有無を決定するようになっている（ステップ９０ＡＫＳ０２２、ステップ９０ＡＫＳ０２３）。
【０３３７】
報知済みフラグがオフ状態である場合（ステップ９０ＡＫＳ０２１；Ｎｏ）、例えば、図２０−４（Ｄ）に示す割合で、示唆演出の実行有無と実行する場合の示唆演出パターンを決定する（ステップ９０ＡＫＳ０２２）。図２０−４（Ｄ）に示すように、報知済みフラグがオフ状態である場合、即ち、時短初回特図２変動において未だ報知演出が実行されていない場合は、示唆演出を実行しないことに対応した「実行無し」に７５％の割合で決定され、示唆演出パターンＡの示唆演出を実行することに５％の割合で決定され、示唆演出パターンＢの示唆演出を実行することに２０％の割合で決定される。
【０３３８】
報知済みフラグがオン状態である場合（ステップ９０ＡＫＳ０２１；Ｙｅｓ）、例えば、図２０−４（Ｅ）に示す割合で、示唆演出の実行有無と実行する場合の示唆演出パターンを決定する（ステップ９０ＡＫＳ０２３）。図２０−４（Ｅ）に示すように、報知済みフラグがオン状態である場合、即ち、時短初回特図２変動において報知演出が実行された場合は、示唆演出を実行しないことに対応した「実行無し」に５０％の割合で決定され、示唆演出パターンＡの示唆演出を実行することに１５％の割合で決定され、示唆演出パターンＢの示唆演出を実行することに３５％の割合で決定される。
【０３３９】
このように、報知演出実行後は報知演出が実行されない場合に５０％の割合で示唆演出が実行され、報知演出実行前は報知演出が実行されない場合に２５％の割合で示唆演出が実行されるようになっているため、報知演出実行後は報知演出実行前の２倍の割合でガセの報知演出が実行されるようになっている。このようにすることで、報知演出が実行されて、大当りとなる権利（保留情報等）がストックされた遊技者が安心感のある状況において、報知演出が実行されるか否かを示唆する示唆演出が実行されやすくなるので、大当りとなる権利が更にストックされることを期待させることができ、好適に演出を実行でき、遊技の興趣が向上する。
【０３４０】
また、報知演出実行前でも報知演出実行後でも、実行され得る示唆演出の演出態様は、示唆演出パターンＡと示唆演出パターンＢとであって共通なので、報知演出実行前後で共通の示唆演出を実行可能であるとともに、同じ示唆演出の信頼度（その後に報知演出が実行される割合）を異ならせることができ、演出の興趣が向上する。
【０３４１】
ステップ９０ＡＫＳ０２２またはステップ９０ＡＫＳ０２３にて、示唆演出の実行有無と実行する場合の示唆演出パターンを決定した後には、示唆演出を実行しないことに対応した「実行無し」に決定されたか否かを判定する（ステップ９０ＡＫＳ０２４）。
【０３４２】
ステップ９０ＡＫＳ０２２またはステップ９０ＡＫＳ０２３にて「実行無し」に決定された場合には（ステップ９０ＡＫＳ０２４；Ｙｅｓ）、今回の演出実行タイミング（演出期間１〜５のいずれかの開始タイミング）において、導入演出のみを実行するための設定を行い（ステップ９０ＡＫＳ０２６）、時短初回特図２変動中処理を終了する。
【０３４３】
ステップ９０ＡＫＳ０２２またはステップ９０ＡＫＳ０２３にて示唆演出を実行すること（示唆演出パターンＡまたはＢ）に決定された場合（ステップ９０ＡＫＳ０２４；Ｎｏ）、今回の演出実行タイミング（演出期間１〜５のいずれかの開始タイミング）において、導入演出、及び、ステップ９０ＡＫＳ０２２またはステップ９０ＡＫＳ０２３にて決定した示唆演出パターンに対応した示唆演出（味方キャラクタ９０ＡＫ００７が敗北するバトル演出）を実行するための設定を行い（ステップ９０ＡＫＳ０２５）、時短初回特図２変動中処理を終了する。以上のような時短初回特図２変動中処理により、時短初回特図２変動中に導入演出、示唆演出、及び、報知演出を実行することができる。
【０３４４】
（特徴部９０ＡＫの変形例）
本特徴部は、この実施例に限定されず、種々の変形や応用が可能であり、更に特徴を追加してもよい。また、上記実施例で説明した構成は、その全てが必須構成ではなく、その一部が欠けていてもよい。また、本特徴部と他の特徴部を適宜組み合わせてもよい。
【０３４５】
上記実施の形態の図５（Ｅ）に示すように、有利度合い小当り複数種類の小当り種別（小当り経由１６（１５）Ｒ時短大当り、小当り経由９（８）Ｒ時短大当り、および、小当り経由５（４）Ｒ時短大当り）が設けられている。このような、当り種別（遊技者に付与される特典）の有利度合いに応じて、報知演出の演出態様、報知演出の実行割合、報知演出の実行タイミングの決定割合、示唆演出パターンの決定割合等を異ならせて、当り種別を示唆するようにしてもよい。例えば、時短初回特図２変動において、第１特定期間（例えば演出期間１、２等）よりも該第１特定期間よりも後の第２特定期間（例えば演出期間４、５や、変動終了時の救済パターン等）の方がより有利な当り種別（有利な特典、例えば図柄１５Ｒ時短大当りや小当り経由１６（１５）Ｒ時短大当り）がストックされたことを報知する報知演出が実行されやすくしてもよい。即ち、第２期間に報知演出が実行される場合には遊技者にとってより有利な報知演出が実行されるようにしてもよい。このようにすることで、時短初回特図２変動でなかなか報知演出が実行されない場合でも、後半の方がより有利な報知演出が実行されて、より有利な当り種別（有利な特典）がストックされる可能性が残るので遊技者の期待感を維持することができる。
【０３４６】
また、遊技者にとっての有利度合いの低い当り種別（例えば小当り経由５（４）Ｒ時短大当り）に対しては報知演出の実行を制限してもよい。例えば、有利度合いの低い当り種別に対して報知演出を実行しないようにてもよいし、有利度合いが低い態様の報知演出を実行するようにしてもよい。このようにすることで、遊技者に過度の期待をさせて、有利度合いの低い当り種別となって落胆させてしまうことを防止できる。なお、この場合でも有利度合いの低い当り種別の前後の保留情報等に有利度合いの高い当り種別に対応した保留情報等がある場合には、逆に有利度合いの低い当り種別に対しても積極的に報知演出を実行するようにして、複数の当りがストックされたことを積極的に報知するようにしてもよい。このようにすることで、遊技者の期待感を高めることができる。
【０３４７】
上記実施例では、大当りとなる保留情報等が複数ある場合は、全ての保留情報等について報知演出を実行するようになっていたが、大当りとなる保留情報等について所定の割合で報知演出を実行するようにしてもよい。また、大当りとなる保留情報等の数に応じて、報知演出の実行割合を異ならせてもよい。例えば、大当りとなる保留情報等が所定数未満（例えば１つ）記憶されている場合よりも、大当りとなる保留情報等が所定数以上（例えば２つ以上）記憶されている場合の方が、報知演出が実行される割合が低くなるようにしてもよい。例えば、大当りとなる保留情報等が所定数以上（例えば２つ以上）記憶されている場合、２つ目以降の保留情報等についての報知演出の実行割合を低くしてもよい。このようにすることで、大当りとなる保留情報等が所定数以上である場合には、報知演出の実行割合を低くすることで、次回の時短状態において実行可能な報知演出をストックすることができる。また、その上で、保留情報等の一部が大当りとなる保留情報等である場合よりも、保留情報等の全部が大当りとなる保留情報等である場合の方が、報知演出が実行される割合が高いようにしてもよい。保留情報等の全部が大当りとなる保留情報等である場合の報知演出は、特別な演出態様としてもよい。このようにすることで、保留情報等の全部が大当りとなる保留情報等である場合に報知演出が実行される割合が高くなるので、遊技者に対して興趣の高い演出を実行しやすくなる。
【０３４８】
報知演出や示唆演出、実行有無、演出態様、実行タイミングの決定方法や決定タイミングは上記実施例のものに限定されず、例えば始動入賞が発生する毎に、当該始動入賞に対応した表示結果を判定して、当該始動入賞より後のタイミングで報知演出を実行するか否かを決定するようにしてもよい。
【０３４９】
上記実施例や変形例では、当該変動の表示結果及び保留情報に大当りとなる権利がある場合に報知演出を実行するようにしていたが、保留情報に大当りとなる権利がある場合に報知演出を実行するようにしてもよい。
【０３５０】
上記実施例では、時短初回特図２変動において報知演出を実行するようになっていた。即ち、特徴部９０ＡＫの特定期間は時短初回特図２変動中であったが、特徴部９０ＡＫの特定期間は他の期間であってもよい。例えば、特徴部９０ＡＫの特定期間は、時短状態全体の期間（例えば時短状態における変動開始から、時短状態における変動が終了して大当り遊技状態が開始するまでの期間）であってもよいし、時短状態における最終変動中であってもよい。時短状態全体の期間を特定期間とする場合、その後の大当り中に示唆演出や報知演出を実行するようにしてもよい。また、大当り遊技状態におけるエンディング期間を特定期間として、該特定期間において記憶されている保留情報に当りとなる保留情報がある場合、当りとなる保留情報の数に応じて示唆演出や報知演出を実行するようにしてもよい。
【０３５１】
上記実施例では、報知演出として、バトル演出において遊技者側（味方）のキャラクタが勝利する演出が実行され、ストック表示領域９０ＡＫ００５に報知演出が実行される毎に星の画像が表示されるようになっていた。報知演出の演出態様はこれに限定されず、特定期間（例えば時短状態における初回の第２特別図柄の変動表示中）において特定条件が成立していること（例えば当り（小当りまたは大当り）となる変動が実行されることや当りとなる保留情報があること）を報知する演出であればよい。また、報知演出の演出態様を複数種類設けて、演出態様に応じて有利度合い（当りの種類等）が異なるようにしてもよい。例えば、ストック表示領域９０ＡＫ００５に複数種類の表示色のいずれかで星の画像が表示されるようにして、星の画像の表示色によって当りの有利度合いを示唆するようにしてもよい。また、一の星の画像によって、複数の当りがストックされていることを示唆できるようにして、星の画像の表示色によって、当りのストック数を示唆するようにしてもよい。より具体的には、星の画像の表示色として、白、青、赤を設けて、白＜青＜赤の順で当りの有利度合いや当りの数の期待度が高くなるようにしてもよい。また、報知演出が実行されて星の画像が表示されてから、星の画像の表示態様が変化する演出を実行するようにしてもよい。
【０３５２】
報知演出の演出態様を複数種類設ける場合において、示唆演出の演出態様（例えば敵キャラクタ）に応じて、いずれの報知演出が実行されるかの割合が異なるようにしてもよい。即ち、示唆演出の演出態様によって報知演出の演出態様を示唆するようにしてもよい。例えば、敵キャラクタとしてキャラＡとキャラＢがある場合に、示唆演出における敵キャラクタがキャラＡの場合は、勝利すると赤い星の画像をストックしやすく、キャラＢの場合は、勝利すると白い星の画像をストックしやすくなるようにしてもよい。また、示唆演出における敵キャラクタがキャラＡの場合は、勝利する期待度は低いが勝利すると赤い星の画像をストックしやすく、キャラＢの場合は、勝利する期待度は高いが勝利すると白い星の画像をストックしやすくなるようにしてもよい。このようにすることで、示唆演出に遊技者が注目するようになり、遊技の興趣が向上する。
【０３５３】
上記実施例では、報知演出実行前後で実行され得る示唆演出は共通であったが、報知演出実行前後で実行され得る示唆演出が異なっていてもよい。例えば、報知演出実行後では、報知演出実行前には実行されないパターン（例えば示唆演出パターンＣ）の示唆演出が実行されるようにしてもよい。そして、報知演出実行後にガセの示唆演出を実行する場合には、示唆演出パターンＣの決定割合のみ高くするようにしてもよい。このようにすることで、示唆演出パターンＡやＢの示唆演出の信頼度が極端に変化することを防止できる。
【０３５４】
上記実施例では、報知演出が実行された後よりも報知演出が実行される前の方が、示唆演出パターンＡが実行された後に報知演出が実行される割合（示唆演出パターンＡの信頼度）が高くなっていたが、報知演出が実行された前よりも報知演出が実行される後の方が示唆演出パターンＡの信頼度が高くなるようにしてもよいし、報知演出の前後で同じ信頼度としてもよい。
【０３５５】
（特徴部９０ＡＫに係る手段の説明）
（１）特徴部９０ＡＫに係る遊技機は、
遊技を行う遊技機（例えば特徴部９０ＡＫに係るパチンコ遊技機１）であって、
特定期間（例えば時短状態における初回の第２特別図柄の変動表示中）において特定条件が成立していること（例えば当り（小当りまたは大当り）となる変動が実行されることや当りとなる保留情報があること）に基づいて、報知演出を実行可能な報知演出実行手段（例えばステップ９０ＡＫＳ００３、ステップ９０ＡＫＳ００４、ステップ９０ＡＫＳ０１３の処理を実行する演出制御用ＣＰＵ１０１）と、
前記報知演出が実行されることを示唆する示唆演出を実行可能な示唆演出実行手段（例えばステップ９０ＡＫＳ００５、ステップ９０ＡＫＳ０１３の処理を実行する演出制御用ＣＰＵ１０１）と、
前記特定条件の成立に基づいて、前記特定期間の経過した後に、遊技者にとって有利な特典を付与する特典付与手段（例えばＳ３０５〜Ｓ３０９の処理を実行するＣＰＵ５６）と、を備え、
前記報知演出実行手段は、前記特定期間における前記特定条件の成立数に応じた回数、前記報知演出を実行可能であり、
前記特定期間において、前記報知演出が実行される前に前記示唆演出を実行するときと、前記報知演出が実行された後に前記示唆演出を実行するときと、で前記示唆演出実行後に前記報知演出が実行される割合が異なる（例えばステップ９０ＡＫＳ０２１〜ステップ９０ＡＫＳ０２３の処理にて、報知済みフラグがオン状態であるか否かに基づいてガセの示唆演出の実行有無と実行する場合の示唆演出パターンを決定する演出制御用ＣＰＵ１０１）。
このような構成によれば、遊技の興趣が向上する。
【０３５６】
（２）上記（１）に記載の遊技機において、
前記示唆演出実行手段は、前記報知演出が実行される前と、前記前記報知演出が実行された後と、で共通の前記示唆演出（例えば示唆演出パターンＡ、Ｂの示唆演出）を実行可能であるようにしてもよい。
このような構成によれば、遊技の興趣が向上する。
【０３５７】
（３）上記（１）または（２）の遊技機において、
可変表示に関する情報を保留情報として記憶可能な保留記憶手段（例えばＲＡＭ５５の第２保留記憶バッファや、ＲＡＭ１０３の演出制御側保留情報）をさらに備え、
前記報知演出実行手段は、前記特定条件として、前記保留記憶手段に遊技者にとって有利な有利状態に制御されることに対応した保留情報が記憶されること、または、実行中の可変表示に基づいて前記有利状態に制御されることの少なくともいずれかが成立していることに基づいて前記報知演出を実行可能である（例えば演出制御側保留情報に当りとなる保留情報等がある場合に報知演出を実行可能である）ようにしてもよい。
このような構成によれば、遊技の興趣が向上する。
【０３５８】
（４）上記（１）から（３）のいずれかの遊技機において、
前記特定期間において、前記報知演出が実行される前よりも、前記前記報知演出が実行された後の方が、前記示唆演出が実行される割合が高い（例えばステップ９０ＡＫＳ０２１〜ステップ９０ＡＫＳ０２３、図２０−４（Ｄ）、（Ｅ））ようにしてもよい。
このような構成によれば、遊技の興趣が向上する。
【０３５９】
（５）上記（１）から（４）のいずれかの遊技機において、
前記示唆演出実行手段は、第１示唆演出（例えば示唆演出パターンＢの示唆演出）と、該第１示唆演出よりも実行後に前記報知演出が実行される割合が高い第２示唆演出（例えば示唆演出パターンＡの示唆演出）と、を実行可能であり、
前記特定期間において、前記報知演出が実行された後よりも、前記前記報知演出が実行される前の方が、前記第２示唆演出が実行された後に前記報知演出が実行される割合が高い（例えば図２０−４（Ｂ）、（Ｃ））ようにしてもよい。
このような構成によれば、遊技の興趣が向上する。
【０３６０】
（６）上記（１）から（５）のいずれかの遊技機において、
前記特典付与手段は、前記特定条件の成立に基づいて、第１の特典（例えば小当り経由５（４）Ｒ時短大当り）と、該第１の特典よりも有利な第２の特典（例えば小当り経由１６（１５）Ｒ時短大当り、小当り経由９（８）Ｒ時短大当り、図柄１５Ｒ時短大当り）と、を付与可能であり、
前記特定期間として、第１特定期間（例えば演出期間１、２等）と、該第１特定期間よりも後の第２特定期間（例えば演出期間４、５や、変動終了時の救済パターン等）と、を含み、
前記第１特定期間よりも前記第２特定期間の方が、前記第２の特典が付与されることを報知する前記報知演出が実行されやすいようにしてもよい。
このような構成によれば、遊技の興趣が向上する。
【０３６１】
（７）上記（１）から（６）のいずれかの遊技機において、
可変表示に関する情報を保留情報として記憶可能な保留記憶手段（例えばＲＡＭ５５の第２保留記憶バッファや、ＲＡＭ１０３の演出制御側保留情報）をさらに備え、
前記保留記憶手段に、遊技者にとって有利な有利状態に制御されることに対応した保留情報が所定数（例えば２）未満記憶されている場合よりも、前記有利状態に制御されることに対応した保留情報が所定数以上記憶されている場合の方が、前記報知演出が実行される割合が低く、
前記保留記憶手段に記憶されている保留情報が一部前記有利状態に制御されることに対応した保留情報である場合よりも、前記保留記憶手段に記憶されている保留情報が全て前記有利状態に制御されることに対応した保留情報である場合の方が、前記報知演出が実行される割合が高いようにしてもよい。
このような構成によれば、遊技の興趣が向上する。
【０３６２】
（特徴部１０９ＡＫに関する説明）
続いて、特徴部１０９ＡＫについて説明する。特徴部１０９ＡＫのパチンコ遊技機１は、小当り保留報知、小当り保留開始演出、小当り保留追加演出等を実行する。なお、遊技の流れについては、上記実施の形態の流れ（第２特別図柄の変動表示では約１／７で小当りが発生。小当り→Ｖ入賞→大当り遊技状態。大当り遊技状態後は電チューサポート制御が付いて第２始動入賞が可能となり、これにより、小当り→Ｖ入賞→大当り遊技状態が生じやすい状況が続く。など）を想定している。特徴部１０９ＡＫは、他の特徴部と組み合わせることも可能である。例えば、特徴部９０ＡＫに特徴部１０９ＡＫの小当り保留報知、小当り保留開始演出、小当り保留追加演出等に関する技術思想を適用してもよい。
【０３６３】
特徴部１０９ＡＫを説明するにあたり、以下では、第１特別図柄の変動表示を第１変動表示ともいい、第２特別図柄の変動表示を第２変動表示ともいう。
【０３６４】
（小当り保留報知）
小当り保留報知は、Ｖ入賞後の大当り遊技状態（小当り経由の大当り発生による大当り遊技状態）に制御されているときに実行される。小当り保留報知は、前記大当り遊技状態に制御されているときに、実行が保留されている１個以上の第２変動表示（第２保留記憶）の中に、表示結果が小当り図柄となる第２変動表示（以下、小当り保留ともいう）が含まれるとき（保留記憶されている１つ以上の第２保留記憶データ等の中に、表示結果が小当りとなる第２変動表示を実行させる第２保留記憶データ（小当りの第２変動表示に対応する第２保留記憶データ）が含まれるとき）に、その旨を報知する演出である。小当り保留報知は、先読み判定の判定結果に基づいて実行される。
【０３６５】
小当り保留報知が実行される場合の演出表示装置９の演出画面例を、図２１−１を参照して説明する。なお、図２１−１等に示すように、特徴部１０９ＡＫでは、画面右下の領域ＨＢに、現在の第２保留記憶（第２保留記憶データ）の数と同数の黒丸の画像が表示され、第２保留記憶の数（現在保留されている第２変動表示の数）が報知される。前記黒丸の画像を、保留表示ともいう。保留表示それぞれは、第２保留記憶（保留されている変動表示）それぞれと一対一で対応している。保留表示は、左詰めで最大４つ（第２保留記憶の上限個数が４個であるため）表示され、左に表示されたものほど、先に実行される変動表示に対応している（最も左に位置する保留表示は、次に実行される第２変動表示に対応している）。図２１−１では、保留表示が４つ表示されており（第２保留記憶数が４である）、以下では、各保留表示に対応する４つの第２保留記憶のうちの２つが、小当り保留であるものとする。
【０３６６】
Ｖ入賞後の大当り遊技状態の開始時、図２１−１（Ａ）に示すように、大当り遊技状態が開始した旨を報知する第１報知画像１０９ＡＫ００１（「大当り！！」）が表示される。なお、演出図柄（ここでは、３つの演出図柄）は、普段、画面中央に表示されるが、大当り遊技状態中等には、他の演出を邪魔しないよう、右上隅の表示領域９Ａにて縮小表示される。図２１−１（Ａ）は、小当り発生後の状態であるので、図２１−１（Ａ）では小当りの演出図柄として、「３」が揃って表示されている。
【０３６７】
第１報知画像１０９ＡＫ００１の表示後、図２１−１（Ｂ）に示すように、小当り保留報知が実行される。ここでは、小当り保留報知として、小当り保留（第２保留記憶として記憶されている、可変表示結果が小当りの第２変動表示に対応する第２保留記憶データともいえる。以下、同じ）の数を報知する第２報知画像１０９ＡＫ００２が表示される。図２１−１（Ｂ）での第２報知画像１０９ＡＫ００２は、現在の４つの第２保留記憶の中に小当り保留が２つ存在するので、「小当り保留×２！」であり、これにより小当り保留が２つあることを報知する。なお、小当り保留報知は、実際の小当り保留の数よりも少ない数を報知する場合がある（詳細は後述する）。
【０３６８】
上記第１報知画像１０９ＡＫ００１の表示及び第２報知画像１０９ＡＫ００２の表示（小当り保留報知）は、大当り遊技状態において最初に実行されるファンファーレ演出（大当り遊技状態が開始したことを報知する演出）を構成している。
【０３６９】
小当り保留報知のあと（ファンファーレ演出後）は、図２１−３（Ｃ）に示すように、小当り保留に関連する画像として、第３報知画像１０９ＡＫ００３と、第４報知画像１０９ＡＫ００４と、が表示開始される。
【０３７０】
第３報知画像１０９ＡＫ００３は、小当り保留報知で報知された小当り保留のうち、未実行（未消化）の小当り保留の数（小当りとなる保留記憶に対応する変動表示の数。以下、残小当り保留数ともいう）を報知する。ここでは、第３報知画像１０９ＡＫ００３として「残小当り保留×２」が表示され、小当り保留は１つも実行（消化）されていないので、残小当り保留数が２個であることが報知されている。
【０３７１】
第４報知画像１０９ＡＫ００４は、小当り保留報知で報知された小当り保留のうち、次の小当り保留が実行開始されるまでの期間（残り時間）を報知する。ここでは、第４報知画像１０９ＡＫ００４は、「次の小当り保留の変動開始まで」の文字列画像と、時間の経過とともに徐々に減少する黒部分の長さにより、次の小当り保留が実行開始されるまでの期間を報知するメータ画像と、を含む。メータ画像は、次の小当り保留の開始時に黒部分が無くなり残り時間が「０」となる。
【０３７２】
ここで、メータ画像に関して、次の小当り保留が実行開始されるまでの期間は、大当り遊技状態の期間に依存する。大当り遊技状態の各ラウンドは、上述のように、所定期間（たとえば２９秒間）が経過したこと、または、所定個数（たとえば１０個）の入賞球が発生したことのいずれか早い方の成立に応じて終了するため、大当り遊技状態の期間は、固定ではない。従って、次の小当り保留が実行開始されるまでの期間も固定でなく、第４報知画像１０９ＡＫ００４のメータ画像の表示を開始するときにおいて、次の小当り保留が実行開始されるまでの期間は特定できない。そこで、メータ画像の表示開始以降、黒部分が減る速度を低速（例えば、大当り遊技状態が最長期間（各ラウンドで、入賞球が前記所定個数に達しないときの期間）となったり、小当り保留までに実行される変動表示の変動時間が長かったりしても、黒部分が無くならないよう、予め設定された速度）とし、小当り保留の開始前の所定期間（エンディング演出又は第２変動表示の終了近くの期間）において当該黒部分が減る速度を上昇させ、又は、小当り保留の開始直前に当該黒部分を一気に無くすようにするとよい。このようにして、メータ画像により報知される残り時間の帳尻合わせをするとよい。
【０３７３】
上記第３報知画像１０９ＡＫ００３等の表示に加え、小当り保留報知のあとは、図２１−３（Ｃ）に示すように、大入賞口の開放時に、当該開放を報知する第５報知画像１０９ＡＫ００５（大入賞口開放！）も適宜表示される。
【０３７４】
（小当り保留開始演出）
小当り保留開始演出は、上記小当り保留報知で報知された小当り保留（変動表示）が開始された旨を報知する演出であり、当該小当り保留の変動開始時に実行される。
【０３７５】
小当り保留開始演出が実行される場合の演出表示装置９の演出画面例を、図２１−２を参照して説明する。ここでは、小当り保留報知が実行された大当り遊技状態終了後の最初の第２変動表示が小当り保留となっており、小当り保留報知では少なくとも当該小当り保留が報知対象として報知されている。
【０３７６】
図２１−２（Ａ）は、小当り保留報知が実行された大当り遊技状態のエンディング演出の画面例を示している。エンディング演出は、大当り遊技状態の最後で実行され、大当り遊技状態が終了することを報知する。エンディング演出では、図２１−２（Ａ）のように、大当り遊技状態の終了を報知する第６報知画像１０９ＡＫ００６（「大当り終了」）１が表示される。
【０３７７】
図２１−２（Ｂ）は、エンディング演出後（つまり、大当り遊技状態終了後）、最初の第２特特別図柄の変動表示（「次変動」ともいう。ここでは、小当り保留となっている変動表示）の開始時の画面例を示している。ここでは、第２変動表示の開始にともなって、小当り保留開始演出も実行される。小当り保留開始演出は、小当り保留報知で報知された小当り保留が開始された旨を報知する第７報知画像１０９ＡＫ００７（ここでは「小当り発生変動！」）を表示する演出である。なお、第２変動表示は、小当り保留開始演出の邪魔にならないよう、領域９Ａで縮小表示されて実行される（下向き矢印は変動中を示している）。さらに、第２変動表示に伴い、保留表示が４つから３つに減る（第２変動表示の開始（保留消化）により、当該第２変動表示に対応している最も左の保留表示が消去され、右３つの保留表示が１つずつ左にシフトする）。
【０３７８】
図２１−２（Ｂ）で開始されている変動表示は、小当り保留報知で報知された小当り保留である。従って、第４報知画像１０９ＡＫ００４のメータ画像は、変動表示が開始されるタイミングで黒部分が無くなり残り時間が「０」となっている。さらに、小当り保留の変動開始により、第３報知画像１０９ＡＫ００３により報知される残小当り保留数も１つ減る。具体的に、「残小当り保留×２」が「残小当り保留×１」に変化する。
【０３７９】
（小当り保留追加演出）
小当り保留追加演出は、小当り保留報知を実行後に、第２始動入賞が発生して小当り保留がさらに増えたときに、その旨を報知する演出である。小当り保留追加演出は、ここでは、小当り保留が４つある旨の小当り保留報知を実行したあとに実行される（小当り保留追加演出の実行条件については詳細は後述）。
【０３８０】
小当り保留追加演出が実行される場合の演出表示装置９の演出画面例を、図２１−３及び図２１−４を参照して説明する。
【０３８１】
まず、図２１−３（Ａ）に示すように、小当り保留が４つある旨を報知する小当り保留報知（「小当り保留×４！」の第２報知画像１０９ＡＫ００２を表示する演出）が実行される。その後、図２１−３（Ｂ）に示すように、第３報知画像１０９ＡＫ００３（ここでは、「残小当り保留×４」）及び第４報知画像１０９ＡＫ００４（「次の小当り保留の変動開始まで」、及び、メータ画像）が表示され、図２１−３（Ｃ）に示すように、小当り保留が実行され、小当り保留開始演出（「小当り発生変動！」の第７報知画像１０９ＡＫ００７の表示）が実行される。その後、新たな第２始動入賞の発生に基づいて第２変動表示が新たに保留され、第２保留記憶が１つ発生する。小当り保留追加演出は、当該新たに保留された第２変動表示（第２保留記憶）が小当り保留だった場合に実行される。
【０３８２】
小当り保留追加演出は、図２１−４（Ａ）に示すように、Ｖ入賞後の大当り遊技状態において実行される。例えば、大当り遊技状態におけるファンファーレ演出の一部として実行される（例えば、小当り保留報知の実行期間において実行される）。小当り保留追加演出は、１つの小当り保留が追加されたこと及び追加数を報知する第８報知画像１０９ＡＫ００８を表示する演出である。第８報知画像１０９ＡＫ００８として、ここでは、「小当り保留＋１！」が表示されている。
【０３８３】
小当り保留追加演出後は、図２１−４（Ｂ）に示すように、第３報知画像１０９ＡＫ００３が報知する残小当り保留数が、小当り保留追加演出で追加した小当り保留の数だけ増加する。ここでは、「残小当り保留×３」が「残小当り保留×４」に変化する。なお、第４報知画像１０９ＡＫ００４のメータ画像等は、次の小当り保留の実行開始までの残り時間を報知するものであるので、小当り保留追加演出の影響を受けない。
【０３８４】
（他の演出）
小当り保留報知のあと、当該小当り保留報知の報知対象の全ての小当り保留（後述の小当り保留追加演出により追加があった場合には、追加後の小当り保留を含めた全ての小当り保留）の終了時又は最後の小当り保留後の大当り遊技状態（Ｖ入賞後の大当り遊技状態）の終了時までの演出を一連の演出とするとよい。小当り保留開始演出や小当り保留追加演出は、前記一連の演出の一部として実行されるとよい。特に、小当り保留開始演出のあとは、小当りが発生することに関連した特別な演出（例えば、小当り保留開始演出終了時から小当り遊技状態終了まで継続される一連の演出など）を実行するとよい。
【０３８５】
（小当り保留報知の種類）
小当り保留報知は、報知する小当り保留の数に応じて異なる態様（種類）を取る。具体的に、図２１−５に示すように、小当り保留報知として、小当り保留報知Ａ〜Ｄが用意されている。小当り保留報知Ａ〜Ｄは、第２報知画像１０９ＡＫ００２の内容及び色が異なる。
【０３８６】
小当り保留報知Ａは、報知する小当り保留の数が１つであるときに実行される。小当り保留報知Ａでは、第２報知画像１０９ＡＫ００２として、「小当り保留×１！」の画像が赤色で表示される。小当り保留報知Ｂは、報知する小当り保留の数が２つであるときに実行される。小当り保留報知Ｂでは、第２報知画像１０９ＡＫ００２として、「小当り保留×２！」の画像が赤色で表示される。
【０３８７】
小当り保留報知Ｃは、報知する小当り保留の数が３つであるときに実行される。小当り保留報知Ｃでは、第２報知画像１０９ＡＫ００２として、「小当り保留×３！」の画像が赤色で表示される。小当り保留報知Ｄは、報知する小当り保留の数が４つであるときに実行される。小当り保留報知Ｄでは、第２報知画像１０９ＡＫ００２として、「小当り保留×４！！」の画像が金色で表示される。小当り保留の数が４つの場合、そのときに上限小通だけ保留されている４つの第２保留記憶それぞれに対応する第２特別図柄の可変表示全てで、小当りが発生するため、小当り保留報知Ｄは、他の種類とは異なる色等で表示され、特別感を演出している。
【０３８８】
なお、図２１−５の小当り保留報知フラグＡ〜Ｄそれぞれは、演出制御基板８０のＲＡＭ１０３に設けられており、小当り保留報知Ａ〜Ｄそれぞれに対応している。これらについては、後述する。
【０３８９】
（特徴部１０９に係る動作等）
（保留情報、保留情報バッファ）
特徴部１０９では、図２１−６に示す保留情報に基づいて、小当り保留報知等が実行される。保留情報は、演出制御基板８０のＲＡＭ１０３に設けられた保留情報バッファに格納される。保留情報バッファには、第２変動表示の実行順である「保留番号」として、「０」〜「４」が設定されており、各保留番号に対応付けて、「表示結果」及び「報知データ」を含む保留情報が格納される。保留情報は、図柄指定コマンド等に基づいて格納されるものであり、図柄指定コマンド等が送信されてくる度、つまり、第２保留記憶が発生するたびに格納されていく。各保留情報は、保留されている各第２変動表示に対応する（当該保留情報も変動表示に関する情報である）。
【０３９０】
「表示結果」は、図柄指定コマンド等が示す先読み判定結果から特定される第２変動表示（第２保留記憶）の表示結果である。図柄指定コマンド等が示す先読み判定結果（つまり、主基板３１側から演出制御基板８０に通知される先読み判定結果）は、ここでは、大当り、小当り、はずれのいずれかを示すもので、小当り種別（小当り経由の大当り種別、ないし、小当り経由の大当りに基づく大当り遊技状態の種類）までは示していない（つまり、主基板３１側から演出制御基板８０に小当り種別は通知されない。なお、主基板３１は、小当り種別の先読み判定を行ってもよいし、小当り種別の先読み判定を行わないようにしてもよい）。このため、前記の「表示結果」としても、「大当り」、「小当り」、「はずれ」のいずれかが格納される。前記表示結果が小当りの場合、当該表示結果に対応する第２保留記憶は小当り保留であるので、当該表示結果に基づき、当該小当り保留を対象とした小当り保留報知が実行され得る。
【０３９１】
「報知データ」は、対応する「表示結果」に基づいて小当り保留報知が実行されたか（又は実行されるか）を示すデータであり、小当り保留報知が行われた場合には、「報知」が報知データとして格納される。表示結果が小当りであるが、小当り保留報知が行われていない場合には、「未報知」が報知データとして格納される。表示結果が小当り以外である場合、小当り保留報知の対象外なので「対象外」が報知データとして格納される。報知データは、表示結果と一緒に格納される。具体的に、格納する表示結果が小当りの場合には、まず「未報知」が格納される（その後の小当り保留報知の実行の決定等により「報知」に変更される）。格納する表示結果が小当り以外（はずれ又は大当り）の場合には、「対象外」が格納される。報知データは、対応する第２変動表示が小当り保留であるときに、当該小当り保留が小当り保留報知によりその存在が報知されたか否かを特定するデータである。
【０３９２】
保留情報は、変動が開始する毎に上位の保留番号に１つずつシフトする。これにより、保留情報は、遊技制御用マイクロコンピュータ５６０が管理する第２保留記憶データ（保留記憶）と対応することになる。
【０３９３】
（大当り表示処理中の処理）
演出制御用ＣＰＵ１０１は、ステップＳ８０４の大当り表示処理中において、図２１−７に示す処理を行う。図２１−７の処理は、小当り保留報知を実行するための処理である。演出制御用ＣＰＵ１０１は、例えば、演出制御プロセスフラグの値が大当り表示処理（Ｓ８０４）に対応した値に更新されたあと、最初に実行される大当り表示処理の冒頭のみにおいて、図２１−７に示す処理を行う（大当り遊技状態中は、通常状態であり、第２保留記憶は増えないため、大当り遊技状態の冒頭に当該処理を行えば足りる）。
【０３９４】
演出制御用ＣＰＵ１０１は、今回の大当り遊技状態が、Ｖ入賞に基づく大当り遊技状態であるか（小当り経由の大当りに基づく大当り遊技状態であるか）を判定する（ステップ１０９ＡＫＳ００１）。当該判定は、例えば、大当り開始３指定コマンド、大当り開始４指定コマンド、または大当り開始５指定コマンドのいずれかを受信している場合、今回の大当り遊技状態が、Ｖ入賞に基づく大当り遊技状態であると判定する。Ｖ入賞に基づく大当り遊技状態でない場合（ステップ１０９ＡＫＳ００１；Ｎｏ）には、図２１−７の処理を終了する。
【０３９５】
Ｖ入賞に基づく大当り遊技状態である場合（ステップ１０９ＡＫＳ００１；Ｙｅｓ）には、小当り保留報知フラグＡ〜Ｄのいずれかがオンであるかを判定する（ステップ１０９ＡＫＳ００２）。小当り保留報知フラグＡ〜Ｄは、演出制御基板８０のＲＡＭ１０３に設けられている。小当り保留報知フラグＡは、小当り保留報知Ａに対応し、当該小当り保留報知Ａが実行される場合にオンとなり、小当り保留報知フラグＢは、小当り保留報知Ｂに対応し、当該小当り保留報知Ｂが実行される場合にオンとなり、小当り保留報知フラグＣは、小当り保留報知Ｃに対応し、当該小当り保留報知Ｃが実行される場合にオンとなり、小当り保留報知フラグＤは、小当り保留報知Ｄに対応し、当該小当り保留報知Ｄが実行される場合にオンとなる。各フラグは、小当り保留報知を実行するときにオンとなり、当該小当り保留報知の対象となった小当り保留が全て消化されたとき（例えば、最後の小当り保留の変動が開始されるとき、残小当り保留数の報知（第３報知画像１０９ＡＫ００３の表示）が終了するとき）にオフとなる。
【０３９６】
小当り保留報知フラグＡ〜Ｄのいずれもがオフの場合（ステップ１０９ＡＫＳ００２；Ｎｏ）、小当り保留報知が実行されておらず、残小当り保留数の報知（第３報知画像１０９ＡＫ００３の表示）も行われていないので、新たな小当り保留報知が実行可能として、保留情報バッファの保留番号「１」に対応する表示結果が小当りであるかを判定する（ステップ１０９ＡＫＳ００３）。つまり、今回の大当り遊技状態のあと、最初に実行される第２変動表示において「小当り」が発生するか否か（最初に実行される第２変動表示が小当り保留であるか否か）を判定する。小当りでない場合には（ステップ１０９ＡＫＳ００３；Ｎｏ）、図２１−７の処理を終了する。一方で、小当りの場合には（ステップ１０９ＡＫＳ００３；Ｙｅｓ）、小当り保留報知の実行の有無を決定する（ステップ１０９ＡＫＳ００４）。このような処理から分かるように、ここでは、小当り保留報知は、当該小当り保留報知を実行するとした場合の大当り遊技状態直後の第２変動表示が小当りであるときにのみ実行され得る。
【０３９７】
小当り保留報知の実行の有無の決定割合を図２１−８に示す。なお、ステップ１０９ＡＫＳ００４での決定は、各種乱数値とテーブル（ＲＯＭ１０２に格納されている）とを用いた抽選により行われる（他の決定についても同様）。図２１−８中の大当りのラウンド数は、今回の大当り遊技状態のラウンド数である。図２１−８に示すように、大当りのラウンド数が多いほど、小当り保留報知を実行すると決定する割合が高い。ラウンド数が４Ｒのとき（小当り経由５（４）Ｒ時短大当りのとき）は、小当り保留報知を実行しないと決定する。ラウンド数が８Ｒのとき（小当り経由９（８）Ｒ時短大当りのとき）と、ラウンド数が１５Ｒのとき（小当り経由１６（１５）Ｒ時短大当りのとき）とでは、後者の方が高い割合で小当り保留報知を実行すると決定する。このように、小当たり保留報知は、当該報知が実行されるときの大当り有利状態が遊技者にとって有利であるほど（ラウンド数が多いほど）実行されやすい。
【０３９８】
ステップ１０９ＡＫＳ００４のあと、演出制御用ＣＰＵ１０１は、小当り保留報知を実行すると決定したかを判定し（ステップ１０９ＡＫＳ００５）、実行すると決定している場合（ステップ１０９ＡＫＳ００５；Ｙｅｓ）、保留情報バッファの記憶内容をチェックし、保留番号「１」及び「４」それぞれに対応する各表示結果が「小当り」で、保留番号「２」及び「３」それぞれに対応する各表示結果が「はずれ」であるかを判定する（ステップ１０９ＡＫＳ００６）。
【０３９９】
保留番号「１」及び「４」それぞれに対応する各表示結果が「小当り」で、保留番号「２」及び「３」それぞれに対応する各表示結果が「はずれ」である場合（ステップ１０９ＡＫＳ００６；Ｙｅｓ）、小当り保留報知Ａの実行設定を行う（ステップ１０９ＡＫＳ００７）。それ以外の場合（ステップ１０９ＡＫＳ００６；Ｎｏ）、保留情報バッファ内の「小当り」の表示結果（小当り保留）の数等に応じて、小当り保留報知Ａ〜Ｄのうちのいずれかを実行設定する（ステップ１０９ＡＫＳ００８）。各実行設定のあとは、実行設定した小当り保留報知の種類（小当り保留報知Ａ〜Ｄのいずれか）に対応する小当り保留報知フラグＡ〜Ｄのいずれかをオンする（ステップ１０９ＡＫＳ００９）。例えば、小当り保留報知Ａを実行設定した場合、小当り保留報知フラグＡをオンする。その後、報知データを更新する（ステップ１０９ＡＫＳ０１０）。
【０４００】
ステップ１０９ＡＫＳ００７で実行設定される小当り保留報知Ａは、保留番号「１」に対応する小当り保留を報知対象とし、保留番号「４」に対応する小当り保留を報知対象とする。従って、ステップ１０９ＡＫＳ００７経由のステップ１０９ＡＫＳ０１０では、保留番号「１」に対応する報知データを「未報知」から「報知」に更新し、保留番号「４」に対応する報知データについては更新しない。このように、小当り保留が２つあるが、その間に２つのはずれの第２変動表示が挟まれている場合、２つ目の小当り保留については、小当り保留報知の対象とはせず、小当り保留報知は、１つの小当り保留を報知する。なお、第２保留表示の上限個数は４であるため、２つの小当り保留の間に２つのはずれの第２保留表示が挟まれるのは、第２保留記憶が４つで小当り保留が２つのときであって（３つ以上の場合には、２つの小当り保留の間に２つのはずれの第２保留表示が挟まれることはない）、保留番号「１」及び「４」それぞれに対応する各表示結果が「小当り」で、保留番号「２」及び「３」それぞれに対応する各表示結果が「はずれ」である場合に限られる。
【０４０１】
ステップ１０９ＡＫＳ００８では、小当り保留の数（保留情報バッファに格納されている小当りの表示結果の数）や、大当り保留（保留情報バッファに格納されている大当りの表示結果）の有無に応じて、小当り報知演出の種類を決定する。具体的に、大当りの表示結果がある場合、当該表示結果の保留番号よりもあとの保留番号に対応して小当りの表示結果があったとしても、当該小当りの表示結果については、小当り保留報知の対象とはしないようにする。
【０４０２】
さらに詳細に説明すると、保留情報バッファに格納されている小当りの表示結果の数が１の場合、小当りの表示結果に対応する保留番号は、ステップ１０９ＡＫＳ００３により、必ず「１」となるので、小当り保留報知Ａの実行設定をするとともに、保留番号「１」の報知データを「報知」に更新する。
【０４０３】
保留情報バッファに格納されている小当りの表示結果の数が２の場合、そのうちの１つは上記のように必ず保留番号が「１」である。この場合、２つ目の小当りの表示結果に対応する保留番号よりも前の保留番号に対応した表示結果の中に大当りが存在するときには、小当り保留報知Ａの実行設定をするとともに、保留番号「１」の報知データを「報知」に更新し、大当りが存在しない場合には、小当り保留報知Ｂの実行設定をするとともに、２つの小当りの表示結果それぞれに対応する報知データを「報知」に更新する。
【０４０４】
ここで、保留情報バッファに格納されている小当りの表示結果の数が２であって、小当り保留報知の実行が可能なときの小当り及びはずれの保留記憶の配置（ステップ１０９ＡＫＳ００７により、１つ目の第２保留記憶は小当り保留となる配置）と、その配置において実行される小当り保留報知の種類とを、図２１−９を参照して説明する。図２１−９では、白丸で第２保留記憶を表している。図２１−９に示すように、ここで取り得る小当り及びはずれの配置は、図２１−９（Ａ）〜（Ｃ）の３つの配置に限られる。（Ａ）のように、保留されている第２変動表示のうち、１つ目及び２つ目が小当り保留で、３つ目及び４つ目がはずれの変動である場合（保留番号「１」及び「２」の表示結果が小当り、「３」及び「４」の表示結果がはずれ）には、１つ目及び２つ目の小当り保留を報知する小当り保留報知Ｂを実行設定する。（Ｂ）のように、保留されている第２変動表示のうち、１つ目及び３つ目が小当り保留で、２つ目及び４つ目がはずれの変動である場合（保留番号「１」及び「３」の表示結果が小当り、「２」及び「４」の表示結果がはずれ）には、１つ目及び３つ目の小当り保留を報知する小当り保留報知Ｂを実行設定する。一方で、（Ｃ）のように、保留されている第２変動表示のうち、１つ目及び４つ目が小当り保留で、２つ目及び３つ目がはずれの変動である場合（保留番号「１」及び「４」の表示結果が小当り、「２」及び「３」の表示結果がはずれ）には、ステップ１０９ＡＫＳ００６及び００７のように、小当り保留報知Ｂではなく、小当り保留報知Ａが実行設定される。このように、２つの小当り保留の間に２つのはずれの第２変動表示が挟まれるのは、ステップ１０９ＡＫＳ００６のように、１つ目及び４つ目が小当り保留で、２つ目及び３つ目がはずれの変動である場合に限られ、このときに、小当り保留報知Ｂの実行（２つ目の小当り保留の報知）を制限する。
【０４０５】
なお、特徴部１０９ＡＫでは、小当り保留報知の実行が可能なとき、かつ、小当り保留が複数ある場合の、小当り及びはずれの第２保留記憶の配置で、２つ目の小当り保留が４つ目の第２変動表示となる配置（保留情報バッファにおいて、２つ目の小当りの表示結果が保留番号「４」に対応している配置）は、１つ目及び４つ目が小当り保留で、２つ目及び３つ目がはずれの変動である場合に限られる。従って、２つ目の小当り保留が４つ目の第２変動表示となる場合には、小当り保留報知Ｂが制限され、代わりに小当り保留報知Ａが実行されるともいえる。
【０４０６】
保留情報バッファに格納されている小当りの表示結果の数が３の場合、そのうちの１つは上記のように必ず保留番号が「１」である。この場合、１つ目の小当りの表示結果と２つ目の小当り表示結果との間に大当りの表示結果が存在する場合には、小当り保留報知Ａの実行設定をするとともに、保留番号「１」の報知データを「報知」に更新する。１つ目の小当りの表示結果と２つ目の小当り表示結果との間に大当りの表示結果が存在しないが、２つ目の小当りの表示結果と３つ目の小当り表示結果との間に大当りの表示結果が存在する場合には、小当り保留報知Ｂの実行設定をするとともに、１つ目及び２つ目の小当りの表示結果それぞれに対応する報知データを「報知」に更新する。１つ目の小当りの表示結果と２つ目の小当り表示結果との間に大当りの表示結果が存在せず、２つ目の小当りの表示結果と３つ目の小当り表示結果との間にも大当りの表示結果が存在しない場合には、小当り保留報知Ｃの実行設定をするとともに、１つ目〜３つ目の小当りの表示結果それぞれに対応する報知データを「報知」に更新する。
【０４０７】
保留情報バッファに格納されている小当りの表示結果の数が４の場合、すべての表示結果が小当りであるので、小当り保留報知Ｄの実行設定をするとともに、すべての報知データを「報知」に更新する。
【０４０８】
以上のように、ここでは、大当り保留（表示結果が大当りとなる第２保留記憶）よりも後に実行される小当り保留については、今回実行する小当り保留報知の実行対象とはしない。なお、大当り保留（表示結果が大当りとなる第２保留記憶）よりも後に実行される小当り保留についても、今回実行する小当り保留報知の実行対象としてもよい（この場合には、小当り保留の数に応じて、小当り保留報知の種類を決定する）。
【０４０９】
小当り保留報知の実行設定は、例えば、ＶＤＰ１０９に、実行対象の小当り保留報知の実行を指示することなどを含む。ＶＤＰ１０９は、前記の指示を受け、予め定められた所定のタイミングにて小当り保留報知を実行する。また、演出制御用ＣＰＵ１０１は、小当り保留報知の実行設定として、実行対象の小当り保留報知の実行タイミング等を特定可能な演出制御パターンを設定してもよい。この場合、演出制御用ＣＰＵ１０１は、当該演出制御パターンに従って、所定のタイミングにて小当り保留報知を実行する。その他、タイマ等により、小当り保留報知の実行タイミング等を設定してもよい。このような実行設定は、他の演出についても同様である。
【０４１０】
小当り保留報知フラグＡ〜Ｄのいずれかがオンの場合（ステップ１０９ＡＫＳ００２；Ｙｅｓ）、小当り保留報知フラグＤがオンであるかを判定する（ステップ１０９ＡＫＳ０１１）。小当り保留報知フラグＤがオンの場合（ステップ１０９ＡＫＳ０１１；Ｙｅｓ）、すでに実行された小当り保留報知Ｄの対象とはなっていない小当り保留（ここでは、小当り保留報知Ｄ実行後の新たな第２始動入賞に基づく小当り保留である）があるか（つまり、保留情報バッファに、未報知の報知データに対応した小当りの表示結果があるか）を判定する（ステップ１０９ＡＫＳ０１２）。
【０４１１】
前記小当り保留がある場合（ステップ１０９ＡＫＳ０１２；Ｙｅｓ）、保留情報バッファに格納されている表示結果がすべて小当りであるかを判定する（ステップ１０９ＡＫＳ０１３）。全て小当りである場合（小当り保留報知Ｄ実行後に保留された第２変動表示が全て小当り保留の場合）、未報知の報知データに対応した小当りの表示結果（未報知の小当り保留）の数に応じた小当り保留追加演出の実行設定を行う（ステップ１０９ＡＫＳ０１４）。例えば、「小当り保留＋Ｘ！」（Ｘは、未報知の小当り保留の数の数値）の第８報知画像１０９ＡＫ００８を表示する小当り保留追加演出の実行設定を行う。その後、小当りの表示結果の対応した未報知の報知データを報知に更新する（ステップ１０９ＡＫＳ０１５）。ステップ１０９ＡＫＳ０１１〜０１３で否定（Ｎｏ）の判定結果の場合、ステップ１０９ＡＫＳ０１５のあとは、図２１−７の処理を終了する。
【０４１２】
ステップ１０９ＡＫＳ０１１〜０１３等によれば、小当り保留追加演出は、小当り保留報知Ｄの実行後（保留された４つの第２変動表示全てが小当り保留のとき）、新たに保留された第２変動表示が全て小当り保留であったときに実行される。このような小当り保留追加演出は、実行されること自体が希であるので、当該演出についてプレミア感を出してもよく、当該演出後の演出（例えば、大当り遊技状態中の演出）を通常とは異なる演出（小当り保留追加演出後でないと実行されない演出）としてもよい。
【０４１３】
上記小当り保留報知の実行設定、小当り保留追加演出の実行設定では、第３報知画像１０９ＡＫ００３の表示や更新、第４報知画像１０９ＡＫ００４の表示などの実行設定も行われる。これにより、小当り保留報知実行後に、第３報知画像１０９ＡＫ００３及び第４報知画像１０９ＡＫ００４が表示され、小当り保留追加演出実行後に、第３報知画像１０９ＡＫ００３の表示内容（残小当り保留数）が更新される。
【０４１４】
（演出図柄変動開始処理）
演出制御用ＣＰＵ１０１は、ステップＳ８０１の演出図柄変動開始処理において、図２１−１０に示す処理を行う。図２１−１０に示す処理は、第２変動表示が実行されるときに実行される。
【０４１５】
当該処理において、演出制御用ＣＰＵ１０１は、保留情報バッファに記憶された保留情報（表示結果、報知データ）のうち、保留番号「１」に対応する保留情報（今回実行される第２変動表示に対応する保留情報）を読み出して、ＲＡＭ１０３に設けられたバッファ領域に格納し（ステップ１０９ＡＫＳ１０１）、その後、保留情報バッファに格納されている保留情報のうち保留番号「１」に記憶されている保留情報（前記で読み出された保留情報）を削除し、保留番号「２」〜「４」それぞれに記憶されている各保留情報を、保留番号「１」〜「３」それぞれに対応付ける（保留情報を１つ上位の保留番号にシフトさせる）（ステップ１０９ＡＫＳ１０２）。
【０４１６】
その後、小当り保留報知フラグＡ〜Ｄのいずれかがオンであるかを判定し（ステップ１０９ＡＫＳ１０３）、オンである場合（ステップ１０９ＡＫＳ１０３；Ｙｅｓ）には、小当り保留開始演出の実行の有無を判定する（ステップ１０９ＡＫＳ１０４）。ここでは、ステップ１０９ＡＫＳ１０１で読み出した保留情報の表示結果が小当りで、報知データが「報知」である場合、つまり、今回実行される第２変動表示が、実行済みの小当り保留報知の対象の小当り保留である場合、小当り保留開始演出を実行すると判定する。小当り保留開始演出を実行すると判定した場合には（ステップ１０９ＡＫＳ１０４；Ｙｅｓ）、小当り保留開始演出の実行設定を行う（ステップ１０９ＡＫＳ１０５）。この実行設定により、これから実行される第２変動表示にて、小当り保留開始演出が実行される。
【０４１７】
その後、保留情報バッファに「報知」の報知データが格納されているかを判定し（ステップ１０９ＡＫＳ１０６）、格納されている場合（ステップ１０９ＡＫＳ１０６；Ｙｅｓ）、第３報知画像１０９ＡＫ００３が報知している残小当り保留数を１減じる設定（当該設定も他の演出の実行設定と同様に行う）を行う（ステップ１０９ＡＫＳ１０７）。これにより、第２変動表示ないし小当り保留開始演出の開始時に、例えば「残小当り保留×２」が「残小当り保留×１」に更新される。
【０４１８】
その後、保留情報バッファに「報知」の報知データが格納されていない場合（ステップ１０９ＡＫＳ１０６；Ｎｏ）、今回実行される第２変動表示が、小当り保留報知の対象の小当り保留のうちの最後の小当り保留であることになるので、第３報知画像１０９ＡＫ００３、第４報知画像１０９ＡＫ００４の表示を終了する設定（当該設定も他の演出の実行設定と同様に行う）を行う（ステップ１０９ＡＫＳ１０８）。例えば、第３報知画像１０９ＡＫ００３を、変動開始時等に「残小当り保留×１」から「残小当り保留×０」に更新してから消去する。第４報知画像１０９ＡＫ００４についても消去し、再度の表示がなされないよう設定する。その後、オンとなっている小当り保留報知フラグをオフにする（ステップ１０９ＡＫＳ１０９）。
【０４１９】
ステップ１０９ＡＫＳ１０７、１０９のあと、小当り保留報知フラグＡ〜Ｄのいずれもがオフ（ステップ１０９ＡＫＳ１０３；Ｎｏ）、ステップ１０９ＡＫＳ１０１で読み出した保留情報の表示結果が小当りかつ報知データが「報知」でない場合（ステップ１０９ＡＫＳ１０４；Ｎｏ）、演出図柄の変動表示の最終停止図柄（表示結果）や、各種演出の実行の有無や種類を表示結果や変動パターン等に基づいて決定する（ステップ１０９ＡＫＳ１１０）。その後、演出図柄の変動表示を開始させる設定（この設定によりＶＤＰ１０９は、変動表示を開始する）、前記の決定結果に応じた演出の実行設定等を行い（ステップ１０９ＡＫＳ１１１）、演出制御プロセスフラグの値を変動時演出中処理に対応した値に変更する（ステップ１０９ＡＫＳ１１２）。
【０４２０】
（各演出の実行タイミング）
図２１−１１に、保留された第２変動表示（第２保留記憶）のうち、１つ目と３つ目の第２変動表示が小当り保留で、他がハズレであるときの演出実行例を示す。図２１−１１に示すように、Ｖ入賞後の大当り遊技状態開始時から、図２１−１（Ａ）の第１報知画像１０９ＡＫ００１を表示する大当り報知が実行され、その後、図２１−１（Ｂ）に示すような小当り保留報知Ｂが実行される。大当り報知及び小当り保留報知Ｂは、大当り遊技状態のファンファーレ演出を構成している。小当り保留報知Ｂ後は、第３報知画像１０９ＡＫ００３（「残小当り保留×２」）、第４報知画像１０９ＡＫ００４（残り時間を表示するメータ画像等）が表示される（図２１−１（Ｃ）参照）。
【０４２１】
大当り遊技状態後、最初に実行される第２変動表示（１回目変動）は、小当り保留なので、当該第２変動表示の開始とともに、図２１−２（Ｂ）の第７報知画像１０９ＡＫ００７を表示する小当り保留開始演出が実行される。このとき、第４報知画像１０９ＡＫ００４が報知する残り時間は、「０」となっている（メータ画像において、黒部分が無くなっている）。残り時間が「０」の第４報知画像１０９ＡＫ００４は、小当り保留開始演出が実行されている期間中は表示され、小当り保留開始演出実行終了に伴って消去される。第４報知画像１０９ＡＫ００４は、１回目変動の第２変動表示の終了後、小当り遊技状態の開始時から再表示される（報知する残り時間は、次の小当り保留の変動開始までの残り時間となっている（メータ画像の黒部分が回復している））。さらに、１回目変動の開始及び小当り保留開始演出の開始とともに、第３報知画像１０９ＡＫ００３の表示内容が更新される（「残小当り保留×２」が「残小当り保留×１」に更新される。図２１−２）。第３報知画像１０９ＡＫ００３は、残小当り数が０になるまで継続して表示される。
【０４２２】
１回目変動後は、小当り遊技状態に制御され、そのときにＶ入賞が発生していると、小当り経由の大当り遊技状態が開始され、その後、２つ目の第２変動表示（２回目変動）が実行される。当該第２変動表示は、はずれなので、その後、小当り保留となっている３つ目の第２変動表示（３回目変動）が開始される。
【０４２３】
３つ目の第２変動表示の開始時には、第７報知画像１０９ＡＫ００７を表示する小当り保留開始演出（図２１−２（Ｂ））が実行される。また、当該第２変動表示の開始により、残小当り保留数が０となるので、当該開始とともに、第３報知画像１０９ＡＫ００３の表示内容が「残小当り保留×１」から「残小当り保留×０」に更新される。第３報知画像１０９ＡＫ００３は、当該小当り保留開始演出の終了に伴って消去される。そして、その後、第３報知画像１０９ＡＫ００３は、表示されなくなる。３つ目の第２変動表示の開始時には、第４報知画像１０９ＡＫ００４が報知する残り時間が、上記同様、「０」となる。残り時間が「０」の第４報知画像１０９ＡＫ００４は、小当り保留開始演出が実行されている期間中は表示されるが、その後消去され、残小当り保留数が０なので、再度の表示はなされない。これにより、小当り保留報知及び当該報知に関連する演出の実行が全て終了する。
【０４２４】
図２１−１２に、保留された４つの第２変動表示（第２保留記憶）が全て小当り保留であるときの演出実行例を示す。当該演出実行例における小当り保留報知、第３報知画像１０９ＡＫ００３、第４報知画像１０９ＡＫ００４の実行タイミング、内容等は、上記図２１−１１に適宜準じるので、詳細な説明は省略する。
【０４２５】
図２１−１２に示すように、Ｖ入賞後の大当り遊技状態の開始とともに、大当り報知及び大当り保留報知Ｄを含むエンディング演出が実行され、その後、第３報知画像１０９ＡＫ００３（「残小当り数×４」）、第４報知画像１０９ＡＫ００４が表示開始される。１回目変動の開始に伴って、小当り保留開始演出が実行されるとともに、第３報知画像１０９ＡＫ００３が更新され（「残小当り数×４」→「残小当り数×３」）、第４報知画像１０９ＡＫ００３（残り時間が０のメータ画像等）は、小当り保留開始演出の終了に伴って消去される。その後、新たな第４報知画像１０９ＡＫ００３が小当り遊技状態の開始に伴って表示される。
【０４２６】
ここでは、１回目変動において、小当り保留が１つだけ発生したとする（ハズレ等の他の第２保留記憶は発生していない）。この場合、その後の最初のＶ入賞後の大当り遊技状態のファンファーレ演出にて、大当り報知後に、図２１−４（Ａ）の第８報知画像１０９ＡＫ００８を表示する小当り保留追加演出が実行される。小当り保留追加演出実行後、第３報知画像１０９ＡＫ００３が更新される（「残小当り数×３」→「残小当り数×４」）。
【０４２７】
（効果等）
特徴部１０９ＡＫでは、Ｖ入賞後の大当り遊技状態の実行時に保留されている第２変動表示（Ｖ入賞後の大当り遊技状態の実行時に記憶されている第２保留記憶データ、保留情報等）に、小当り保留（表示結果が小当りとなる第２保留記憶データ、保留情報等）が含まれる場合に、その旨を報知する小当り保留報知を実行する。この特徴部１０９ＡＫでは、当該小当り保留報知の数に応じて異なる種類（態様）の小当り保留報知Ａ〜Ｄを実行するので、遊技者は、小当り保留報知の種類により小当り保留の数を把握でき、遊技の興趣が向上する。さらに、小当り保留報知Ａ〜Ｄにより、小当り保留報知のバリエーションが増えており、この点からも、遊技の興趣が向上する。なお、小当り保留は、小当り遊技状態に制御され、Ｖ入賞発生により大当り遊技状態に制御されるものであり、遊技者にとって有利な有利状態（ここでは、Ｖ入賞後の大当り遊技状態）に制御される第２変動表示である。
【０４２８】
さらに、特徴部１０９ＡＫでは、小当り保留が２つある場合（小当り保留報知が実行される大当り遊技状態を第１の有利状態とすると、第１の有利状態のあとの第２の有利状態に制御される１つ目の小当り保留と、第２の有利状態のあとの第３の有利状態に制御される２つ目の小当り保留と、がある場合）には、その旨（小当り保留が２つあること）を報知する小当り保留報知Ｂを実行するが、２つ目の小当り保留が保留４つ目の場合（保留情報バッファにおいて保留番号「１」から数えて２つ目の小当りの表示結果の保留番号が「４」のとき。つまり、小当り保留報知終了時又は当該小当り保留報知が実行される大当り遊技状態終了時から、２つ目の小当り保留が実行開始されるまでの期間が長い場合）には、小当り保留報知Ｂの代わりに、１つ目の小当り保留を対象とする小当り保留報知Ａ（１つ目の小当り保留において、小当り保留開始演出を実行する小当り保留報知Ａ）を実行する。仮に、小当り保留報知Ｂが実行され、２つ目の小当り保留の存在が報知されたにもかからず、当該２つ目の小当り保留が４つ目に実行される第２変動表示である場合があるとすると、２つ目の小当り保留の実行までの期間が長くなり、報知された２つ目の小当り保留がなかなか開始されない、小当り保留開始演出がなかなか開始されないなど、遊技者が不満を抱き、遊技の興趣が向上しない。特に、１つの小当り保留報知に関連する演出（小当り保留開始演出、第３報知画像１０９ＡＫ００３等の表示など）が全て終了するまでの期間が長くなり、遊技の興趣が向上しない。そこで、この特徴部１０９ＡＫでは、上記のように、２つ目の小当り保留が４つ目に実行される第２変動表示である場合には、１つ目の小当り保留を対象とする小当り保留報知Ａを小当り保留報知Ｂの代わりに実行するので、前記不都合を解消し、遊技の興趣を向上させることができる。
【０４２９】
さらに、特徴部１０９ＡＫでは、小当り保留が２つある場合であって、２つの小当り保留の間に２つのはずれの第２変動表示が存在する場合（保留情報バッファにおいて保留番号「１」及び「４」の表示結果が小当りで、保留番号「２」及び「３」の表示結果がはずれである場合。つまり、小当り保留報知終了時又は当該小当り保留報知が実行される大当り遊技状態の終了時から１つ目の小当り保留が実行開始されるまでの期間が短いが、当該１つ目の小当り保留の実行に基づくＶ入賞後の大当り遊技状態の終了時から２つ目の小当り保留が実行開始されるまでの期間が長い場合）、小当り保留報知Ｂの代わりに、１つ目の小当り保留を対象とする小当り保留報知Ａ（１つ目の小当り保留において、小当り保留開始演出を実行する小当り保留報知Ａ）を実行する。仮に、小当り保留報知Ｂが実行され、２つ目の小当り保留の存在が報知されたにもかからず、当該２つ目の小当り保留が４つ目に実行される第２変動表示である場合があるとすると、１つ目の小当り保留（特に、小当り経由の大当り遊技状態）のあと、２つ目の小当り保留の実行までの期間が長くなり、報知された２つ目の小当り保留が１つ目の小当り保留のあとなかなか開始されない、小当り保留開始演出がなかなか開始されないなど、遊技者が不満を抱き、遊技の興趣が向上しない。特に、１つ目の小当り保留後、１つの小当り保留報知に関連する演出（小当り保留開始演出、第３報知画像１０９ＡＫ００３等の表示など）が全て終了するまでの期間が長くなり、遊技の興趣が向上しない。そこで、この特徴部１０９ＡＫでは、上記のように、２つの小当り保留の間に２つのはずれの第２変動表示が存在する場合には、１つ目の小当り保留を対象とする小当り保留報知Ａを小当り保留報知Ｂの代わりに実行するので、前記不都合を解消し、遊技の興趣を向上させることができる。
【０４３０】
なお、２つ目の小当り保留が４つ目に実行される第２変動表示である場合、２つの小当り保留の間に２つのはずれの第２変動表示が存在する場合において、ある一定の割合で、小当り保留報知Ｂを実行するようにしてもよい（例えば、ステップ１０９ＡＫＳ００７において、小当り保留報知Ａを実行するか小当り保留報知Ｂを実行するかを抽選で決定する）。このような場合であっても、小当り保留報知Ａが実行されるときには前記不都合が解消されるので、全体としてある程度は、遊技の興趣を向上させることができる。なお、この場合、小当り保留報知Ａの実行割合を小当り保留報知Ｂの実行割合より高くすることで、より遊技の興趣を向上させることができる。
【０４３１】
さらに、２つ目の小当り保留が２つ目又は３つ目に実行される第２変動表示である場合、２つの小当り保留の間に１つのはずれの第２変動表示が存在する又は変動表示が存在しない場合に、小当り保留報知Ｂを実行可能とすることで、小当り保留報知終了時又は当該小当り保留報知が実行された大当り遊技状態終了時や１つ目の小当り保留実行後などから、２つ目の小当り保留が実行開始されるまでの期間が短い場合に、小当り保留報知Ｂを実行することができ、遊技者は、２つ目の小当り保留が近い将来（大当り遊技状態終了後の近い将来、１つ目の小当り保留後の近い将来など）実行されることを小当り保留報知Ｂにより期待でき、遊技の興趣が向上している。
【０４３２】
特徴部１０９ＡＫでは、小当り保留報知後、小当り保留開始演出を実行することで、当該小当り保留開始演出前に実行された小当り保留報知を遊技者に意識させることができ、さらに、小当り保留開始演出は、上記構成により小当り保留報知から比較的短時間で実行されるので、小当り保留報知後に比較的短期間で小当り保留の実行が開始されたことを遊技者に実感させることができる。このようなことにより、遊技の興趣が向上している。
【０４３３】
上記では、小当り保留報知Ｂの実行制限（小当り保留報知Ｂの代わりに小当り保留報知Ａを実行すること）を第２保留記憶の数の多少により決定するので、実行制限の有無の決定（演出制御）を容易にできる。また、当該実行制限の有無を遊技者にとってわかりやすくすることができ、遊技の興趣が向上する。さらに、変動時間が長い第２保留記憶があっても、有効に前記実行制限を行うことができる。
【０４３４】
上記では、２種のゲーム性（Ｖ入賞により、大当り遊技状態に制御されるなど）を採用している。２種のゲーム性では、小当り保留が発生しやすく、小当り保留報知等の演出についてスピード感が期待される。上記のような小当り保留報知Ｂの実行制限により、このようなスピード感を担保でき、遊技の興趣が向上する。
【０４３５】
さらに、小当り保留の数が３つ及び４つのときは、小当り保留報知Ｃ及びＤの実行が制限されない。これらの場合には、小当りが発生しない期間が長くならないからである（最大、保留１つ分）。これにより、小当り保留報知Ｃ及びＤの実行機会を確保でき、遊技の興趣が向上する。
【０４３６】
また、小当り保留追加演出により、小当り保留の数を上乗せすることができ、遊技の興趣が向上する。さらに、上記では、小当り保留報知Ｄの実行後であって、新たに保留された第２保留記憶が全て小当りでないと、小当り保留追加演出が実行されない。従って、小当り保留追加演出を希少化（プレミア化）でき、遊技の興趣が向上する。上記のように、当該演出後の演出（例えば、大当り遊技状態中の演出）を通常とは異なる演出（小当り保留追加演出後でないと実行されない演出）としてもよく、これにより遊技の興趣が向上する。
【０４３７】
さらに、小当り保留報知の実行割合を、大当り遊技状態のラウンド数（有利状態の種類等）に応じて異ならせることで、遊技の興趣が向上する。特に、小当り保留報知の実行割合を、大当り遊技状態のラウンド数が多いほど高くすることで（図２１−８）、小当り保留報知が実行されたときに、そのときに制御されている大当り遊技状態のラウンド数が多いこと（有利度が高いこと）を遊技者が期待でき、遊技の興趣が向上する。
【０４３８】
さらに、上記では、小当り保留報知Ａ〜Ｄのうち、小当り保留報知Ａ〜Ｃは、一部共通の態様を有する。具体的には、図２１−５に示すように、小当り保留報知Ａ〜Ｃでは、第２報知画像１０９ＡＫ００２が異なるが、表示色が「赤」で共通である。一方で、小当り保留報知Ｄは、小当り保留報知Ａ〜Ｃとは、一部共通の態様がない。具体的に、図２１−５に示すように、小当り保留報知Ｄは、小当り保留報知Ａ〜Ｃとは、第２報知画像１０９ＡＫ００２も共通しないし、表示色も共通しない（小当り保留報知Ｄは、「金」）。このように、第１の種類の小当り保留報知（小当り保留報知Ａ〜Ｃ）は互いに共通の態様がある一方、第２の種類の小当り保留報知（小当り保留報知Ｄ）は前記第１の種類（前記第１の種類以外の種類の一部でも全てでもよい）の小当り保留報知（小当り保留報知Ａ〜Ｃ）と共通の態様を有さないようにすることで、第２の種類の小当り保留報知（小当り保留報知Ｄ）に特別感を付与でき、遊技の興趣が向上する。
【０４３９】
さらに、小当り保留報知は、保留された、特別図柄による大当りの変動表示のあとの小当り保留を報知対象としないことで、当該小当り保留の実行までの期間が長くなりすぎることを防止できる。なお、上述のように、大当り保留（表示結果が大当りとなる第２保留記憶）よりも後に実行される小当り保留についても、今回実行する小当り保留報知の実行対象としてもよい（この場合には、小当り保留の数に応じて、小当り保留報知の種類を決定する）。大当り保留は、遊技者にとって有利なものであり、上記のように小当り保留報知Ｂを制限するときのように、はずれの第２保留変動が続くよりも遊技の興趣が低下しない。
【０４４０】
（変形例等）
上記特徴部１０９ＡＫの変形例を以下に列挙する。
【０４４１】
（変形例１）
上記では、２つ目の小当り保留が４つの目の第２保留記憶に対応する第２変動表示であるときに、小当り保留報知Ｂの実行制限を行うが、これに限らず、２つ目の小当り保留が３つの目以降の第２保留記憶のときに、上記のように小当り保留報知Ｂの実行を制限してもよい。また、第２保留記憶の上限数が５以上であれば、上限数に応じて、小当り保留報知Ｂの実行の制限条件を変更してもよい。例えば、上限数が５であれば、２つ目の小当り保留が５つの目の第２保留記憶に対応する第２変動表示であるときに、小当り保留報知Ｂの実行を上記のように制限してもよい。
【０４４２】
（変形例２）
上記では、大当り遊技状態後、最初に実行される第２変動表示が小当り保留であるときに、小当り保留報知を実行するようにしているが、当該条件はなくてもよい。この場合でも、１つ目の小当り保留が、大当り遊技状態後所定期間以内に実行されること（例えば、２つ目以内の保留が小当り保留であること）を条件として、小当り保留報知を実行するようにするとよい。これによっても、前記不都合等を防止できる。
【０４４３】
さらに、上記のように、４つの保留された第２変動表示において、２つの小当り保留の間に２つのハズレの第２変動表示がある場合に小当り保留報知Ｂの実行を制限した場合（図２１−１３（Ａ）参照）、１つ目の小当り保留の実行後の小当り経由の大当り遊技状態において、小当り保留報知Ａで対象としなかった２つ目の小当り保留を対象とした小当り保留報知Ａ等（そのときの小当り保留の数に応じた種類の小当り保留報知）を実行してもよい（図２１−１３（Ｂ）参照）。このように、小当り保留報知で対象としなかった小当り保留について、その後に、その小当り保留報知を対象とした小当り保留報知を実行するようにしてもよい。例えば、ステップ１０９ＡＫＳ００３を省略し、保留情報バッファに「小当り」の表示結果が格納されているときに、ステップ１０９ＡＫＳ００４等の処理を実行する。また、前記のように、小当り保留報知Ｂの代わりに小当り保留報知Ａを実行した場合に、所定のフラグをオンし、ステップＳ８０４で当該所定のフラグがオンのときには未報知の小当り保留を対象とする小当り保留報知を実行設定するようにしてもよい。これにより、小当り保留報知の実行頻度が上がり、遊技の興趣が向上する。
【０４４４】
前記のような小当り保留報知で対象としなかった小当り保留の存在を、小当り保留追加演出で報知してもよい。このような場合、ステップ１０９ＡＫＳ００１１や１０９ＡＫＳ０１３を省略する。
【０４４５】
（変形例３）
小当り保留報知で報知しなかった小当り保留がある場合、及び又は、残小当り保留数が１以上ある場合において新たな小当り保留が発生した場合、小当り保留追加演出に代えて、再度そのときの小当り保留の数を報知する小当り保留報知を実行してもよい（この場合、第３報知画像１０９ＡＫ００３等も改めて表示する）。なお、小当り保留報知と小当り保留追加演出とのいずれをも実行可能とし、どちらを実行するかを抽選等で決定してもよい。これら小当り保留報知により、遊技の興趣が向上する。
【０４４６】
（変形例４）
上記では、２つ目の小当り保留が保留４つ目の第２変動表示であるとき、かつ、小当り以外の保留記憶は、はずれのときに、小当り保留報知Ｂの実行を制限するが、小当り保留報知を実行した大当り遊技状態の終了時から２つ目の小当り保留が実行開始されるまでの期間が所定期間を超えた場合に小当り保留報知Ｂの実行を制限するようにすればよい。さらに、上記では、２つの小当り保留の間に、２つの保留された、はずれの第２変動表示がある場合（１つ目の第２変動表示が１つ目の小当り保留で、４つ目の第２変動表示が２つ目の小当り保留である場合）に、小当り保留報知Ｂの実行を制限するが、小当り保留報知終了時又は当該小当り保留報知が実行される大当り遊技状態の終了時から１つ目の小当り保留が実行開始されるまでの期間が第１期間以内であるが、当該１つ目の小当り保留の実行に基づくＶ入賞後の大当り遊技状態の終了時から２つ目の小当り保留が実行開始されるまでの期間が第２期間よりも長い場合に小当り保留報知Ｂの実行を制限するようにすればよい。前記各期間は、上記のようにハズレの保留記憶の数（なお、はずれか否かを考慮せず、単に保留記憶の数で、期間を特定してもよい。つまり、２つ目の小当り保留が保留４つ目の第２変動表示であるときや１つ目の第２変動表示が１つ目の小当り保留で、４つ目の第２変動表示が２つ目の小当り保留であるときに、小当り保留報知Ｂの実行を制限（小当り保留報知Ａを実行する）場合において、小当りの保留記憶以外は、はずれでも大当たりでもよい）で特定されてもよいし、スーパーリーチ等の長いリーチが実行されるか否か、スーパーリーチ等が実行される第２変動表示の保留記憶数（この場合、変動種別指定コマンドにより特定される変動パターン種別等を保留情報に含めて当該保留記憶数を特定すればよい）等で特定されてもよい。また、前記期間として秒数を用いてもよい。この場合、例えば、先読み判定で変動パターンまで判定し、先読み判定された変動パターンを保留発生時に演出制御コマンドにより演出制御基板８０側に通知し、演出制御用ＣＰＵ１０１は、各第２保留記憶の変動パターン（保留情報として扱えばよい）により特定される変動時間（秒数）から、小当り保留報知を実行した大当り遊技状態の終了時から２つ目の小当り保留が実行開始されるまでの期間等を計算してもよい。
【０４４７】
（変形例５）
小当り保留報知Ｄを実行する場合、例えば、「小当り×１」→「小当り×２」→「小当り×３」→「小当り×４」と更新表示してもよい。このように、小当り保留報知は、表示する小当り保留の数を段階的に増加させていき、最後に小当り保留の数を報知するようにしてもよい。なお、小当り保留報知Ｄを実行する場合、「小当り×１」→「小当り×２」→「小当り×３」までで、一端終了し、大当り遊技状態終了直前等に、「小当り×４」を表示してもよい。これらによっても遊技の興趣が向上する。
【０４４８】
（変形例６）
小当り保留報知として、図２１−１４（Ａ）のように、「小当り保留有り！」の報知画像１０９ＡＫ０３１を表示し、その後、図２１−１４（Ｂ）のように、小当り保留を示すアイコン（アイコン１０９ＡＫ０３３、アイコン１０９ＡＫ０３４）を表示するようにしてもよい。当該アイコンとして、例えば、通常態様（例えば、青色）のアイコン１０９ＡＫ０３３と、特殊態様（例えば、赤色）のアイコン１０９ＡＫ０３４と、を用意するとよい。アイコン１０９ＡＫ０３３は、例えば、小当り保留１個を示す。アイコン１０９ＡＫ０３４は、例えば、小当り保留２個を示す。図２１−１４（Ｂ）のアイコン１０９ＡＫ０３３、１０９ＡＫ０３４は、小当り保留の数（残小当り保留数）が３つであることを報知している。ここでは、アイコンの数及び種類（態様）により、小当り保留の数が報知される（報知画像１０９ＡＫ０３１と、アイコン１０９ＡＫ０３３等の表示と、により、小当り保留の数に応じた態様の小当り保留報知が実現されている）。ここでは、アイコンにより、残小当り保留数が報知されるので、第３報知画像１０９ＡＫ００３は表示されない（表示してもよい）。通常態様のアイコン１０９ＡＫ０３３と、特殊態様のアイコン１０９ＡＫ０３４とをどのような組み合わせで表示するかは、そのときの小当り保留の数に応じて抽選等で決定すればよい。
【０４４９】
アイコンは、第３報知画像１０９ＡＫ００３と同様の表示期間表示される。具体的に、アイコンは、大当り遊技状態終了後にも表示が継続され、小当り保留の変動が開始される度（小当り保留開始演出が実行される度）に、消去（通常態様の場合）されるか、変化する（特殊態様の場合。小当り保留開始演出の実行により通常態様に変化するなど）。小当り保留開始演出は、表示中のアイコンを消去又は変更する演出であるとよい。なお、小当り保留報知は、アイコンの表示開始後所定期間で終了したと捉えてもよい。この場合、小当り保留報知が終了しても、アイコンの表示は継続されることになる。第４報知画像１０９ＡＫ００４は、表示されても、表示されなくてもよい。
【０４５０】
例えば、小当り保留の数が２つのときに、通常態様のアイコン１０９ＡＫ０３３をまず表示し、その後の適宜のタイミング（大当り遊技状態終了時やその後の変動表示中など）に当該アイコン１０９ＡＫ０３３を特殊態様のアイコン１０９ＡＫ０３４に変化させる演出を実行してもよい。このように、小当り保留の数に応じて、通常態様のアイコン１０９ＡＫ０３３を表示後にアイコン１０９ＡＫ０３４に変化させてもよい。このように、アイコンを複数種類用意して、少ない数の小当り保留数を示す第１画像（通常態様のアイコン）を、当該第１画像よりも多い小当り保留数を示す第２画像（特殊態様のアイコン）に変更可能とすることで、第１画像が表示されても、第２画像への変化が期待でき、遊技の興趣が向上する。当該変更する演出を実行する際、所定画像がアイコン１０９ＡＫ０３３に接触してからアイコン１０９ＡＫ０３３をアイコン１０９ＡＫ０３４に変化させるような作用演出を実行してもよいし、このような作用演出を行わず、アイコン１０９ＡＫ０３３をアイコン１０９ＡＫ０３４に変化させてもよい。作用演出については、態様が変化しないガセの演出が実行される場合があってもよい。
【０４５１】
なお、特殊態様のアイコン１０９ＡＫ０３４を表示しているときに、小当り保留開始演出が実行された場合、当該アイコン１０９ＡＫ０３４をアイコン１０９ＡＫ０３３に変更するのではなく、アイコン１０９ＡＫ０３４を小当り保留開始演出により一度消去し、当該小当り保留の小当りに基づく大当り遊技状態において、改めて小当り保留報知を行うようにしてもよい。この場合、小当り保留が新たに増えていなければ、改めて行われた小当り保留報知により、アイコン１０９ＡＫ０３３が表示される（アイコン１０９ＡＫ０３４は、小当り保留開始演出、小当り保留報知を介して、アイコン１０９ＡＫ０３３に変更されたともとれる）。このような演出でも遊技の興趣が向上する。
【０４５２】
特殊態様のアイコン１０９ＡＫ０３４を複数種類用意してもよい。また、表示するアイコンは１つとして、その態様（例えば、４つの態様）により残小当り保留数を報知してもよい（上記同様、態様を変化させる演出を実行してもよいし、小当り保留開始演出によりその態様を小当り保留数の少ない態様に変化させてもよいし、一端アイコンを消去して再度の小当り保留報知でアイコンを再表示してもよい）。この場合、当該アイコンは、第３報知画像１０９ＡＫ００３（このように、第３報知画像１０９ＡＫ００３の態様も適宜の態様を採用できる）ともいえる。なお、第２報知画像１０９ＡＫ００２の代わりに、報知画像１０９ＡＫ０３１を表示するようにしてもよい。この場合、小当り保留報知は、報知画像１０９ＡＫ０３１と第３報知画像１０９ＡＫ００３との表示とも捉えられる（なお、第２報知画像１０９ＡＫ００２及び第３報知画像１０９ＡＫ００３の表示で小当り保留報知と捉えてもよい）。
【０４５３】
（変形例７）
小当り保留報知、小当り保留追加演出、小当り保留開始演出等の実行タイミングは他のタイミングでもよい。小当り保留報知や小当り保留追加演出は、大当り遊技状態のエンディング演出中、ラウンド中等に実行されてもよい。また、小当り保留報知や小当り保留追加演出は、有利状態（上記では、大当り遊技状態）における小当り保留の数等を報知するものであればよく、小当り遊技状態、Ｖ入賞時であってもよい（これらの場合、有利状態を小当り遊技状態〜Ｖ入賞〜大当り遊技状態の一連の状態と捉えてもよい）。また、小当り保留報知の対象となった小当り保留の実行時は、実行中の変動表示が小当り保留である旨を報知する演出が実行されればよく、このような演出として、小当り保留開始演出の他、変動開始後所定期間経過後に小当り保留である旨を報知する演出、例えば、リーチ成立時に小当り保留である旨を報知する演出、リーチ演出の一部として実行される、小当り保留である旨を報知する演出を採用してもよい。小当り保留追加演出は、小当り保留発生時や変動表示時に適宜実行されてもよい。
【０４５４】
（変形例８）
小当り保留報知が報知する小当り保留の数と、実際の小当り保留の数とが異なる場合があってもよい。例えば、実際の小当り保留の数が４つの場合に、小当り保留報知A〜Ｃのいずれかが実行される場合等があってもよい（例えば、小当り保留報知の種類を、実際の小当り保留の数に応じて決定割合が異なる抽選により決定する）。また、例えば、第２記憶保留数の上限を５つ以上とする場合で、２つ目の小当り保留が上記のように保留４つ目以降であったり、１つ目の小当り保留と２つ目の小当り保留との間が２つのハズレの保留であったりするときに、小当り保留報知Ｂ〜Ｄのいずれかを実行する代わりに小当り保留報知Ａを実行可能としてもよい。
【０４５５】
（変形例９）
小当り保留報知は、他の態様でもよい。例えば、小当り保留報知は、上記のような小当り保留の数を直接報知するものではなくてもよい。例えば、小当り保留報知は、その種類（小当り保留の数）に応じて異なるキャラクタや動画を表示するものなどであってもよい（小当り保留の数を直接報知しなくてもよい）。小当り保留開始演出や小当り保留追加演出等についても他の態様であってもよい。
【０４５６】
（変形例１０）
大当り遊技状態や小当り遊技状態中は、保留表示を非表示としてもよい。
【０４５７】
（変形例１１）
小当り保留報知の実行等を決定する際、当該小当り保留報知を実行する大当り遊技状態（Ｖ入賞後の大当り遊技状態）の種類（ラウンド数等）に応じて、小当り保留報知の態様（例えば、第２報知画像１０９ＡＫ００２の色、表示位置、及び又は、文字のフォントなど）を異ならせてもよい。また、前記種類に応じて小当り保留開始演出の態様を異ならせてもよい（例えば、報知データに、大当り遊技状態の種類の情報を含め、小当り保留実行時に当該情報に応じた態様の小当り保留開始演出の実行設定を行う）。また、小当り保留追加演出の態様を、小当り保留報知実行時の大当り遊技状態の種類又は小当り保留追加演出実行時の大当り遊技状態の種類に応じて異ならせてもよい。これらによれば、小当り保留報知等の態様にも注目が集まり、遊技の興趣が向上する。
【０４５８】
小当り保留報知の実行の有無等の決定割合は、報知対象の小当り保留の表示結果の小当り種別（複数の場合には、その組み合わせ）に応じて異ならせてもよい。小当り種別（小当り経由の大当りのラウンド数等）が遊技者にとって有利なほど、小当り保留報知が実行される割合が高いとよい。これにより、小当り保留報知の実行の有無にさらに注目が集まり、遊技の興趣が向上する。
【０４５９】
（変形例１２）
第４報知画像１０９ＡＫ００４のメータ画像を、次の小当り保留が実行開始されるまでの期間を報知する他の画像に変更してもよい。当該画像は、例えば、時間の経過に応じて態様が変化する画像であればよい。このような画像としては、メータ画像の他、例えば、導火線に火が付いた爆弾（残り時間０で爆発）、徐々に膨らむ風船（残り時間０で破裂）等が挙げられる。第４報知画像１０９ＡＫ００４のメータ画像を、タイマ画像等としてもよい。なお、タイマ画像とすると、上記帳尻合わせが難しくなるが、例えば、タイマ画像を一時的に視認不可又は困難にし、報知している残り時間の帳尻合わせをその間に行えばよい。
【０４６０】
（変形例１３）
パチンコ遊技機１について設定値を採用してもよい。設定値は、例えば、遊技店の店員等による操作部への操作により変更され、パチンコ遊技機１に設定される。パチンコ遊技機１には、設定値として、「１」〜「６」などの複数の値をとり、設定された設定値に応じて大当りの当選確率（出玉率）が異なる（大当りに加えて又は代えて小当りの当選確率が異なってもよい）。このようにパチンコ遊技機１は、設定された設定値に応じて遊技者にとっての有利度を異なるものであってもよい。このようなパチンコ遊技機１において、小当り保留報知、小当り保留追加演出、小当り保留開始演出、第３報知画像１０９ＡＫ００３、第４報知画像１０９ＡＫ００４等の各種演出の態様を、現在設定されている設定値に応じて異ならせてもよい（演出画像の色を異ならせる、形状を異ならせる等）。例えば、第４報知画像１０９ＡＫ００４の画像を、設定されている設定値に応じて異ならせてもよい。
【０４６１】
（特徴部１０９ＡＫで開示する構成等）
（構成１）
（１）可変表示（例えば、第２変動表示、演出図柄の可変表示）を実行し、遊技者にとって有利な有利状態（例えば、Ｖ入賞後の大当り遊技状態）に制御可能な遊技機（例えば、特徴部１０９ＡＫを有するパチンコ遊技機１）であって、
可変表示に関する情報を保留記憶情報（例えば、第２保留記憶データ、保留情報など）として記憶可能な保留記憶手段（例えば、第２保留記憶バッファ、保留情報バッファ）と、
前記保留記憶手段に記憶されている保留記憶情報に関する特定報知（例えば、小当り保留報知）を実行可能な特定報知実行手段（例えば、演出制御基板８０）と、を備え、
前記特定報知実行手段は、
第１の有利状態に制御されているときに前記保留記憶手段に、当該第１の有利状態のあとに第２の有利状態に制御される可変表示に関する保留記憶情報が記憶されている場合に、その旨を報知する第１の特定報知（例えば、小当り保留報知Ａ）と、
第１の有利状態に制御されているときに前記保留記憶手段に、当該第１の有利状態のあとに第２の有利状態に制御される可変表示に関する保留記憶情報と、当該第２の有利状態のあとに第３の有利状態に制御される可変表示に関する保留記憶情報と、が記憶されている場合に、その旨を報知する第２の特定報知（例えば、小当り保留報知Ｂ）と、を実行可能であり、
前記第２の特定報知は、第１の有利状態の終了後、第３の有利状態に制御される可変表示が実行されるまでの期間が所定期間以内（例えば、小当り保留の間にはずれの第２保留記憶が１以下の場合）であるときに実行可能である（例えば、ステップ１０９ＡＫＳ００６〜００８、図２１−９参照）、
遊技機。
【０４６２】
上記構成によれば、遊技の興趣を向上させることができる。
【０４６３】
上記有利状態として、上記では、Ｖ入賞後の大当り遊技状態を採用しているが、有利状態を、小当り遊技状態、変動表示が大当りとなったことに基づく大当り遊技状態、小当り〜Ｖ入賞経由の大当り遊技状態全体などとして、上記構成を採用してもよい。特に、１種のパチンコ遊技機（確変状態を有するパチンコ機、所定回数の変動表示が実行されたときに確変状態が終了するＳＴ機等も含む。）に上記構成を適用してもよく、この場合には、有利状態が、変動表示が大当りとなったことに基づく大当り遊技状態となる。特定報知は、保留内連チャン等に適用すればよい。このようなことは、後述の構成２でも同様である。
【０４６４】
上記第１の有利状態、第２の有利状態、及び、第３の有利状態は、有利状態の順序を示すものであり、各有利状態間の種類（例えば、小当り種別、大当り種別、ラウンド数、大当りであるか小当りであるか等）の異同は問わない。従って、第１の有利状態、第２の有利状態、第３の有利状態それぞれは、小当り種別ないし大当り種別などが同じ有利状態でも、少なくとも１つが異なる有利状態でもよい。このようなことは、後述の構成２でも同様である。
【０４６５】
（２）上記（１）の遊技機において、
前記特定報知実行手段は、第１の有利状態の終了後、第３の有利状態に制御される可変表示が実行されるまでの期間が前記所定期間よりも長いときに、前記第２の特定報知の実行を制限し、前記第１の特定報知を実行可能である（例えば、ステップ１０９ＡＫＳ００６〜００８、図２１−９参照）、
ようにしてもよい。
【０４６６】
上記構成によれば、遊技の興趣を向上させることができる。
【０４６７】
（３）上記（１）又は（２）の遊技機において、
前記第１の特定報知又は前記第２の特定報知の対象となった保留記憶情報に対応する可変表示が実行されるときに、前記第１の特定報知又は前記第２の特定報知と関連した関連演出（例えば、小当り保留開始演出）を実行可能な関連演出実行手段（例えば、演出制御基板８０）をさらに備える、
ようにしてもよい。
【０４６８】
上記構成によれば、遊技の興趣を向上させることができる。
【０４６９】
（４）上記（１）〜（３）のいずれかの遊技機において、
前記所定期間は、保留記憶情報の記憶数（例えば、第２保留記憶の数）により特定される期間である、
ようにしてもよい。
【０４７０】
上記構成によれば、演出制御が容易となる。
【０４７１】
（５）上記（１）〜（４）のいずれかの遊技機において、
前記特定報知実行手段は、
第１の有利状態の終了後、第３の有利状態に制御される可変表示が実行されるまでの期間が前記所定期間よりも長いときに、前記第２の特定報知を実行せずに前記第１の特定報知を実行可能であり、
前記第２の特定報知を実行せずに前記第１の特定報知を実行した後に、前記保留記憶手段に、第３の有利状態に制御される可変表示に関する保留記憶情報が記憶されている旨を報知する第３の特定報知を実行可能である（例えば、図２１−１３）、
ようにしてもよい。
【０４７２】
上記構成によれば、遊技の興趣を向上させることができる。
【０４７３】
（６）上記（１）〜（５）のいずれかの遊技機において、
可変表示にて所定表示結果（例えば、小当り図柄）が導出されたことに基づいて、遊技媒体が進入可能な状態に変化する可変進入手段（例えば、Ｖ判定入賞装置８７）と、
前記可変進入手段内に設けられ、前記可変進入手段内に進入した遊技媒体が進入可能な特定領域（例えば、Ｖ入賞領域８７０）と、
前記特定領域に遊技媒体が進入したことに基づいて、前記有利状態のうちの特定有利状態（例えば、小当り経由の大当りに基づく大当り遊技状態）に制御する特定有利状態制御手段（例えば、主基板３１）と、をさらに備える、
ようにしてもよい。
【０４７４】
上記構成によれば、遊技の興趣を向上させることができる。
【０４７５】
（７）上記（１）〜（６）のいずれかの遊技機において、
前記特定報知実行手段は、有利状態に制御されているときに前記保留記憶手段に記憶されている保留記憶情報の全てが有利状態に制御される可変表示に関する保留記憶情報である場合に、その旨を報知する第４の特定報知（例えば、小当り保留報知Ｄ）を実行可能である、
ようにしてもよい。
【０４７６】
上記構成によれば、遊技の興趣を向上させることができる。
【０４７７】
（構成２）
（１）可変表示（例えば、第２変動表示、演出図柄の可変表示）を実行し、遊技者にとって有利な有利状態（例えば、Ｖ入賞後の大当り遊技状態）に制御可能な遊技機（例えば、特徴部１０９ＡＫを有するパチンコ遊技機１）であって、
可変表示に関する情報を保留記憶情報（例えば、第２保留記憶データ、保留情報など）として記憶可能な保留記憶手段（例えば、第２保留記憶バッファ、保留情報バッファ）と、
前記保留記憶手段に記憶されている保留記憶情報に関する特定報知（例えば、小当り保留報知）を実行可能な特定報知実行手段（例えば、演出制御基板８０）と、を備え、
前記特定報知実行手段は、
第１の有利状態に制御されているときに前記保留記憶手段に、当該第１の有利状態のあとに第２の有利状態に制御される可変表示に関する保留記憶情報が記憶されている場合に、その旨を報知する第１の特定報知（例えば、小当り保留報知Ａ）と、
第１の有利状態に制御されているときに前記保留記憶手段に、当該第１の有利状態のあとに第２の有利状態に制御される可変表示に関する保留記憶情報と、当該第２の有利状態のあとに第３の有利状態に制御される可変表示に関する保留記憶情報と、が記憶されている場合に、その旨を報知する第２の特定報知（例えば、小当り保留報知Ｂ）と、を実行可能であり、
前記第２の特定報知は、第１の有利状態の終了後、第２の有利状態に制御される可変表示が実行されるまでの期間が第１の所定期間以内（例えば、Ｖ入賞後の大当り遊技状態のあと、最初に実行される第２変動表示が小当り保留である場合）であるとともに、当該第２の有利状態の終了後、第３の有利状態に制御される可変表示が実行されるまでの期間が第２の所定期間以内（例えば、小当り保留の間にはずれの第２保留記憶が１以下の場合）であるときに実行可能である（例えば、ステップ１０９ＡＫＳ００３〜００８、図２１−９参照）、
遊技機。
【０４７８】
上記構成によれば、遊技の興趣を向上させることができる。
【０４７９】
（２）上記（１）の遊技機において、
前記特定報知実行手段は、第１の有利状態の終了後、第２の有利状態に制御される可変表示が実行されるまでの期間が前記第１の所定期間以内であるが、第２の有利状態の終了後、第３の有利状態に制御される可変表示が実行されるまでの期間が前記第２の所定期間よりも長いときに、前記第２の特定報知の実行を制限し、前記第１の特定報知を実行可能である（例えば、ステップ１０９ＡＫＳ００３〜００８、図２１−９参照）、
ようにしてもよい。
【０４８０】
上記構成によれば、遊技の興趣を向上させることができる。
【０４８１】
（３）上記（１）又は（２）の遊技機において、
前記第１の特定報知又は前記第２の特定報知の対象となった保留記憶情報に対応する可変表示が実行されるときに、前記第１の特定報知又は前記第２の特定報知と関連した関連演出（例えば、小当り保留開始演出）を実行可能な関連演出実行手段（例えば、演出制御基板８０）をさらに備える、
ようにしてもよい。
【０４８２】
上記構成によれば、遊技の興趣を向上させることができる。
【０４８３】
（４）上記（１）〜（３）のいずれかの遊技機において、
前記第１の所定期間及び前記第２の所定期間は、保留記憶情報の記憶数（例えば、第２保留記憶の数）により特定される期間である、
ようにしてもよい。
【０４８４】
上記構成によれば、演出制御が容易となる。
【０４８５】
（５）上記（１）〜（４）のいずれかの遊技機において、
前記特定報知実行手段は、
第１の有利状態の終了後、第２の有利状態に制御される可変表示が実行されるまでの期間が前記第１の所定期間以内であるが、第２の有利状態の終了後、第３の有利状態に制御される可変表示が実行されるまでの期間が前記第２の所定期間よりも長いときに、前記第２の特定報知を実行せずに前記第１の特定報知を実行可能であり、
前記第２の特定報知を実行せずに前記第１の特定報知を実行した後に、前記保留記憶手段に、第３の有利状態に制御される可変表示に関する保留記憶情報が記憶されている旨を報知する第３の特定報知を実行可能である（例えば、図２１−１３）、
ようにしてもよい。
【０４８６】
上記構成によれば、遊技の興趣を向上させることができる。
【０４８７】
（６）上記（１）〜（５）のいずれかの遊技機において、
可変表示にて所定表示結果（例えば、小当り図柄）が導出されたことに基づいて、遊技媒体が進入可能な状態に変化する可変進入手段（例えば、Ｖ判定入賞装置８７）と、
前記可変進入手段内に設けられ、前記可変進入手段内に進入した遊技媒体が進入可能な特定領域（例えば、Ｖ入賞領域８７０）と、
前記特定領域に遊技媒体が進入したことに基づいて、前記有利状態のうちの特定有利状態（例えば、小当り経由の大当りに基づく大当り遊技状態）に制御する特定有利状態制御手段（例えば、主基板３１）と、をさらに備える、
ようにしてもよい。
【０４８８】
上記構成によれば、遊技の興趣を向上させることができる。
【０４８９】
（７）上記（１）〜（６）のいずれかの遊技機において、
前記特定報知実行手段は、有利状態に制御されているときに前記保留記憶手段に記憶されている保留記憶情報の全てが有利状態に制御される可変表示に関する保留記憶情報である場合に、その旨を報知する第４の特定報知（例えば、小当り保留報知Ｄ）を実行可能である、
ようにしてもよい。
【０４９０】
上記構成によれば、遊技の興趣を向上させることができる。
【符号の説明】
【０４９１】
８ａ  第１特別図柄表示器、８ｂ  第２特別図柄表示器、１  パチンコ遊技機、５６０  遊技制御用マイクロコンピュータ、５５  ＲＡＭ、９  演出表示装置、９６  時短残回数画像。
【図１】
2020141902.tif 000003
【図２】
2020141902.tif 000004
【図３】
2020141902.tif 000005
【図４】
2020141902.tif 000006
【図５】
2020141902.tif 000007
【図６】
2020141902.tif 000008
【図７】
2020141902.tif 000009
【図８】
2020141902.tif 000010
【図９】
2020141902.tif 000011
【図１０】
2020141902.tif 000012
【図１１】
2020141902.tif 000013
【図１２】
2020141902.tif 000014
【図１３】
2020141902.tif 000015
【図１４】
2020141902.tif 000016
【図１５】
2020141902.tif 000017
【図１６】
2020141902.tif 000018
【図１７】
2020141902.tif 000019
【図１８】
2020141902.tif 000020
【図１９】
2020141902.tif 000021
【図２０−１】
2020141902.tif 000022
【図２０−２】
2020141902.tif 000023
【図２０−３】
2020141902.tif 000024
【図２０−４】
2020141902.tif 000025
【図２１−１】
2020141902.tif 000026
【図２１−２】
2020141902.tif 000027
【図２１−３】
2020141902.tif 000028
【図２１−４】
2020141902.tif 000029
【図２１−５】
2020141902.tif 000030
【図２１−６】
2020141902.tif 000031
【図２１−７】
2020141902.tif 000032
【図２１−８】
2020141902.tif 000033
【図２１−９】
2020141902.tif 000034
【図２１−１０】
2020141902.tif 000035
【図２１−１１】
2020141902.tif 000036
【図２１−１２】
2020141902.tif 000037
【図２１−１３】
2020141902.tif 000038
【図２１−１４】
2020141902.tif 000039